(57)【要約】  フレキシブル帯域幅のシステムと他の帯域幅のシステムとの間での移動性を支援するための、方法、システム、およびデバイスが提供される。異なる帯域幅のシステムの間で移動性を提供するこれらのツールおよび技法は、ＣＳ音声サービスのような、回線交換（ＣＳ）サービスのサポートを支援することができる。いくつかの実施形態は、ユーザ機器のような、フレキシブル帯域幅への対応能力のあるデバイスを判定することを実現する。いくつかの実施形態は、コアネットワークリダイレクトを伴い、コアネットワークリダイレクトにおいて、コアネットワークは、フレキシブル帯域幅のシステムがＣＳサービスをサポートしない場合、回線交換サービスの処理を管理することができる。いくつかの例は、フレキシブル帯域幅のシステムがＣＳサービスをサポートできない場合、無線アクセスネットワークにより決定されるＣＳサービスの処理を実現する。いくつかの実施形態は、フレキシブル帯域幅のシステムへの移行を実現する。いくつかの実施形態は、一部のまたはすべてのＣＳサービスをサポートしない非フレキシブル帯域幅のシステム、他のフレキシブル帯域幅のシステム、および／または、ＣＳ音声サービスをネイティブにサポートするシステムへの、フレキシブル帯域幅のシステムからの移行を実現する。
2015507396.tif 000002
【特許請求の範囲】
【請求項１】
フレキシブル帯域幅への対応能力のあるユーザ機器を判定するための方法であって、
１つまたは複数のメッセージを１つまたは複数のユーザ機器（ＵＥ）に送信すること、ここにおいて、前記１つまたは複数のメッセージが、前記１つまたは複数のＵＥのいずれがフレキシブル帯域幅キャリアを利用することが可能かを判定するのを少なくとも支援するように構成される、と、
前記１つまたは複数の送信されたメッセージに応答して、前記１つまたは複数のＵＥの１つまたは複数から１つまたは複数の応答を受信することと、
前記１つまたは複数のＵＥのいずれが前記フレキシブル帯域幅キャリアを利用することが可能か判定するように、前記１つまたは複数の受信された応答を利用することと、
を備える、方法。
【請求項２】
前記１つまたは複数のＵＥの１つまたは複数から前記１つまたは複数の応答を受信することが、
前記ＵＥが少なくとも１つのフレキシブル帯域幅キャリアに関してフレキシブル帯域幅への対応能力を有さないことを反映する１つまたは複数の失敗メッセージを、前記１つまたは複数のＵＥの１つまたは複数から受信することを備える、請求項１に記載の方法。
【請求項３】
１つまたは複数のメッセージを１つまたは複数のユーザ機器（ＵＥ）に送信することが、
通常帯域幅のシステムに関して使用されない周波数の測定結果に対応するメッセージを、前記１つまたは複数のＵＥに送信することを備える、請求項２に記載の方法。
【請求項４】
前記使用されない周波数が無効な周波数を備える、請求項３に記載の方法。
【請求項５】
前記使用されない周波数が条件付きの周波数を備える、請求項３に記載の方法。
【請求項６】
前記１つまたは複数のＵＥの１つまたは複数から前記１つまたは複数の応答を受信することが、
前記１つまたは複数のＵＥの前記１つまたは複数がフレキシブル帯域幅キャリアを識別できることを示す、１つまたは複数の応答を受信することを備える、請求項１に記載の方法。
【請求項７】
前記１つまたは複数のＵＥの１つまたは複数から前記１つまたは複数の応答を受信することが、
前記１つまたは複数のＵＥの１つまたは複数のフレキシブル帯域幅への対応能力を示す、１つまたは複数の情報要素（ＩＥ）を受信することを備える、請求項１に記載の方法。
【請求項８】
前記１つまたは複数のメッセージを１つまたは複数のＵＥに送信することが、別の帯域幅キャリアで行われる、請求項１に記載の方法。
【請求項９】
前記別の帯域幅キャリアが通常帯域幅キャリアを含む、請求項８に記載の方法。
【請求項１０】
前記別の帯域幅キャリアが別の無線アクセス技術上にある、請求項８に記載の方法。
【請求項１１】
１つまたは複数のメッセージを１つまたは複数のＵＥに送信することが、他のＵＥによってサポートされる第１のキャリアで行われる、請求項１に記載の方法。
【請求項１２】
前記１つまたは複数のメッセージを送信することが、どのＵＥが第２のキャリアをサポートすることが可能かを判定するのを支援するために第１のキャリアで行われ、ここにおいて、前記第２のキャリアがフレキシブル帯域幅キャリアである、請求項１に記載の方法。
【請求項１３】
前記ＵＥの少なくとも１つに対してタイムアウト期間が発生したと判定することをさらに備える、請求項１に記載の方法。
【請求項１４】
フレキシブル帯域幅への対応能力のあるユーザ機器を判定するために構成されるワイヤレス通信システムであって、
１つまたは複数のメッセージを１つまたは複数のユーザ機器（ＵＥ）に送信するための手段、ここにおいて、前記１つまたは複数のメッセージは、前記１つまたは複数のＵＥのいずれがフレキシブル帯域幅キャリアを利用することが可能かを判定するのを少なくとも支援するように構成される、と、
前記１つまたは複数の送信されたメッセージに応答して、前記１つまたは複数のＵＥの１つまたは複数から１つまたは複数の応答を受信するための手段と、
前記１つまたは複数のＵＥのいずれが前記フレキシブル帯域幅キャリアを利用することが可能かを判定するように、前記１つまたは複数の受信された応答を利用するための手段と、
を備える、ワイヤレス通信システム。
【請求項１５】
前記１つまたは複数のＵＥの１つまたは複数から前記１つまたは複数の応答を受信するための前記手段が、
前記ＵＥが少なくとも１つのフレキシブル帯域幅キャリアに関してフレキシブル帯域幅への対応能力を有さないことを反映する１つまたは複数の失敗メッセージを、前記１つまたは複数のＵＥの１つまたは複数から受信するための手段を備える、請求項１４に記載のシステム。
【請求項１６】
１つまたは複数のメッセージを１つまたは複数のユーザ機器（ＵＥ）に送信するための前記手段が、
通常帯域幅のシステムに関して使用されない周波数の測定結果に対応するメッセージを、前記１つまたは複数のＵＥに送信するための手段を備える、請求項１５に記載のシステム。
【請求項１７】
前記１つまたは複数のＵＥの１つまたは複数から前記１つまたは複数の応答を受信するための前記手段が、
前記１つまたは複数のＵＥの前記１つまたは複数がフレキシブル帯域幅キャリアを識別できることを示す、１つまたは複数の応答を受信するための手段を備える、請求項１４に記載のシステム。
【請求項１８】
前記１つまたは複数のＵＥの１つまたは複数から前記１つまたは複数の応答を受信するための前記手段が、
前記１つまたは複数のＵＥの１つまたは複数のフレキシブル帯域幅への対応能力を示す、１つまたは複数の情報要素（ＩＥ）を受信するための手段を備える、請求項１４に記載のシステム。
【請求項１９】
前記１つまたは複数のメッセージを１つまたは複数のＵＥに送信するための前記手段が、別の帯域幅キャリアで行われる、請求項１４に記載のシステム。
【請求項２０】
１つまたは複数のメッセージを１つまたは複数のＵＥに送信するための前記手段が、他のＵＥによってサポートされる第１のキャリアで行われる、請求項１４に記載のシステム。
【請求項２１】
前記１つまたは複数のメッセージを送信するための前記手段が、どのＵＥが第２のキャリアをサポートすることが可能かを判定するのを支援するために第１のキャリアで行われ、ここにおいて、前記第２のキャリアがフレキシブル帯域幅キャリアである、請求項１４に記載のシステム。
【請求項２２】
前記ＵＥの少なくとも１つに対してタイムアウト期間が発生したと判定するための手段をさらに備える、請求項１４に記載のシステム。
【請求項２３】
非一時的コンピュータ可読媒体を備える、ワイヤレス通信システム中のフレキシブル帯域幅への対応能力のあるユーザ機器を判定するためのコンピュータプログラム製品であって、前記非一時的コンピュータ可読媒体が、
１つまたは複数のメッセージを１つまたは複数のユーザ機器（ＵＥ）に送信するためのコード、ここにおいて、前記１つまたは複数のメッセージは、前記１つまたは複数のＵＥのいずれがフレキシブル帯域幅キャリアを利用することが可能かを判定するのを少なくとも支援するように構成される、と、
前記１つまたは複数の送信されたメッセージに応答して、前記１つまたは複数のＵＥの１つまたは複数から１つまたは複数の応答を受信するためのコードと、
前記１つまたは複数のＵＥのいずれが前記フレキシブル帯域幅キャリアを利用することが可能かを判定するように、前記１つまたは複数の受信された応答を利用するためのコードとを備える、コンピュータプログラム製品。
【請求項２４】
前記１つまたは複数のＵＥの１つまたは複数から前記１つまたは複数の応答を受信するための前記コードが、
前記ＵＥが少なくとも１つのフレキシブル帯域幅キャリアに関してフレキシブル帯域幅への対応能力を有さないことを反映する１つまたは複数の失敗メッセージを、前記１つまたは複数のＵＥの１つまたは複数から受信するためのコードを備える、請求項２３に記載のコンピュータプログラム製品。
【請求項２５】
１つまたは複数のメッセージを１つまたは複数のＵＥに送信するための前記コードが、
通常帯域幅のシステムに関して使用されない周波数の測定結果に対応するメッセージを、前記１つまたは複数のＵＥに送信するためのコードを備える、請求項２４に記載のコンピュータプログラム製品。
【請求項２６】
前記１つまたは複数のＵＥの１つまたは複数から前記１つまたは複数の応答を受信するための前記コードが、
前記１つまたは複数のＵＥの前記１つまたは複数がフレキシブル帯域幅キャリアを識別できることを示す、１つまたは複数の応答を受信するためのコードを備える、請求項２３に記載のコンピュータプログラム製品。
【請求項２７】
前記１つまたは複数のＵＥの１つまたは複数から前記１つまたは複数の応答を受信するための前記コードが、
前記１つまたは複数のＵＥの１つまたは複数のフレキシブル帯域幅への対応能力を示す、１つまたは複数の情報要素（ＩＥ）を受信するためのコードを備える、請求項２３に記載のコンピュータプログラム製品。
【請求項２８】
前記１つまたは複数のメッセージを１つまたは複数のＵＥに送信することが、別の帯域幅キャリアで行われる、請求項２３に記載のコンピュータプログラム製品。
【請求項２９】
１つまたは複数のメッセージを１つまたは複数のＵＥに送信することが、他のＵＥによってサポートされる第１のキャリアで行われる、請求項２３に記載のコンピュータプログラム製品。
【請求項３０】
前記１つまたは複数のメッセージを送信するための前記コードが、どのＵＥが第２のキャリアをサポートすることが可能かを判定するのを支援するために第１のキャリアを通じて実行され、ここにおいて、前記第２のキャリアがフレキシブル帯域幅キャリアである、請求項２３に記載のコンピュータプログラム製品。
【請求項３１】
前記ＵＥの少なくとも１つに対してタイムアウト期間が発生したと判定するためのコードをさらに備える、請求項２３に記載のコンピュータプログラム製品。
【請求項３２】
少なくとも１つのプロセッサを備える、ワイヤレス通信システム中のフレキシブル帯域幅への対応能力のあるユーザ機器を判定するために構成されるワイヤレス通信デバイスであって、前記少なくとも１つのプロセッサが、
１つまたは複数のメッセージを１つまたは複数のユーザ機器（ＵＥ）に送信すること、ここにおいて、前記１つまたは複数のメッセージが、前記１つまたは複数のＵＥのいずれがフレキシブル帯域幅キャリアを利用することが可能かを判定するのを少なくとも支援するように構成される、と、
前記１つまたは複数の送信されたメッセージに応答して、前記１つまたは複数のＵＥの１つまたは複数から１つまたは複数の応答を受信することと、
前記１つまたは複数のＵＥのいずれが前記フレキシブル帯域幅キャリアを利用することが可能かを判定するように、前記１つまたは複数の受信された応答を利用することと、
を行うように構成される、ワイヤレス通信デバイス。
【請求項３３】
前記１つまたは複数のＵＥの１つまたは複数から前記１つまたは複数の応答を受信するように構成される前記少なくとも１つのプロセッサが、
前記ＵＥが少なくとも１つのフレキシブル帯域幅キャリアに関してフレキシブル帯域幅への対応能力を有さないことを反映する１つまたは複数の失敗メッセージを、前記１つまたは複数のＵＥの１つまたは複数から受信するように構成される、請求項３２に記載のワイヤレス通信デバイス。
【請求項３４】
１つまたは複数のメッセージを１つまたは複数のＵＥに送信するように構成される前記少なくとも１つのプロセッサが、
通常帯域幅のシステムに関して使用されない周波数の測定結果に対応するメッセージを、前記１つまたは複数のＵＥに送信するように構成される、請求項３３に記載のワイヤレス通信デバイス。
【請求項３５】
前記１つまたは複数のＵＥの１つまたは複数から前記１つまたは複数の応答を受信するように構成される前記少なくとも１つのプロセッサが、
前記１つまたは複数のＵＥの前記１つまたは複数がフレキシブル帯域幅キャリアを識別できることを示す、１つまたは複数の応答を受信するように構成される、請求項３２に記載のワイヤレス通信デバイス。
【請求項３６】
前記１つまたは複数のＵＥの１つまたは複数から前記１つまたは複数の応答を受信するように構成される前記少なくとも１つのプロセッサが、
前記１つまたは複数のＵＥの１つまたは複数のフレキシブル帯域幅への対応能力を示す、１つまたは複数の情報要素（ＩＥ）を受信するように構成される、請求項３２に記載のワイヤレス通信デバイス。
【請求項３７】
前記１つまたは複数のメッセージを１つまたは複数のＵＥに送信することが、別の帯域幅キャリアで行われる、請求項３２に記載のワイヤレス通信デバイス。
【請求項３８】
１つまたは複数のメッセージを１つまたは複数のＵＥに送信することが、他のＵＥによってサポートされる第１のキャリアで行われる、請求項３２に記載のワイヤレス通信デバイス。
【請求項３９】
前記１つまたは複数のメッセージを送信することが、どのＵＥが第２のキャリアをサポートすることが可能かを判定するのを支援するために第１のキャリアで行われ、前記第２のキャリアがフレキシブル帯域幅キャリアである、請求項３２に記載のワイヤレス通信デバイス。
【請求項４０】
前記少なくとも１つのプロセッサがさらに、
前記ＵＥの少なくとも１つに対してタイムアウト期間が発生したと判定するように構成される、請求項３２に記載のワイヤレス通信デバイス。
【発明の詳細な説明】
【技術分野】
【０００１】
相互関連出願
本特許出願は、本出願の譲受人に譲渡され、いかなる目的でも参照により本明細書に明確に組み込まれる、２０１１年１２月９日に出願された、「ＳＩＧＮＡＬ  ＣＡＰＡＣＩＴＹ  ＢＯＯＳＴＩＮＧ，  ＣＯＯＲＤＩＮＡＴＥＤ  ＦＯＲＷＡＲＤ  ＬＩＮＫ  ＢＬＡＮＫＩＮＧ  ＡＮＤ  ＰＯＷＥＲ  ＢＯＯＳＴＩＮＧ，ＡＮＤ  ＲＥＶＥＲＳＥ  ＬＩＮＫ  ＴＨＲＯＵＧＨＰＵＴ  ＩＮＣＲＥＡＳＩＮＧ  ＦＯＲ  ＦＬＥＸＩＢＬＥ  ＢＡＮＤＷＩＤＴＨ  ＳＹＳＴＥＭＳ」という表題の仮出願第６１／５６８，７４２号の優先権を主張する。本特許出願はまた、本出願の譲受人に譲渡され、いかなる目的でも参照により本明細書に明確に組み込まれる、２０１２年４月９日に出願された「ＰＲＯＶＩＤＩＮＧ  ＦＯＲ  ＭＯＢＩＬＩＴＹ  ＢＥＴＷＥＥＮ  ＦＬＥＸＩＢＬＥ  ＢＡＮＤＷＩＤＴＨ  ＳＹＳＴＥＭＳ  ＡＮＤ  ＮＯＲＭＡＬ  ＢＡＮＤＷＩＤＴＨ  ＳＹＳＴＥＭＳ」という表題の仮出願第６１／６２１，９０４号の優先権を主張する。
【背景技術】
【０００２】
ワイヤレス通信システムは、音声、ビデオ、パケットデータ、メッセージング、ブロードキャストなどのような、様々なタイプの通信コンテンツを提供するために広く展開されている。これらのシステムは、利用可能なシステムリソース（たとえば、時間、周波数、および電力）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、３ＧＰＰ  Ｌｏｎｇ  Ｔｅｒｍ  Ｅｖｏｌｕｔｉｏｎ（ＬＴＥ）システム、および直交周波数分割多元接続（ＯＦＤＭＡ）システムがある。
【０００３】
サービス提供者は通常、ある地理的領域における独占的な使用のために、周波数スペクトルのブロックを割り振られる。周波数のこれらのブロックは一般に、使用されている多元接続技術とは無関係に、調整器によって割り当てられる。多くの場合、これらのブロックは、チャネル帯域幅の整数倍ではないので、スペクトルの利用されない部分があり得る。ワイヤレスデバイスの使用が増えるにつれて、このスペクトルに対する需要およびその価値も全般に上がってきた。それでも、場合によっては、ワイヤレス通信システムは、割り振られたスペクトルの部分が標準的なまたは通常の波形に適合するのに十分大きくないので、その部分を利用できない。たとえば、ＬＴＥ規格の開発者はこの問題を認識しており、多くの異なるシステム帯域幅（たとえば、１．４、３、５、１０、１５、および２０ＭＨｚ）をサポートすることを決めた。このことは、その問題に対する１つの部分的な解決法を提供し得る。一部のフレキシブル帯域幅のシステムは回線交換サービスをサポートしないことがあるが、フレキシブル帯域幅のシステムが、別の解決法を提供することができる。
【発明の概要】
【０００４】
フレキシブル帯域幅のシステムと通常帯域幅のシステムおよび／または他のフレキシブル帯域幅のシステムとの間の移動性を支援するための、方法、システム、およびデバイスが提供される。異なる帯域幅のシステムの間で移動性を提供するこれらのツールおよび技法は、回線交換音声サービスのような、回線交換（ＣＳ）サービスのサポートを支援することができる。いくつかの実施形態は、ユーザ機器（ＵＥ）のような、フレキシブル帯域幅への対応能力のあるデバイスを判定することを実現する。いくつかの実施形態は、コアネットワーク（ＣＮ）リダイレクトを伴い、ＣＮリダイレクトにおいて、コアネットワークは、フレキシブル帯域幅のシステムがＣＳサービスをサポートしない場合、ＣＳ音声サービスのような回線交換サービスの処理を管理することができる。いくつかの例は、フレキシブル帯域幅のシステムがＣＳサービスをサポートしない場合、ＣＳ音声サービスのようなＣＳサービスの、無線アクセスネットワーク（ＲＡＮ）により管理および／または決定される処理を実現する。いくつかの実施形態は、フレキシブル帯域幅のシステムへの移行またはスプリングフォワード（spring forward）を実現する。いくつかの実施形態は、一部のまたはすべてのＣＳサービス（たとえば、ＣＳ音声）をサポートしない非フレキシブル帯域幅のシステム、他のフレキシブル帯域幅のシステム、および／または、ＣＳ音声サービスをネイティブにサポートするシステムへの、フレキシブル帯域幅のシステムからの移行またはフォールバックを実現する。
【０００５】
ワイヤレス通信システムのためのフレキシブル帯域幅キャリアは、フレキシブル帯域幅波形を利用して、通常の波形に適合するには十分大きくない可能性のあるスペクトルの部分を利用することができる。フレキシブル帯域幅キャリアを利用するフレキシブル帯域幅のシステムは、通常帯域幅のシステムに対してフレキシブル帯域幅のシステムの時間またはチップレートを拡大または縮小することを通じて、通常帯域幅のシステムに対して生成され得る。いくつかの実施形態は、フレキシブル帯域幅のシステムの時間またはチップレートを拡張または拡大することを通じて、波形の帯域幅を増やすことができる。
【０００６】
いくつかの実施形態は、フレキシブル帯域幅への対応能力のあるユーザ機器を判定するための方法を含む。方法は、１つまたは複数のメッセージを１つまたは複数のユーザ機器（ＵＥ）に送信すること、ここにおいて、１つまたは複数のメッセージが、１つまたは複数のＵＥのいずれがフレキシブル帯域幅キャリアを利用することが可能かを判定することを支援するように少なくとも構成される、と、１つまたは複数の送信されたメッセージに応答して、１つまたは複数のＵＥの１つまたは複数から１つまたは複数の応答を受信すること、および／または、１つまたは複数のＵＥのいずれがフレキシブル帯域幅キャリアを利用することが可能かを判定するように、１つまたは複数の受信された応答を利用することを含み得る。
【０００７】
１つまたは複数のＵＥの１つまたは複数から１つまたは複数の応答を受信することは、ＵＥが少なくとも１つのフレキシブル帯域幅キャリアに対してフレキシブル帯域幅への対応能力を有さないことを反映する、１つまたは複数の失敗メッセージを、１つまたは複数のＵＥの１つまたは複数から受信することを含み得る。１つまたは複数のメッセージを１つまたは複数のユーザ機器（ＵＥ）に送信することは、通常帯域幅のシステムに関して使用されない周波数の測定結果に対応するメッセージを、１つまたは複数のＵＥに送信することを含み得る。使用されない周波数は、無効な周波数を含み得る。使用されない周波数は、条件付きの周波数を含み得る。
【０００８】
１つまたは複数のＵＥの１つまたは複数から１つまたは複数の応答を受信することは、１つまたは複数のＵＥの１つまたは複数がフレキシブル帯域幅キャリアを識別できることを示す、１つまたは複数の応答を受信することを含み得る。１つまたは複数のＵＥの１つまたは複数から１つまたは複数の応答を受信することは、１つまたは複数のＵＥの１つまたは複数のフレキシブル帯域幅への対応能力を示す、１つまたは複数の情報要素（ＩＥ）を受信することを含み得る。
【０００９】
１つまたは複数のメッセージを１つまたは複数のＵＥに送信することは、別の帯域幅キャリアで行われ得る。別の帯域幅キャリアは、通常帯域幅キャリアを含み得る。別の帯域幅キャリアは、別の無線アクセス技術により得る。
【００１０】
１つまたは複数のメッセージを１つまたは複数のＵＥに送信することは、他のＵＥによってサポートされる第１のキャリアで行われ得る。１つまたは複数のメッセージを送信することは、どのＵＥが第２のキャリアをサポートすることが可能かを判定するのを支援するために、第１のキャリアで行われてよく、第２のキャリアはフレキシブル帯域幅キャリアである。いくつかの実施形態は、ＵＥの少なくとも１つに対してタイムアウト期間が発生したと判定することを含み得る。
【００１１】
いくつかの実施形態は、フレキシブル帯域幅への対応能力のあるユーザ機器を判定するために構成される、ワイヤレス通信システムを含む。システムは、１つまたは複数のメッセージを１つまたは複数のユーザ機器（ＵＥ）に送信するための手段、ここにおいて、１つまたは複数のメッセージが、１つまたは複数のＵＥのいずれがフレキシブル帯域幅キャリアを利用することが可能かを判定することを支援するように少なくとも構成される、と、１つまたは複数の送信されたメッセージに応答して、１つまたは複数のＵＥの１つまたは複数から１つまたは複数の応答を受信するための手段、および／または、１つまたは複数のＵＥのいずれがフレキシブル帯域幅キャリアを利用することが可能かを判定するように、１つまたは複数の受信された応答を利用するための手段を含み得る。
【００１２】
１つまたは複数のＵＥの１つまたは複数から１つまたは複数の応答を受信するための手段は、ＵＥが少なくとも１つのフレキシブル帯域幅キャリアに対してフレキシブル帯域幅への対応能力を有さないことを反映する、１つまたは複数の失敗メッセージを、１つまたは複数のＵＥの１つまたは複数から受信するための手段を含み得る。１つまたは複数のメッセージを１つまたは複数のユーザ機器（ＵＥ）に送信するための手段は、通常帯域幅のシステムに関して使用されない周波数の測定結果に対応するメッセージを、１つまたは複数のＵＥに送信するための手段を含み得る。
【００１３】
１つまたは複数のＵＥの１つまたは複数から１つまたは複数の応答を受信するための手段は、１つまたは複数のＵＥの１つまたは複数がフレキシブル帯域幅キャリアを識別できることを示す、１つまたは複数の応答を受信するための手段を含み得る。１つまたは複数のＵＥの１つまたは複数から１つまたは複数の応答を受信するための手段は、１つまたは複数のＵＥの１つまたは複数のフレキシブル帯域幅への対応能力を示す、１つまたは複数の情報要素（ＩＥ）を受信するための手段を含み得る。
【００１４】
１つまたは複数のメッセージを１つまたは複数のＵＥに送信するための手段は、別の帯域幅キャリアで行い得る。１つまたは複数のメッセージを１つまたは複数のＵＥに送信するための手段は、他のＵＥによってサポートされる第１のキャリアで行い得る。１つまたは複数のメッセージを送信するための手段は、どのＵＥが第２のキャリアをサポートすることが可能かを判定するのを支援するために、第１のキャリアで行い得、第２のキャリアはフレキシブル帯域幅キャリアである。いくつかの実施形態は、ＵＥの少なくとも１つに対してタイムアウト期間が発生したと判定するための手段を含む。
【００１５】
いくつかの実施形態は、非一時的コンピュータ可読媒体を含み得る、ワイヤレス通信システム中のフレキシブル帯域幅への対応能力のあるユーザ機器を判定するためのコンピュータプログラム製品を含み、非一時的コンピュータ可読媒体は、１つまたは複数のメッセージを１つまたは複数のユーザ機器（ＵＥ）に送信するためのコード、ここにおいて、１つまたは複数のメッセージが、１つまたは複数のＵＥのいずれがフレキシブル帯域幅キャリアを利用することが可能かを判定することを支援するように少なくとも構成される、と、１つまたは複数の送信されたメッセージに応答して、１つまたは複数のＵＥの１つまたは複数から１つまたは複数の応答を受信するためのコード、および／または、１つまたは複数のＵＥのいずれがフレキシブル帯域幅キャリアを利用することが可能かを判定するように、１つまたは複数の受信された応答を利用するためのコードを含み得る。
【００１６】
１つまたは複数のＵＥの１つまたは複数から１つまたは複数の応答を受信するためのコードは、ＵＥが少なくとも１つのフレキシブル帯域幅キャリアに対してフレキシブル帯域幅への対応能力を有さないことを反映する、１つまたは複数の失敗メッセージを、１つまたは複数のＵＥの１つまたは複数から受信するためのコードを含み得る。１つまたは複数のメッセージを１つまたは複数のＵＥに送信するためのコードは、通常帯域幅のシステムに関して使用されない周波数の測定結果に対応するメッセージを、１つまたは複数のＵＥに送信するためのコードを含み得る。１つまたは複数のＵＥの１つまたは複数から１つまたは複数の応答を受信するためのコードは、１つまたは複数のＵＥの１つまたは複数がフレキシブル帯域幅キャリアを識別できることを示す、１つまたは複数の応答を受信するためのコードを含み得る。１つまたは複数のＵＥの１つまたは複数から１つまたは複数の応答を受信するためのコードは、１つまたは複数のＵＥの１つまたは複数のフレキシブル帯域幅への対応能力を示す、１つまたは複数の情報要素（ＩＥ）を受信するためのコードを含み得る。
【００１７】
１つまたは複数のメッセージを１つまたは複数のＵＥに送信することが別の帯域幅キャリアで行われるように、送信コードが構成され得る。１つまたは複数のメッセージを１つまたは複数のＵＥに送信することが他のＵＥによってサポートされる第１のキャリアで行われるように、送信コードが構成され得る。１つまたは複数のメッセージを送信することがどのＵＥが第２のキャリアをサポートすることが可能かを判定するのを支援するために第１のキャリアで行われるように、送信コードが構成されてよく、第２のキャリアはフレキシブル帯域幅キャリアである。いくつかの実施形態は、ＵＥの少なくとも１つに対してタイムアウト期間が発生したと判定するためのコードを含む。
【００１８】
いくつかの実施形態は、ワイヤレス通信システム中のフレキシブル帯域幅への対応能力のあるユーザ機器を判定するために構成される、ワイヤレス通信デバイスを含む。デバイスは少なくとも１つのプロセッサを含んでよく、少なくとも１つのプロセッサは、１つまたは複数のメッセージを１つまたは複数のユーザ機器（ＵＥ）に送信すること、ここにおいて、１つまたは複数のメッセージが、１つまたは複数のＵＥのいずれがフレキシブル帯域幅キャリアを利用することが可能かを判定することを支援するように少なくとも構成される、と、１つまたは複数の送信されたメッセージに応答して、１つまたは複数のＵＥの１つまたは複数から１つまたは複数の応答を受信することと、１つまたは複数のＵＥのいずれがフレキシブル帯域幅キャリアを利用することが可能かを判定するように、１つまたは複数の受信された応答を利用することとを行うように構成され得る。
【００１９】
１つまたは複数のＵＥの１つまたは複数から１つまたは複数の応答を受信するように構成される少なくとも１つのプロセッサは、ＵＥが少なくとも１つのフレキシブル帯域幅キャリアに対してフレキシブル帯域幅への対応能力を有さないことを反映する、１つまたは複数の失敗メッセージを、１つまたは複数のＵＥの１つまたは複数から受信するように構成され得る。１つまたは複数のメッセージを１つまたは複数のＵＥに送信するように構成される少なくとも１つのプロセッサは、通常帯域幅のシステムに関して使用されない周波数の測定結果に対応するメッセージを、１つまたは複数のＵＥに送信するように構成され得る。１つまたは複数のＵＥの１つまたは複数から１つまたは複数の応答を受信するように構成される少なくとも１つのプロセッサは、１つまたは複数のＵＥの１つまたは複数がフレキシブル帯域幅キャリアを識別できることを示す、１つまたは複数の応答を受信するように構成され得る。１つまたは複数のＵＥの１つまたは複数から１つまたは複数の応答を受信するように構成される少なくとも１つのプロセッサは、１つまたは複数のＵＥの１つまたは複数のフレキシブル帯域幅への対応能力を示す、１つまたは複数の情報要素（ＩＥ）を受信するように構成され得る。
【００２０】
１つまたは複数のメッセージを１つまたは複数のＵＥに送信することは、別の帯域幅キャリアで行われ得る。１つまたは複数のメッセージを１つまたは複数のＵＥに送信することは、他のＵＥによってサポートされる第１のキャリアで行われる。１つまたは複数のメッセージを送信することは、どのＵＥが第２のキャリアをサポートすることが可能かを判定するのを支援するために、第１のキャリアで行われてよく、第２のキャリアはフレキシブル帯域幅キャリアである。少なくとも１つのプロセッサはさらに、ＵＥの少なくとも１つに対してタイムアウト期間が発生したと判定するように構成される。
【００２１】
上記では、以下の発明を実施するための形態がより良く理解され得るように、本開示による例の特徴および技術的利点についてやや広く概説した。以下で、追加の特徴および利点が説明される。開示される概念および具体例は、本開示の同じ目的を実行する他の構造を修正または設計するための基礎として容易に利用され得る。そのような等価な構成は、添付の特許請求の範囲の趣旨および範囲から逸脱しない。本明細書で開示される概念を特徴づけると考えられる特徴は、それらの編成と動作方法の両方に関して、関連する利点とともに検討されると、以下の説明からより良く理解されよう。図面の各々は、例示および説明のみを目的として与えられたものであり、特許請求の範囲を定義するものとして与えられたものではない。
【００２２】
以下の図面を参照すれば、本発明の性質および利点のさらなる理解が得られ得る。添付の図において、同様のコンポーネントまたは特徴は同じ参照ラベルを有し得る。さらに、同じタイプの様々なコンポーネントは、ダッシュによる参照ラベルと、それらの同様のコンポーネント同士を区別する第２のラベルとに従って、区別され得る。第１の参照ラベルのみが明細書において使用される場合、その記述法は、第２の参照ラベルにかかわらず、同じ第１の参照ラベルを有する同様のコンポーネントのうちのいずれの１つにも適用可能である。
【図面の簡単な説明】
【００２３】
【図１】様々な実施形態による、ワイヤレス通信システムのブロック図。
【図２Ａ】様々な実施形態による、通常の波形に適合するのに十分広くないスペクトルの一部分にフレキシブル帯域幅波形が適合する、ワイヤレス通信システムの一例を示す図。
【図２Ｂ】様々な実施形態による、フレキシブル帯域幅波形が帯域のエッジの近くのスペクトルの一部分に適合する、ワイヤレス通信システムの一例を示す図。
【図２Ｃ】様々な実施形態による、フレキシブル帯域幅波形が通常の波形と部分的に重複する、ワイヤレス通信システムの一例を示す図。
【図２Ｄ】様々な実施形態による、フレキシブル帯域幅波形が通常の波形と完全に重複する、ワイヤレス通信システムの一例を示す図。
【図２Ｅ】様々な実施形態による、１つのフレキシブル帯域幅波形が通常の波形と完全に重複し、別のフレキシブル帯域幅波形が通常の波形と部分的に重複する、ワイヤレス通信システムの一例を示す図。
【図２Ｆ】様々な実施形態による、１つの通常の波形が別の通常の波形と部分的に重複する、ワイヤレス通信システムの一例を示す図。
【図３Ａ】様々な実施形態による、ワイヤレス通信システムのブロック図。
【図３Ｂ】様々な実施形態による、ワイヤレス通信システムのブロック図。
【図４】様々な実施形態による呼のフローを示す図。
【図５】様々な実施形態による呼のフローを示す図。
【図６】様々な実施形態による、ユーザ機器の能力の識別のために構成されるデバイスのブロック図。
【図７】様々な実施形態による、ユーザ機器の識別のために構成される通信システムを示す図。
【図８】様々な実施形態による、移動性のために構成されるユーザ機器のブロック図。
【図９Ａ】様々な実施形態による、フレキシブル帯域幅への対応能力のあるユーザ機器を判定するための方法のフロー図。
【図９Ｂ】様々な実施形態による、フレキシブル帯域幅への対応能力のあるユーザ機器を判定するための方法のフロー図。
【図９Ｃ】様々な実施形態による、フレキシブル帯域幅への対応能力のあるユーザ機器を判定するための方法のフロー図。
【図１０】様々な実施形態による、移動性機能を含むデバイスのブロック図。
【図１１】様々な実施形態による、ワイヤレス通信システムのための移動性を提供するために構成される通信システムのブロック図。
【図１２Ａ】様々な実施形態による、ワイヤレス通信システム内での移動性を提供するための方法のフロー図。
【図１２Ｂ】様々な実施形態による、ワイヤレス通信システム内での移動性を提供するための方法のフロー図。
【図１２Ｃ】様々な実施形態による、ワイヤレス通信システム内での移動性を提供するための方法のフロー図。
【図１３】様々な実施形態による、移動性機能を含むデバイスのブロック図。
【図１４】様々な実施形態による、ワイヤレス通信システムのための移動性を提供するために構成される通信システムのブロック図。
【図１５Ａ】様々な実施形態による、ワイヤレス通信システム内での移動性を提供するための方法のフロー図。
【図１５Ｂ】様々な実施形態による、ワイヤレス通信システム内での移動性を提供するための方法のフロー図。
【図１５Ｃ】様々な実施形態による、ワイヤレス通信システム内での移動性を提供するための方法のフロー図。
【図１６】様々な実施形態による、ワイヤレス通信システム内での移動性を提供するための方法のフロー図。
【図１７】様々な実施形態による、移動性機能を含むデバイスのブロック図。
【図１８Ａ】様々な実施形態による通信システムを示す図。
【図１８Ｂ】様々な実施形態による通信システムを示す図。
【図１８Ｃ】様々な実施形態による通信システムを示す図。
【図１９Ａ】様々な実施形態による呼のフローを示す図。
【図１９Ｂ】様々な実施形態による呼のフローを示す図。
【図２０Ａ】様々な実施形態による呼のフローを示す図。
【図２０Ｂ】様々な実施形態による呼のフローを示す図。
【図２１】様々な実施形態による通信システムを示す図。
【図２２】様々な実施形態によるハンドオーバーの状況の表を示す図。
【図２３Ａ】様々な実施形態による呼のフローを示す図。
【図２３Ｂ】様々な実施形態による呼のフローを示す図。
【図２４Ａ】様々な実施形態による呼のフローを示す図。
【図２４Ｂ】様々な実施形態による呼のフローを示す図。
【図２４Ｃ】様々な実施形態による呼のフローを示す図。
【図２４Ｄ】様々な実施形態による呼のフローを示す図。
【図２５】様々な実施形態による、ワイヤレス通信システムのための移動性を提供するために構成される通信システムのブロック図。
【図２６】様々な実施形態による、ワイヤレス通信システムのための移動性を提供するために構成される通信システムのブロック図。
【図２７】様々な実施形態による、移動性のために構成されるユーザ機器のブロック図。
【図２８Ａ】様々な実施形態による、ワイヤレス通信システム内での移動性を提供するための方法のフロー図。
【図２８Ｂ】様々な実施形態による、ワイヤレス通信システム内での移動性を提供するための方法のフロー図。
【図２８Ｃ】様々な実施形態による、ワイヤレス通信システム内での移動性を提供するための方法のフロー図。
【図２９】様々な実施形態による、移動性機能を含むデバイスのブロック図。
【図３０Ａ】様々な実施形態による呼のフローを示す図。
【図３０Ｂ】様々な実施形態による呼のフローを示す図。
【図３１Ａ】様々な実施形態による呼のフローを示す図。
【図３１Ｂ】様々な実施形態による呼のフローを示す図。
【図３２Ａ】様々な実施形態による呼のフローを示す図。
【図３２Ｂ】様々な実施形態による呼のフローを示す図。
【図３３】様々な実施形態による呼のフローを示す図。
【図３４】様々な実施形態による呼のフローを示す図。
【図３５Ａ】様々な実施形態による呼のフローを示す図。
【図３５Ｂ】様々な実施形態による呼のフローを示す図。
【図３６Ａ】様々な実施形態による呼のフローを示す図。
【図３６Ｂ】様々な実施形態による呼のフローを示す図。
【図３６Ｃ】様々な実施形態による呼のフローを示す図。
【図３７Ａ】様々な実施形態による呼のフローを示す図。
【図３７Ｂ】様々な実施形態による呼のフローを示す図。
【図３８】様々な実施形態による、ワイヤレス通信システムのための移動性を提供するために構成される通信システムのブロック図。
【図３９】様々な実施形態による、ワイヤレス通信システムのための移動性を提供するために構成される通信システムのブロック図。
【図４０】様々な実施形態による、移動性のために構成されるユーザ機器のブロック図。
【図４１Ａ】様々な実施形態による、ワイヤレス通信システム内での移動性を提供するための方法のフロー図。
【図４１Ｂ】様々な実施形態による、ワイヤレス通信システム内での移動性を提供するための方法のフロー図。
【図４１Ｃ】様々な実施形態による、ワイヤレス通信システム内での移動性を提供するための方法のフロー図。
【図４２】様々な実施形態による、基地局とユーザ機器とを含むワイヤレス通信システムのブロック図。
【発明を実施するための形態】
【００２４】
フレキシブル帯域幅のシステムと通常帯域幅のシステムおよび／または他のフレキシブル帯域幅のシステムとの間での移動性を支援するための、方法、システム、およびデバイスが提供される。異なる帯域幅のシステムの間で移動性を提供するこれらのツールおよび技法は、回線交換音声サービスのような、回線交換（ＣＳ）サービスのサポートを支援することができる。いくつかの実施形態は、ユーザ機器（ＵＥ）のような、フレキシブル帯域幅への対応能力のあるデバイスを判定することを実現する。いくつかの実施形態は、コアネットワーク（ＣＮ）リダイレクト（redirection）を伴い、ＣＮリダイレクトにおいて、コアネットワークは、フレキシブル帯域幅のシステムがＣＳサービスをサポートしない場合、ＣＳ音声サービスのような回線交換サービスの処理を管理することができる。いくつかの例は、フレキシブル帯域幅のシステムがＣＳサービスをサポートしない場合、ＣＳ音声サービスのようなＣＳサービスの、無線アクセスネットワーク（ＲＡＮ）により管理および／または決定される処理を実現する。いくつかの実施形態では、フレキシブル帯域幅のシステムへの移行またはスプリングフォワードを実現する。いくつかの実施形態は、一部のまたはすべてのＣＳサービス（たとえば、ＣＳ音声）をサポートしない非フレキシブル帯域幅のシステム、他のフレキシブル帯域幅のシステム、および／または、ＣＳ音声サービスをネイティブにサポートするシステムへの、フレキシブル帯域幅のシステムからの移行またはフォールバックを実現する。
【００２５】
たとえばＲｅｌｅａｓｅ  ９９チャネルを通じてＵＭＴＳにおいて通常搬送され得る、回線交換サービスに加えて、ＣＳサービスは、高速データチャネル（一般にＨＳを通じたＣＳとして知られている）を通じて搬送され得る。前者の場合、音声信号が通るすべての通信経路は回線交換式であり得るが、後者の場合、無線アクセスネットワークの態様（ＲＮＣとＵＥとの間の通信経路）は、データ集中型高速データチャネル（ＨＳＤＰＡ、ＨＳＵＰＡチャネル）を使用し得る。ＨＳを通じたＣＳにおいて、通信経路の残りは、標準的な回線交換方式で使用されるものと同じリソースを使用し得る。フレキシブル帯域幅ＨＳＤＰＡネットワークおよびＨＳＵＰＡネットワークは、ＨＳを通じたＣＳをサポートするために使用され得る。いくつかのフレキシブル帯域幅のシステムは、ある手段（たとえば、ＨＳを通じた音声）によってあるＣＳサービス（たとえば、音声）をサポートすることが可能であり、別の手段によってＲｅｌｅａｓｅ  ９９  ＣＳ音声をサポートすることが不可能であり得る。これらの２つの音声サービスは、１つのＣＳサービスであるものとして、または２つの別個のＣＳサービスであるものとして見なされ得る。
【００２６】
いくつかの実施形態は、フレキシブル帯域幅への対応能力のあるＵＥのような、フレキシブル帯域幅への対応能力のあるデバイスを判定することを実現する。いくつかの実施形態では、フレキシブル帯域幅への対応能力のあるＵＥは、ＵＥがフレキシブル帯域幅をサポートするかどうかを示すメッセージを送信する。これらのメッセージは、たとえば、無線アクセスネットワークから様々なメッセージを受信することに応答するものであり得る。いくつかの実施形態は、様々なタイプのメッセージを受信したことに応答してこれらの様々なＵＥが送信し得る、または送信し得ない様々なメッセージを通じて、フレキシブル帯域幅への対応能力のあるＵＥに対してレガシーＵＥ（legacy UE）を区別することを可能にする。たとえば、レガシーＵＥは、フレキシブル帯域幅に関連するメッセージを受信すると、失敗メッセージを送信し得る、一方、フレキシブル帯域幅への対応能力のあるＵＥは、失敗メッセージを送信しないことを通じて、異なるように応答し得る。フレキシブル帯域幅への対応能力のあるＵＥはまた、通常帯域幅ＵＭＴＳのような、通常帯域幅のシステムもサポートし得る。これらのツールおよび技法は、無線アクセスネットワークおよび／またはコアネットワークが、どのＵＥがフレキシブル帯域幅への対応能力を有するかを判定することを可能にし得る。
【００２７】
いくつかの実施形態では、コアネットワークは、フレキシブル帯域幅のシステムがＣＳサービスをサポートしない場合、回線交換音声サービスのような回線交換サービスの処理を管理することができる。いくつかの例では、ユーザ機器は、フレキシブル帯域幅の無線アクセスネットワーク上で、ＣＳサービスとパケット交換（ＰＳ）サービスの両方に登録され得る。コアネットワークは、フレキシブル帯域幅のシステム上での、１つまたは複数の回線交換サービスに対するサポートの欠如を識別し、ユーザ機器のための回線交換サービスを、回線交換サービスをサポートする無線アクセスネットワークにリダイレクトすることができる。
【００２８】
いくつかの実施形態は、フレキシブル帯域幅のシステムがＣＳサービスをサポートしない場合、ＣＳ音声サービスのような回線交換サービスの、無線アクセスネットワークにより管理および／または決定される処理を実現する。実施形態は、複数の無線アクセスネットワークからのフレキシブル帯域幅の無線アクセスネットワークを使用して、ユーザ機器と通信することと、フレキシブル帯域幅の無線アクセスネットワークによって、複数の無線アクセスネットワークからの回線交換サービスをサポートする無線アクセスネットワークに、ユーザ機器のための回線交換サービスをリダイレクトすると決めることとを含み得る。
【００２９】
いくつかの実施形態は、フレキシブル帯域幅のシステムへの移行またはスプリングフォワードを実現する。いくつかの実施形態は、第１の無線アクセスネットワークから第２の無線アクセスネットワークに移行することを含んでよく、第１の無線アクセスネットワークは通常帯域幅の無線アクセスネットワークを含み、第２の無線アクセスネットワークはフレキシブル帯域幅の無線アクセスネットワークを含む。いくつかの実施形態は、第１の無線アクセスネットワークを通じて通信すること、ここで、第１の無線アクセスネットワークが第１の帯域幅キャリアを利用する、と、第２の無線アクセスネットワークを識別すること、ここで、第２の無線アクセスネットワークが第１のフレキシブル帯域幅キャリアを利用する、と、第１の無線アクセスネットワークの第１の帯域幅キャリアを利用することから第２の無線アクセスネットワークの第１のフレキシブル帯域幅キャリアを利用することへと移行することとを含み得る、フレキシブル帯域幅への移動性を支援するための方法を含む。第１の帯域幅キャリアは、通常帯域幅キャリア、または第１のフレキシブル帯域幅キャリアとは異なる第２のフレキシブル帯域幅キャリアであり得る。
【００３０】
いくつかの実施形態は、一部のまたはすべてのＣＳサービス（たとえば、ＣＳ音声）をサポートしない非フレキシブル帯域幅のシステム、他のフレキシブル帯域幅のシステム、および／または、ＣＳ音声サービスをネイティブにサポートするシステムへの、フレキシブル帯域幅のシステムからの移行またはフォールバックを実現し、このことは、第１の無線アクセスネットワークから第２の無線アクセスネットワークに移行することを含み、第１の無線アクセスネットワークはフレキシブル帯域幅の無線アクセスネットワークを含み、第２の無線アクセスネットワークは通常帯域幅の無線アクセスネットワークまたは別のフレキシブル帯域幅のシステムを含む。一例では、ワイヤレス通信のための移動性を支援するための方法は、第１の無線アクセスネットワークを通じて通信すること、ここで、第１の無線アクセスネットワークが第１のフレキシブル帯域幅キャリアを利用する、と、第２の無線アクセスネットワークを識別すること、ここで、第２の無線アクセスネットワークが第２の帯域幅キャリアを利用する、と、第１の無線アクセスネットワークのフレキシブル帯域幅キャリアを利用することから第２の無線アクセスネットワークの第２の帯域幅キャリアを利用することへと移行することとを含み得る。この移行は、異なる無線アクセス技術（ＲＡＴ）の間で（たとえば、フレキシブル帯域幅Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｆ−ＵＴＲＡＮ）からＧＳＭ（登録商標）  Ｒａｄｉｏ  Ａｃｃｅｓｓ  Ｎｅｔｗｏｒｋ（ＧＥＲＡＮ）へと）、または、同じＲＡＴの間で（たとえば、フレキシブル帯域幅ＵＴＲＡＮからＵＴＲＡＮへと）行われ得る。第２の帯域幅キャリアは、通常帯域幅キャリア、または第１の帯域幅キャリアとは異なる別のフレキシブル帯域幅キャリアを含み得る。
【００３１】
本明細書で説明される技法は、ＣＤＭＡ、ＴＤＭＡ、ＦＤＭＡ、ＯＦＤＭＡ、ＳＣ−ＦＤＭＡ、ピアツーピア、および他のシステムのような、様々なワイヤレス通信システムに使用され得る。「システム」および「ネットワーク」という用語は、しばしば互換的に使用される。ＣＤＭＡシステムは、ＣＤＭＡ２０００、Ｕｎｉｖｅｒｓａｌ  Ｔｅｒｒｅｓｔｒｉａｌ  Ｒａｄｉｏ  Ａｃｃｅｓｓ（ＵＴＲＡ）などの無線技術を実装し得る。ＣＤＭＡ２０００は、ＩＳ−２０００規格と、ＩＳ−９５規格と、ＩＳ−８５６規格とを包含する。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、Ｈｉｇｈ  Ｒａｔｅ  Ｐａｃｋｅｔ  Ｄａｔａ（ＨＲＰＤ）などと呼ばれる。ＵＴＲＡは、Ｗｉｄｅｂａｎｄ  ＣＤＭＡ（ＷＣＤＭＡ（登録商標））およびＣＤＭＡの他の変形を含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）などの無線技術を実装し得る。ＯＦＤＭＡシステムまたはＯＦＤＭシステムは、Ｕｌｔｒａ  Ｍｏｂｉｌｅ  Ｂｒｏａｄｂａｎｄ（ＵＭＢ）、Ｅｖｏｌｖｅｄ  ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）という名称の組織からの文書に記載されている。ＣＤＭＡ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）という名称の組織からの文書に記載されている。本明細書で説明される技法は、上記のシステムおよび無線技術、ならびに他のシステムおよび無線技術に使用され得る。
【００３２】
したがって、以下の説明は、例を与えるものであり、特許請求の範囲において記載される範囲、適用性、または構成を限定するものではない。本開示の趣旨および範囲から逸脱することなく、論じられる要素の機能および構成において変更が行われ得る。様々な実施形態は、適宜、様々な手順またはコンポーネントを省略、置換、または追加し得る。たとえば、説明される方法は、説明する順序とは異なる順序で実行されてよく、様々なステップが追加、省略、または組み合わせられてよい。また、いくつかの実施形態に関して説明される特徴は、他の実施形態において組み合わせられ得る。
【００３３】
最初に図１を参照すると、ブロック図は、様々な実施形態によるワイヤレス通信システム１００の一例を示す。システム１００は、基地局１０５と、ユーザ機器１１５と、基地局コントローラ１２０と、コアネットワーク１３０とを含む（いくつかの実施形態では、コントローラ１２０はコアネットワーク１３０に組み込まれてよく、いくつかの実施形態では、コントローラ１２０は基地局１０５に組み込まれてよい）。システム１００は、複数のキャリア（異なる周波数の波形信号）上での動作をサポートし得る。マルチキャリア送信機は、複数のキャリア上で同時に被変調信号を送信することができる。各被変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであり得る。各被変調信号は、異なるキャリア上で送信されてよく、制御情報（たとえば、パイロット信号）、オーバーヘッド情報、データなどを搬送し得る。システム１００は、ネットワークリソースを効率的に割り振ることが可能なマルチキャリアＬＴＥネットワークであり得る。
【００３４】
ユーザ機器１１５は、移動局、ユーザ機器、アクセス端末、加入者ユニットまたはユーザ機器のうちの任意のタイプであってよい。ユーザ機器１１５は、携帯電話とワイヤレス通信デバイスとを含み得るが、携帯情報端末（ＰＤＡ）、スマートフォン、他のハンドヘルドデバイス、ネットブック、ノートブックコンピュータなども含み得る。したがって、ユーザ機器という用語は、任意のタイプのワイヤレス通信デバイスまたはモバイル通信デバイスを含むように、特許請求の範囲を含めて以下に広く解釈されるべきである。
【００３５】
この適用形態全体で、一部のユーザ機器は、フレキシブル帯域幅への対応能力のあるユーザ機器、フレキシブル帯域幅適合ユーザ機器、および／またはフレキシブル帯域幅ユーザ機器と呼ばれ得る。これは全般に、ユーザ機器がフレキシブル対応またはフレキシブル適合であることを意味し得る。一般に、これらのデバイスは、１つまたは複数の通常の無線アクセスネットワーク（ＲＡＴ）に関する通常の機能も可能であり得る。フレキシブル対応またはフレキシブル適合を意味するものとしての、フレキシブルという用語の使用は全般に、システム１００の他の態様に対して、たとえばコントローラ１２０および／または基地局１０５について、または無線アクセスネットワークに対して適用可能であり得る。
【００３６】
基地局１０５は、基地局アンテナを介してユーザ機器１１５とワイヤレスに通信することができる。基地局１０５は、複数のキャリアを介してコントローラ１２０の制御下でユーザ機器１１５と通信するように構成され得る。基地局１０５のサイトの各々は、それぞれの地理的エリアに通信カバレッジを与えることができる。いくつかの実施形態では、基地局１０５は、ＮｏｄｅＢ、ｅＮｏｄｅＢ、Ｈｏｍｅ  ＮｏｄｅＢ、および／またはＨｏｍｅ  ｅＮｏｄｅＢと呼ばれることがある。ここでは、各基地局１０５に対するカバレッジエリアは、１１０−ａ、１１０−ｂまたは１１０−ｃとして識別される。基地局に対するカバレッジエリアは、セクタ（図示されないが、カバレッジエリアの一部分だけを構成する）に分割され得る。システム１００は、異なるタイプの基地局１０５（たとえば、マクロ基地局、マイクロ基地局、フェムト基地局、および／またはピコ基地局）を含み得る。
【００３７】
様々な実施形態によれば、ユーザ機器１１５、基地局１０５、コアネットワーク１３０、および／またはコントローラ１２０のような、システム１００の様々な態様が、フレキシブル帯域幅とフレキシブル波形とを利用するように構成され得る。システム１００は、たとえば、ユーザ機器１１５と基地局１０５との間の送信１２５を示す。送信１２５は、ユーザ機器１１５から基地局１０５へのアップリンク送信および／もしくは逆方向リンク送信、ならびに／または、基地局１０５からユーザ機器１１５へのダウンリンク送信および／または順方向リンク送信を含み得る。送信１２５はフレキシブル波形および／または通常の波形を含み得る。通常の波形は、レガシー波形および／または通常の波形と呼ばれることもある。
【００３８】
様々な実施形態によれば、ユーザ機器１１５、基地局１０５、コアネットワーク１３０、および／またはコントローラ１２０のような、システム１００の様々な態様が、フレキシブル帯域幅とフレキシブル波形とを利用するように構成され得る。たとえば、システム１００の様々な態様は、通常の波形に適合するのに十分大きくないことがあるスペクトルの部分を利用し得る。ユーザ機器１１５、基地局１０５、コアネットワーク１３０、および／またはコントローラ１２０などのデバイスは、フレキシブル帯域幅および／またはフレキシブル波形を生成および／または利用するために、チップレート、拡散率、および／またはスケーリング係数（scaling factor）を適合するように構成され得る。システム１００のいくつかの態様は、通常のサブシステムの時間に関してフレキシブルサブシステムの時間を拡張または縮小することを通じて、（他のユーザ機器１１５および／または基地局１０５を使用して実装され得る）通常のサブシステムに関して生成され得るフレキシブルサブシステム（いくつかのユーザ機器１１５および／または基地局１０５のような）を形成し得る。
【００３９】
いくつかの実施形態では、ユーザ機器１１５、基地局１０５、コアネットワーク１３０、および／またはコントローラ１２０のようなシステム１００の様々な態様は、フレキシブル帯域幅のシステムと、通常帯域幅のシステムおよび／または他のフレキシブル帯域幅のシステムのような他の帯域幅のシステムとの間の移動性のために構成され得る。ユーザ機器１１５、基地局１０５、コアネットワーク１３０、および／またはコントローラ１２０のような、システム１００の様々な態様は、異なる帯域幅のシステムの間の移動性を提供するように構成されてよく、回線交換音声サービスのような回線交換サービスをサポートするのを支援することができる。ユーザ機器１１５、基地局１０５、コアネットワーク１３０、および／またはコントローラ１２０のような、システム１００の様々な態様は、ユーザ機器１１５のような、フレキシブル帯域幅への対応能力のあるデバイスを判定することを実現するように構成され得る。いくつかの実施形態は、コアネットワークリダイレクトを伴い、ＣＮリダイレクトにおいて、コアネットワーク１３０は、フレキシブル帯域幅のシステムがＣＳサービスをサポートしない場合、ＣＳ音声サービスのような回線交換サービスの処理を管理することができる。ユーザ機器１１５、基地局１０５、コアネットワーク１３０、および／またはコントローラ１２０のようなシステム１００の様々な態様は、フレキシブル帯域幅のシステムがＣＳサービスをサポートしない場合、基地局１０５および／またはコントローラ１２０を含み得る無線アクセスネットワークにより管理および／または決定された、ＣＳ音声サービスのようなＣＳサービスの処理を実現するように構成され得る。ユーザ機器１１５、基地局１０５、コアネットワーク１３０、および／またはコントローラ１２０のような、システム１００の様々な態様は、フレキシブル帯域幅のシステムへの移行またはスプリングフォワードを実現するように構成され得る。ユーザ機器１１５、基地局１０５、コアネットワーク１３０、および／またはコントローラ１２０のような、システム１００の様々な態様は、一部またはすべてのＣＳサービス（たとえば、ＣＳ音声）に対するサポートを有さない非フレキシブルシステム、他のフレキシブル帯域幅のシステム、および／またはＣＳ音声サービスをネイティブにサポートするシステムへの、フレキシブル帯域幅のシステムからの移行またはフォールバックを実現するように構成され得る。
【００４０】
図２Ａは、様々な実施形態による、基地局１０５−ａとユーザ機器１１５−ａとを伴うワイヤレス通信システム２００−ａの例を示し、フレキシブル帯域幅波形２１０−ａは、通常の波形２２０−ａに適合するのに十分広くないスペクトルの一部分に適合する。システム２００−ａは、図１のシステム１００の一例であり得る。いくつかの実施形態では、フレキシブル帯域幅波形２１０−ａは、基地局１０５−ａおよび／またはユーザ機器１１５−ａのいずれかが送信し得る通常の波形２２０−ａと重複し得る。いくつかの場合には、通常の波形２２０−ａは、フレキシブル帯域幅波形２１０−ａと完全に重複し得る。いくつかの実施形態は、複数のフレキシブル帯域幅波形２１０も利用し得る。いくつかの実施形態では、別の基地局および／またはユーザ機器（図示されず）は、通常の波形２２０−ａおよび／またはフレキシブル帯域幅波形２１０−ａを送信することができる。図２Ｂは、基地局１０５−ｂとユーザ機器１１５−ｂとを伴うワイヤレス通信システム２００−ｂの一例を示し、ここで、フレキシブル帯域幅波形２１０−ｂは、バンドのエッジの近くのスペクトルの一部分に適合し、それは、通常の波形２２０−ｂが適合しない可能性のあるガードバンドであり得る。システム２００−ｂは、図１のシステム１００の一例であり得る。ユーザ機器１１５−ａ／１１５−ｂおよび／または基地局１０５−ａ／１０５−ｂは、様々な実施形態によれば、フレキシブル帯域幅波形２１０−ａ／２１０−ｂの帯域幅を動的に調整するように構成され得る。
【００４１】
図２Ｃは、様々な実施形態による、フレキシブル帯域幅波形２１０−ｃが通常の波形２２０−ｃと部分的に重複する、ワイヤレス通信システム２００−ｃの一例を示す。システム２００−ｃは、図１のシステム１００の一例であり得る。図２Ｄは、様々な実施形態による、フレキシブル帯域幅波形２１０−ｄが通常の波形２２０−ｄと完全に重複する、ワイヤレス通信システム２００−ｄの一例を示す。システム２００−ｄは、図１のシステム１００の一例であり得る。図２Ｅは、様々な実施形態による、１つのフレキシブル帯域幅波形２１０−ｆが通常の波形２２０−ｅと完全に重複し、別のフレキシブル帯域幅波形２１０−ｅが通常の波形２２０−ｅと部分的に重複する、ワイヤレス通信システム２００−ｅの一例を示す。システム２００−ｅは、図１のシステム１００の一例であり得る。図２Ｆは、様々な実施形態による、１つの通常の波形２２０−ｆが別の通常の波形２２０−ｇと部分的に重複する、ワイヤレス通信システム２００−ｆの一例を示す。システム２００−ｆは、図１のシステム１００の一例であり得る。システム２００−ｃ、２００−ｄ、２００−ｅ、および／または２００−ｆは、フレキシブル帯域幅波形２１０−ｃ、２１０−ｄ、および／または２１０−ｅの帯域幅が様々な実施形態に従って動的に調整され得るように、構成され得る。
【００４２】
一般に、第１の波形またはキャリア帯域幅および第２の波形またはキャリア帯域幅は、それらが少なくとも１％、２％、および／または５％重複すると、部分的に重複し得る。いくつかの実施形態では、部分的な重複は、重複が少なくとも１０％である場合に起こり得る。いくつかの実施形態では、部分的な重複は、９９％、９８％、および／または９５％未満であり得る。いくつかの実施形態では、重複は９０％未満であり得る。いくつかの場合には、フレキシブル帯域幅波形またはキャリア帯域幅は、図２のシステム２００−ｄで見られるような別の波形またはキャリア帯域幅内に完全に含まれ得る。この２つの波形またはキャリア帯域幅は完全には一致していないので、この重複は依然として部分的な重複を示す。一般に、部分的な重複は、２つ以上の波形またはキャリア帯域幅が完全には一致しないこと（すなわち、キャリア帯域幅が同一ではないこと）を意味し得る。
【００４３】
いくつかの実施形態は、電力スペクトル密度（ＰＳＤ）に基づく、重複の異なる定義を利用することができる。たとえば、ＰＳＤに基づく重複の１つの定義が、第１のキャリアに対する次の重複の式において示される。
【数１】
2015507396.tif 000003
【００４４】
この式において、ＰＳＤ1（ｆ）は第１の波形またはキャリア帯域幅に対するＰＳＤであり、ＰＳＤ2（ｆ）は第２の波形またはキャリア帯域幅に対するＰＳＤである。この２つの波形またはキャリア帯域幅が一致する場合、重複の式は１００％に等しくなり得る。第１の波形またはキャリア帯域幅と第２の波形またはキャリア帯域幅が少なくとも部分的に重複する場合、重複の式は１００％に等しくなり得ない。たとえば、いくつかの実施形態では、重複の式は、１％、２％、５％、および／または１０％以上の部分的な重複となり得る。いくつかの実施形態では、重複の式は、９９％、９８％、９５％、および／または９０％以下の部分的な重複となり得る。第１の波形またはキャリア帯域幅が通常の波形またはキャリア帯域幅であり、第２の波形またはキャリア波形が通常の帯域幅またはキャリア帯域幅に含まれるフレキシブル帯域幅波形またはキャリア帯域幅である場合、重複の式は、百分率として書かれる、通常の帯域幅に対するフレキシブル帯域幅の比率を表し得ることに、留意することができる。さらに、重複の式は、重複の式がどのキャリア帯域幅の観点で定式化されるかに依存し得る。いくつかの実施形態は、重複の他の定義を利用し得る。いくつかの場合には、別の重複が、次のような平方根演算を利用して定義され得る。
【数２】
2015507396.tif 000004
【００４５】
他の実施形態は、複数の重複するキャリアを考慮し得る、他の重複の式を利用することができる。
【００４６】
図３Ａは、様々な実施形態による、基地局１０５−ｃとユーザ機器１１５−ｃおよび１１５−ｄとを伴うワイヤレス通信システム３００−ａを示す。ユーザ機器１１５−ｃおよび／もしくは１１５−ｄ、ならびに／または基地局１０５−ｃのようなシステム３００−ａの様々な態様は、フレキシブル帯域幅のシステムと、通常帯域幅のシステムおよび／または他のフレキシブル帯域幅のシステムのような他の帯域幅のシステムとの間の移動性のために構成され得る。ユーザ機器１１５−ｃおよび／もしくは１１５−ｄ、ならびに／または基地局１０５−ｃのようなシステム３００−ａの様々な態様は、異なる帯域幅の間の移動性を提供するように構成されてよく、回線交換音声サービスのような回線交換サービスをサポートするのを支援することができる。ユーザ機器１１５−ｃおよび／もしくは１１５−ｄ、ならびに／または基地局１０５−ｃのようなシステム３００−ａの様々な態様は、ユーザ機器１１５−ｃおよび／または１１５−ｄのようなフレキシブル帯域幅への対応能力のあるデバイスを判定することを実現するように構成され得る。いくつかの実施形態は、コアネットワークリダイレクトを伴い、コアネットワークリダイレクトにおいて、コアネットワークは、フレキシブル帯域幅のシステムがＣＳサービスをサポートしない場合、ＣＳ音声サービスのような回線交換サービスの処理を管理することができる。ユーザ機器１１５−ｃおよび／もしくは１１５−ｄ、ならびに／または基地局１０５−ｃのようなシステム３００−ａの様々な態様は、フレキシブル帯域幅のシステムがＣＳサービスをサポートしない場合、基地局１０５−ｃを含み得る無線アクセスネットワークにより管理および／または決定された、ＣＳ音声サービスのようなＣＳサービスの処理を実現するように構成され得る。ユーザ機器１１５−ｃおよび／もしくは１１５−ｄ、ならびに／または基地局１０５−ｃのようなシステム３００−ａの様々な態様は、フレキシブル帯域幅のシステムへの移行またはスプリングフォワードを実現するように構成され得る。ユーザ機器１１５−ｃおよび／もしくは１１５−ｄ、ならびに／または基地局１０５−ｃのようなシステム３００−ａの様々な態様は、一部またはすべてのＣＳサービス（たとえば、ＣＳ音声）に対するサポートを有さない非フレキシブルシステム、他のフレキシブル帯域幅のシステム、および／またはＣＳ音声サービスをネイティブにサポートするシステムへの、フレキシブル帯域幅のシステムからの移行またはフォールバックを実現するように構成され得る。
【００４７】
ユーザ機器１１５−ｃ／１１５−ｄと基地局１０５−ａとの間の送信３０５−ａおよび／または３０５−ｂは、通常の波形よりも少量の（または多量の）帯域幅を占有するように生成され得る、フレキシブル帯域幅波形を利用することができる。たとえば、帯域のエッジにおいて、通常の波形を配置するのに十分な利用可能なスペクトルがないことがある。フレキシブル帯域幅波形では、時間が拡張されるにつれて、波形によって占有される周波数が減少するので、通常の波形に適合するのに十分広くない可能性があるスペクトルにフレキシブル帯域幅波形を適合することが可能になる。いくつかの実施形態では、フレキシブル帯域幅波形は、通常の波形に関してスケーリング係数Ｎを利用してスケーリングされ得る。スケーリング係数Ｎは、限定はされないが、１、２、３、４、８などのような整数値を含む、多数の異なる値をとり得る。しかしながら、Ｎは整数ではなくてもよい。
【００４８】
いくつかの実施形態は、追加の用語を利用し得る。新たなユニットＤが利用され得る。ユニットＤは拡張される。ユニットは単位がなく、Ｎという値を有する。フレキシブルシステムにおける時間について、「拡張された時間」を単位として話すことができる。たとえば、通常の時間でたとえば１０ｍｓのスロットは、フレキシブル時間では１０Ｄｍｓと表され得る（注意：通常の時間でも、通常の時間ではＮ＝１なのでこれは成り立つ。Ｄは１という値を有するので、１０Ｄｍｓ＝１０ｍｓである。）タイムスケーリングでは、ほとんどの「秒」を「拡張された秒」で置き換えることができる。ヘルツ単位の周波数は１／ｓであることに留意されたい。
【００４９】
上で論じられたように、フレキシブル帯域幅波形は、通常の波形よりも少量の帯域幅を占有する波形であり得る。したがって、フレキシブル帯域幅のシステムでは、通常帯域幅のシステムと比較して、同数のシンボルおよびビットがより長い時間をかけて送信され得る。これにより時間の延長が生じることがあり、それにより、スロット期間、フレーム期間などがスケーリング係数Ｎの分増加することがあり、スケーリング係数Ｎは、フレキシブル帯域幅（ＢＷ）に対する通常の帯域幅の比を表し得る。したがって、フレキシブル帯域幅のシステムにおけるデータレートは（通常レート×１／Ｎ）に等しくなり得るとともに、遅延は（通常遅延×Ｎ）に等しくなり得る。一般に、フレキシブルシステムチャネルＢＷ＝通常システムのチャネルＢＷ／Ｎである。遅延×ＢＷは不変のままであり得る。さらに、いくつかの実施形態では、フレキシブル帯域幅波形は、通常の波形よりも多くの帯域幅を占有する波形であり得る。
【００５０】
本明細書全体にわたって、通常のシステム、通常のサブシステム、および／または通常の波形という用語は、１に等しくなり得るスケーリング係数（たとえば、Ｎ＝１）を利用し得る実施形態を伴う、または、通常のもしくは標準的なチップレートを伴う、システム、サブシステム、および／または波形を指すために利用され得る。これらの通常のシステム、通常のサブシステム、および／または通常の波形は、標準および／またはレガシーシステム、標準および／またはレガシーサブシステム、ならびに／あるいは標準および／またはレガシー波形と呼ばれることもある。さらに、フレキシブルシステム、フレキシブルサブシステム、および／またはフレキシブル波形は、１に等しくないことがあるスケーリング係数（たとえば、Ｎ＝２、４、８、１／２、１／４など）を利用し得る実施形態を伴う、システム、サブシステム、および／または波形を指すために利用され得る。Ｎ＞１では、またはチップレートが低下した場合、波形の帯域幅は減少し得る。いくつかの実施形態は、帯域幅を増加させるスケーリング係数またはチップレートを利用し得る。たとえば、Ｎ＜１である場合、またはチップレートが上昇した場合、波形は通常の波形よりも広い帯域幅をカバーするために拡大され得る。フレキシブルシステム、フレキシブルサブシステム、および／またはフレキシブル波形は、場合によっては、フラクショナルシステム、フラクショナルサブシステム、および／またはフラクショナル波形と呼ばれることもある。フラクショナルシステム、フラクショナルサブシステム、および／またはフラクショナル波形は、たとえば、帯域幅を変更することも変更しないこともある。フラクショナルシステム、フラクショナルサブシステム、またはフラクショナル波形は、それが、通常のまたは標準的なシステム、通常のまたは標準的なサブシステム、または通常のまたは標準的な波形（たとえば、Ｎ＝１システム）よりも多くの可能性をもたらし得るので、フレキシブルであり得る。さらに、フレキシブルという用語の使用はまた、フレキシブル帯域幅に対応することを意味するために利用され得る。
【００５１】
次に図３Ｂを参照すると、ブロック図は、ワイヤレス通信システム３００−ｂの例を示す。システム３００−ｂは、図１に関して説明されたシステム１００の一例であり得る。ＮｏｄｅＢ  １０５および無線ネットワークコントローラ（ＲＮＣ）１２０は、ワイヤレス通信システム３００−ｂの一部である。示される例では、システムは、ＵＭＴＳ  Ｔｅｒｒｅｓｔｒｉａｌ  Ｒａｄｉｏ  Ａｃｃｅｓｓ  Ｎｅｔｗｏｒｋ（ＵＴＲＡＮ）１２１−ａとフレキシブルＵＭＴＳ（Ｆ−ＵＭＴＳ）１２１−ｂ（または一般的にはＵＴＲＡＮ  １２１）を含む。ＵＴＲＡＮ  １２１は、ＵＭＴＳ無線アクセスネットワークを構成する、ＮｏｄｅＢ  １０５（または基地局）と、ＮｏｄｅＢ  １０５が含んでいるＮｏｄｅＢ  １０５（またはＲＮＣ  １２０）用の制御機器との総称であり得る。これは、リアルタイム回線交換とＩＰベースパケット交換との両方のトラフィックタイプを搬送することができる、３Ｇ通信ネットワークであり得る。ＵＴＲＡＮ  １２１は、ユーザ機器（ＵＥ）１１５−ｅのためのエアインターフェースアクセス方法を提供することができる。ＵＴＲＡＮ  １２１−ａおよび／またはＦ−ＵＴＲＡＮ  １２１−ｂによって、ＵＥ  １１５−ｅとコアネットワーク１３０−ａとの間に接続が提供される。ＵＴＲＡＮ  １２１は、複数のＵＥ  １１５−ｅにデータパケットをトランスポートすることができる。
【００５２】
ＵＴＲＡＮ  １２１は、多数のインターフェースによって他の機能エンティティに内部でまたは外部で接続され得る。ＵＴＲＡＮ  １２１は、ＲＮＣ  １２０によってサポートされる外部インターフェースを介して、コアネットワーク１３０−ａと通信していてよい。加えて、ＲＮＣ  １２０は、ＮｏｄｅＢ  １０５と呼ばれる基地局のセットを管理する。ＲＮＣ  １２０はまた、互いに通信していてもよい。ＲＮＣ  １２０は相互接続され得るので、ＵＴＲＡＮ  １２１は、コアネットワーク１３０−ａからは大部分が自律的であり得る。ＮｏｄｅＢ  １０５は、ＵＥ  １１５−ｅとワイヤレス通信していてよい。システムはさらに、企業イントラネット、インターネット、または従来の公衆交換電話網のような追加のネットワーク（図示されず）に接続されていてよく、各ＵＥ  １１５−ｅとそのような外部ネットワークとの間でデータパケットをトランスポートすることができる。
【００５３】
各ＲＮＣ  １２０は、複数の役割を果たすことができる。第１に、ＲＮＣ  １２０は、ＮｏｄｅＢ  １０５を使用しようと試みる新しいＵＥ  １１５−ｅまたはサービスの承認を制御し得る。第２に、ＮｏｄｅＢ  １０５または基地局の観点からは、ＲＮＣ  １２０は制御ＲＮＣ  １２０であり得る。承認を制御することは、ＵＥ  １１５−ｅが、ネットワークが利用可能にした量までの無線リソース（帯域幅および信号対雑音比）を割り振られ得ることを確実にする。ＲＮＣ  １２０は、ＵＥ  １１５−ｅのリンク層通信を終了することができる。
【００５４】
エアインターフェースの場合、ＵＭＴＳは、広帯域符号分割多元接続（またはＷ−ＣＤＭＡ）として知られる広帯域スペクトル拡散モバイルエアインターフェースを使用することが多い。Ｗ−ＣＤＭＡは、別々のユーザに対して直接シーケンス符号分割多元接続シグナリング方法（またはＣＤＭＡ）を使用する。Ｗ−ＣＤＭＡは、モバイル通信のための第３世代規格である。Ｗ−ＣＤＭＡは、限られたデータ機能をもつ音声通信に適応する、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）／ＧＰＲＳ、第２世代規格から発展した。Ｗ−ＣＤＭＡの最初の商用展開は、Ｗ−ＣＤＭＡリリース９９と呼ばれる規格のバージョンに基づく。エアインターフェースはまた、フレキシブル帯域幅を利用するように構成され得る。
【００５５】
様々な実施形態によれば、ユーザ機器１１５−ｅ、基地局１０５−ｅ、コアネットワーク１３０−ａ、ＲＮＣ  １２０−ｂ、および／またはＦ−ＵＴＲＡＮ  １２１−ｂのような、システム３００−ｂの様々な態様が、フレキシブル帯域幅とフレキシブル波形とを利用するように構成され得る。たとえば、システム３００−ｂの様々な態様は、通常の波形に適合するのに十分大きくないことがあるスペクトルの部分を利用し得る。ユーザ機器１１５−ｅ、基地局１０５−ｅ、コアネットワーク１３０−ａ、ＲＮＣ  １２０−ｂ、および／またはＦ−ＵＴＲＡＮ  １２１−ｂのような、ユーザ機器１１５、基地局１０５、コアネットワーク１３０、および／またはコントローラ１２のようなデバイスは、フレキシブル帯域幅および／またはフレキシブル波形を生成および／または利用するように、チップレート、拡散率、および／またはスケーリング係数を適合するように構成され得る。システム３００−ｂのいくつかの態様は、通常のサブシステムの時間に関してフレキシブル帯域幅サブシステムの時間を拡張または縮小することを通じて、（他のユーザ機器１１５および／または基地局１０５を使用して実装され得る）通常のサブシステムに関して生成され得るフレキシブル帯域幅サブシステム（いくつかのユーザ機器１１５および／または基地局１０５のような）を形成し得る。
【００５６】
いくつかの実施形態では、ユーザ機器１１５−ｅ、基地局１０５−ｅ、コアネットワーク１３０−ａ、ＲＮＣ  １２０−ｂ、および／またはＦ−ＵＴＲＡＮ  １２１−ｂのような、システム３００−ｂの様々な態様は、フレキシブル帯域幅のシステムと、通常帯域幅のシステムおよび／または他のフレキシブル帯域幅のシステムのような他の帯域幅のシステムとの間の移動性のために構成され得る。ユーザ機器１１５−ｅ、基地局１０５−ｅ、コアネットワーク１３０−ａ、ＲＮＣ  １２０−ｂ、および／またはＦ−ＵＴＲＡＮ  １２１−ｂのような、システム３００−ｂの様々な態様は、異なる帯域幅のシステムの間の移動性を提供するように構成され得、回線交換音声サービスのような回線交換サービスをサポートするのを支援することができる。ユーザ機器１１５−ｅ、基地局１０５−ｅ、コアネットワーク１３０−ａ、ＲＮＣ  １２０−ｂ、および／またはＦ−ＵＴＲＡＮ  １２１−ｂのような、システム３００−ｂの様々な態様は、ユーザ機器１１５−ｅのようなフレキシブル帯域幅への対応能力のあるデバイスを判定することを実現するように構成され得る。いくつかの実施形態は、コアネットワークリダイレクトを伴い、コアネットワークリダイレクトにおいて、コアネットワーク１３０−ａは、フレキシブル帯域幅のシステムがＣＳサービスをサポートしない場合、ＣＳ音声サービスのような回線交換サービスの処理を管理することができる。ユーザ機器１１５−ｅ、基地局１０５−ｅ、コアネットワーク１３０−ａ、ＲＮＣ  １２０−ｂ、および／またはＦ−ＵＴＲＡＮ  １２１−ｂのような、システム３００−ｂの様々な態様は、フレキシブル帯域幅のシステムがＣＳサービスをサポートしない場合、ＵＴＲＡＮ  １２１−ａおよび／またはＦ−ＵＴＲＡＮ  １２１０−ｂを含み得る無線アクセスネットワークにより管理および／または決定された、ＣＳ音声サービスのようなＣＳサービスの処理を実現するように構成され得る。ユーザ機器１１５−ｅ、基地局１０５−ｅ、コアネットワーク１３０−ａ、ＲＮＣ  １２０−ｂ、および／またはＦ−ＵＴＲＡＮ  １２１−ｂのような、システム３００−ｂの様々な態様は、フレキシブル帯域幅のシステムへの移行またはスプリングフォワードを実現するように構成され得る。ユーザ機器１１５−ｅ、基地局１０５−ｅ、コアネットワーク１３０−ａ、ＲＮＣ  １２０−ｂ、および／またはＦ−ＵＴＲＡＮ  １２１−ｂのような、システム３００−ｂの様々な態様は、一部またはすべてのＣＳサービス（たとえば、ＣＳ音声）に対するサポートを有さない非フレキシブルシステム、他のフレキシブル帯域幅のシステム、および／またはＣＳ音声サービスをネイティブにサポートするシステムへの、フレキシブル帯域幅のシステムからの移行またはフォールバックを実現するように構成され得る。
【００５７】
フレキシブル帯域幅のシステムと通常帯域幅のシステムとの間での移動性のための、方法、システム、およびデバイスが提供される。いくつかの実施形態は、ユーザ機器が利用し得るサービスに基づいて、フレキシブル対応ユーザ機器がフレキシブル帯域幅のシステムおよび／または通常帯域幅のシステムに登録されることを実現する。たとえば、ユーザ機器は、フレキシブル帯域幅のシステムがサポートできない回線交換音声サービスをサポートできる、通常帯域幅のシステムに登録され得るが、パケット交換サービス、場合によっては一部の回線交換サービスのような他のサービスは、フレキシブル帯域幅のシステムを通じて提供され得る。いくつかの実施形態は、コアネットワークが、ユーザ機器のフレキシブル能力、または、フレキシブル対応無線アクセスネットワーク（ＲＡＮ）のようなワイヤレス通信システムの他の態様を認識し得る状況、または認識し得ない状況を伴い得る。いくつかの実施形態は、コアネットワークおよび／またはＲＡＮが、能力および／または使用法に基づいて、回線交換音声サービスまたは他のサービスを異なるネットワークにリダイレクトすることを実現し得る。さらに、いくつかの実施形態は、フレキシブル帯域幅のシステムから通常帯域幅のシステムへの移行またはフォールバックを実現するように構成され得る。いくつかの実施形態は、通常帯域幅のシステムからフレキシブル帯域幅のシステムへの移行またはスプリングフォワードを実現し得る。
【００５８】
いくつかのフレキシブル帯域幅のシステムでは、音声をサポートすることは様々な問題を提起し得る。たとえば、音声のデータレートが下がることがあり、かつ／または追加の遅延が生じることがある。いくつかの実施形態は、フレキシブル帯域幅ＵＴＲＡＮのようなフレキシブル帯域幅のシステムにおいてネイティブの音声サポートを利用せずに、そのような問題に対処し得る。いくつかの実施形態は、回線交換音声のための、他のＲＡＴ（たとえば、ＧＥＲＡＮ、ＵＴＲＡＮ、ＣＤＭＡ  １ｘ）への移行および／またはフォールバックを含み得る。そのような問題に対処するために、フレキシブル帯域幅ＵＴＲＡＮのようなフレキシブル帯域幅のシステムと、ＣＳ音声をネイティブにサポートする１つまたは複数の非フレキシブル帯域幅のシステム（たとえば、ＧＥＲＡＮ／ＵＴＲＡＮ（音声フォールバックのための））との間の移動性、および、（より良好なカバレッジとより高いレートのいずれかのためのＰＳ接続転送のための）その逆の移動性が、サポートされ得る。
【００５９】
以下では、フラクショナル帯域幅ＲＡＮ、フレキシブル帯域幅ＲＡＮ、フラクショナル帯域幅ＵＴＲＡＮ、および／またはフレキシブル帯域幅ＵＴＲＡＮは、同一のものを意味し得る。一般に、この用語は、ＲＮＣと、フレキシブル帯域幅ＵＭＴＳ機能のようなフレキシブル帯域幅機能をサポートするように修正されたＮｏｄｅＢとを含み得る、フレキシブル帯域幅の無線アクセスネットワークを指す。いくつかの実施形態は、実施形態に基づいて、いくつかのコアネットワークを通じて様々な実施形態に従って移動性を提供し得る。これらの実施形態は、コアネットワークの挙動と関連し得る。
【００６０】
いくつかの実施形態では、たとえばフレキシブル帯域幅ＵＭＴＳ、ＵＭＴＳ、およびＧＳＭのための、ロケーションエリア（ＬＡ）および／またはルーティングエリア（ＲＡ）は重複し得るが、セルサイズが異なるので必ずしも同一ではない。フレキシブル帯域幅ＵＭＴＳおよびＵＭＴＳおよび／またはＧＳＭのセルは、部分的にまたは完全に重複し得る。いくつかの実施形態では、ＳＧＳＮおよびＭＳＣサービングＵＭＴＳネットワーク、ＧＳＭおよびフレキシブル帯域幅ＵＭＴＳネットワークは同一である。これは、たとえば、ＵＭＴＳ、ＧＳＭ、およびフレキシブル帯域幅ＵＭＴＳが同じ場所で展開される場合に当てはまり得る。いくつかの実施形態では、フレキシブル帯域幅ＵＴＲＡＮは、ＣＳ音声呼を除き、ＣＳ  ＳＭＳと他のＣＳサービスとをサポートする。ＣＳ音声のために、フレキシブル帯域幅ＵＴＲＡＮは、何らかのＣＳ音声関連のシグナリング（たとえば、ＵＥがＰＳ呼を行っている場合、ＭＴ  ＣＳ音声呼のためのページングタイプ２メッセージ）をサポートし得る。
【００６１】
いくつかの実施形態は、フレキシブル帯域幅ＵＴＲＡＮのようなフレキシブル帯域幅ＲＡＮにおいてＣＳがサポートされない状況を扱うことができる。いくつかの実施形態では、ＣＮは、フレキシブル帯域幅ＵＴＲＡＮがＣＳサービスを提供しないことを認識している。モバイル機器は、たとえば、複合ＩＭＳＩ／ＧＰＲＳ接続（combined IMSI/GPRS Attach）を行うことができる。ＣＮおよび／またはフレキシブル帯域幅ＵＴＲＡＮによるリダイレクトが使用され得る。
【００６２】
いくつかの実施形態は、フレキシブル帯域幅ＵＴＲＡＮのようなフレキシブル帯域幅ＲＡＮにおいて音声サポートを伴わないＣＳが存在する状況を扱うことができる。たとえば、フレキシブル帯域幅ＵＴＲＡＮは、ＣＳシグナリング（たとえば、ＵＥがＰＳ呼を行っている場合、ＭＴ  ＣＳ音声呼のためのページングタイプ２メッセージ）をサポートすることができ、ＳＭＳおよびＣＳデータサービスをサポートすることもしないこともあるが、ＣＳ音声呼はサポートしない。ＣＮは、この音声サポートの欠如を認識することもしないこともある。ＵＥは、複合ＩＭＳＩ／ＧＰＲＳ接続を行うことができる。ＣＮが認識する実施形態では、ＣＮまたはフレキシブル帯域幅ＵＴＲＡＮによるリダイレクトが使用され得る。ＣＮが認識しない実施形態では、フレキシブル帯域幅ＵＴＲＡＮによるリダイレクトが利用され得る。いくつかの実施形態では、ＣＮは、ＵＥが適切なＭＳＣおよびＳＧＳＮに登録されることを確実にすることができる。ＭＳＣおよびＳＧＳＮは、様々なＲＡＴをサポートし得る。
【００６３】
以下では、フレキシブル帯域幅ＵＴＲＡＮのようなフレキシブル帯域幅ＲＡＮにおいてＣＳがサポートされ得ないいくつかの実施形態を説明する。単なる例として、ＵＥは、フレキシブル帯域幅ＵＴＲＡＮにキャンプオン（camp on）していてよい。ＵＥは、フレキシブル帯域幅ＵＴＲＡＮ上で、複合ＧＰＲＳおよびＩＭＳＩ（ＣＳ＋ＰＳ）接続のような、ＣＳ＋ＰＳ登録プロセスに参加し得る。いくつかの実施形態では、ＧＰＲＳ接続はＳＧＳＮによって受信され、ＵＥはＳＧＳＮにおいてＰＳドメインに登録される。いくつかの実施形態では、ＣＮは、フレキシブル帯域幅ＵＴＲＡＮ上でのＣＳのサポートの欠如を認識しており、結果として、ＩＭＳＩ接続は、フレキシブル帯域幅ＵＴＲＡＮのルーティングエリアと重複するルーティングエリアとロケーションエリアとを伴う、ＧＳＭ／ＵＭＴＳネットワークのＭＳＣ／ＶＬＲに転送され得る。いくつかの実施形態では、ＲＡＮの変更およびＣＮの変更が伴い得る。これらの実施形態では、ＣＮリダイレクトとＲＡＮリダイレクトの両方が機能し得る。
【００６４】
次の説明は、図４、図５、図１９、図２０、図２２〜図２４、および図３０〜図３７に示されるものを含む、多数の呼フローを含む。これらの呼フローおよび他の部分は、いくつかの場合、様々なモバイル発信（ＭＯ）（すなわち、ユーザ機器発信）通信および／またはモバイル終端（ＭＴ）（すなわち、ユーザ機器終端）通信を含み得る。これらの呼フローおよび他の部分は、ユーザ機器（ＵＥ）、フレキシブル帯域幅の無線アクセスネットワーク（フレキシブル帯域幅ＲＡＮ）、ＷＣＤＭＡ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ）、ＧＳＭ／ＥＤＧＥ  Ｒａｄｉｏ  Ａｃｃｅｓｓ  Ｎｅｔｗｏｒｋ（ＧＥＲＡＮ）、ＵＭＴＳ  ＵＴＲＡＮ、フレキシブル帯域幅ＵＭＴＳ、複合無線ネットワークコントローラ（ＲＮＣ）、フレキシブル帯域幅ＵＴＲＡＮ、Ｍｏｂｉｌｅ  Ｓｗｉｔｃｈｉｎｇ  Ｃｅｎｔｅｒ（ＭＳＣ）、Ｖｉｓｉｔｏｒ  Ｌｏｃａｔｉｏｎ  Ｒｅｇｉｓｔｅｒ（ＶＬＲ）、Ｓｅｒｖｉｎｇ  Ｇｅｎｅｒａｌ  Ｐａｃｋｅｔ  Ｒａｄｉｏ  Ｓｅｒｖｉｃｅ  Ｓｕｐｐｏｒｔ  Ｎｏｄｅ（ＳＧＳＮ）、および／または、Ｈｏｍｅ  Ｌｏｃａｔｉｏｎ  Ｒｅｇｉｓｔｅｒ（ＨＬＲ）を示し、またはそれらを指し得る。一般に、ＵＥは、この適用形態全体で、ユーザ機器１１５に関して全般に説明されるように実装され得る。フレキシブル帯域幅ＲＡＮ、ＷＣＤＭＡ  ＵＴＲＡＮ、ＧＥＲＡＮ、ＵＭＴＳ  ＵＴＲＡＮ、フレキシブル帯域幅ＵＭＴＳ、および／または複合無線ネットワークコントローラは、この適用形態全体で全般に説明されるように、無線アクセスネットワーク１２１の一部として実装され得る。Ｍｏｂｉｌｅ  Ｓｗｉｔｃｈｉｎｇ  Ｃｅｎｔｅｒ（ＭＳＣ）、Ｖｉｓｉｔｏｒ  Ｌｏｃａｔｉｏｎ  Ｒｅｇｉｓｔｅｒ（ＶＬＲ）、Ｓｅｒｖｉｎｇ  Ｇｅｎｅｒａｌ  Ｐａｃｋｅｔ  Ｒａｄｉｏ  Ｓｅｒｖｉｃｅ  Ｓｕｐｐｏｒｔ  Ｎｏｄｅ（ＳＧＳＮ）、および／またはＨｏｍｅ  Ｌｏｃａｔｉｏｎ  Ｒｅｇｉｓｔｅｒ（ＨＬＲ）は、この適用形態全体で全般に説明されるように、コアネットワーク１３０の一部として実装され得る。
【００６５】
たとえば、図４を見ると、様々な実施形態による、フレキシブル帯域幅ＵＴＲＡＮ上でＣＳのサポートが存在しない可能性がある場合のＵＥの登録に関与する、呼のフロー４００が示されている。呼のフロー４００では、ＧＰＲＳ接続がＳＧＳＮによって実行され得る。ＨＬＲは、ＳＧＳＮに情報を提供して、適切なＭＳＣをＳＧＳＮが見つけるのを支援することができる。ＩＭＳＩ接続は、フレキシブル帯域幅ＵＭＴＳ  ＲＡと重複するＬＡ／ＲＡを伴うＵＭＴＳ／ＧＳＭネットワークをサポートするＭＳＣ／ＶＬＲに転送され得る。この例では、「接続受け入れ」メッセージにおけるＬＡＬおよびＲＡＩは、異なるネットワークに属し得る。図４には示されていないが、「接続受け入れ」がＵＥに送信される前に、通常は、認証およびセキュリティコマンドが、ＵＥとＣＮネットワークとの間で交換され得る。
【００６６】
いくつかの実施形態は、ＣＳシグナリングがフレキシブル帯域幅ＲＡＮによってサポートされ得るがフレキシブル帯域幅ＵＴＲＡＮのようなフレキシブル帯域幅ＲＡＮ上で音声がサポートされない、フレキシブル帯域幅のシステムを含む。単なる例として、ＵＥは、フレキシブル帯域幅ＵＴＲＡＮにキャンプオンしていてよい。ＵＥは、フレキシブル帯域幅ＵＴＲＡＮ上で複合ＩＭＳＩおよびＧＰＲＳ接続を実行することができる。いくつかの実施形態では、一部のＣＳシグナリング、および場合によっては一部のサービス（たとえば、ＳＭＳ、ＣＳデータなど）がフレキシブル帯域幅ＵＴＲＡＮにおいてサポートされるが、音声はサポートされないことを、ＣＮは認識している。ＣＮは、フレキシブル帯域幅ＵＴＲＡＮ上でのＣＳ’呼およびＰＳ呼（ここで、ＣＳ’はＣＳ音声以外のすべてのＣＳサービスを意味する）、ならびに、ＵＭＴＳまたはＧＳＭのような、音声をサポートし得る別のＲＡＮ上でのＣＳ音声のために、ＵＥを登録することができる。ＭＴ／ＭＯ  ＣＳ（音声を除く）およびＰＳ呼は、フレキシブル帯域幅ＵＴＲＡＮ上で処理され得る。ＭＴ  ＣＳ通知がＵＭＴＳまたはＧＳＭに接続されたＭＳＣにおいて受信されると、非音声ＣＳをサポートするＭＳＣまたは（フレキシブル帯域幅ＵＴＲＡＮのための）ＳＧＳＮを通じて、呼出しがＵＥに転送されてよく、ＵＥは、ＧＳＭまたはＵＭＴＳのような、別のＣＳ音声サポートシステムにリダイレクトされ得る。ＣＮリダイレクトおよび／またはＲＡＮリダイレクトの両方が機能し得る。いくつかの場合には、ＲＡＮの変更およびＣＮの変更が実施され得る。
【００６７】
単なる例として、ＵＥは、フレキシブル帯域幅ＵＴＲＡＮにキャンプオンしていてよい。ＵＥは、フレキシブル帯域幅ＵＴＲＡＮ上で複合ＩＭＳＩおよびＧＰＲＳ接続を実行することができる。いくつかの実施形態では、ＣＮは、フレキシブル帯域幅ＵＴＲＡＮが音声サービスをサポートしないことを認識しないので、ＣＮは、フレキシブル帯域幅ＵＴＲＡＮ上でのＣＳ＋ＰＳ呼のためにＵＥを登録し得る。ＭＴ／ＭＯ  ＣＳ（音声を除く）およびＰＳ呼は、フレキシブル帯域幅ＵＴＲＡＮ上で処理され得る。ＭＴ  ＣＳ通知がＭＳＣにおいて受信されると、呼出しがＵＥに送信され得、ＵＥは、ＧＳＭまたはＵＭＴＳのような別の音声サポートネットワークにリダイレクトされ得る。いくつかの実施形態では、ＲＡＮリダイレクトが利用される。いくつかの実施形態では、ＲＡＮの変更が行われ得る。
【００６８】
図５は、フレキシブル帯域幅ＲＡＮ上でＰＳのサポートと一部のＣＳサポートが存在し得る、様々な実施形態による登録プロセスの呼のフロー５００の一例を示す。ＨＬＲは、ＳＧＳＮに情報を提供して、適切なＭＳＣをＳＧＳＮが見つけるのを支援することができる。ＩＭＳＩ接続が、フレキシブル帯域幅ＵＴＲＡＮをサポートするＭＳＣ／ＶＬＲに転送され得る。「接続受け入れ」メッセージ中のＬＡＩおよびＲＡＩは、フレキシブル帯域幅ＵＴＲＡＮに属し得る。図５には示されていないが、「接続受け入れ」がＵＥに送信される前に、通常は、認証およびセキュリティコマンドが、ＵＥとＣＮネットワークとの間で交換され得る。
【００６９】
フレキシブル帯域幅への対応能力のあるデバイスを識別するための方法、システム、およびデバイスが提供される。これらの方法、システム、および／またはデバイスは、たとえば、図６のデバイス６００、図７のＲＡＮ  １２１、図８のＵＥ  １１５、図９Ａの方法９００−ａ、図９Ｂの方法９００−ｂ、および／または図９Ｃの方法９００−ｃを含み得る。いくつかの実施形態は、ユーザ機器（ＵＥ）のような、フレキシブル帯域幅への対応能力のあるデバイスを判定することを実現する。いくつかの実施形態では、フレキシブル帯域幅への対応能力のあるＵＥは、ＵＥがフレキシブル帯域幅の無線アクセスネットワークをサポートするかどうかを示すメッセージを送信する。これらのメッセージは、たとえば、無線アクセスネットワークから様々なメッセージを受信することに応答するものであり得る。いくつかの実施形態は、様々なタイプのメッセージを受信したことに応答してこれらの様々なＵＥが送信し得る、または送信し得ない様々なメッセージを通じて、フレキシブル帯域幅への対応能力のあるＵＥに対してレガシーＵＥを区別することを可能にする。たとえば、レガシーＵＥは、フレキシブル帯域幅の無線アクセスネットワークに関連するメッセージを受信すると、失敗メッセージを送信し得、一方、フレキシブル帯域幅への対応能力のあるＵＥは、失敗メッセージを送信しないことを通じて、異なるように応答し得る。フレキシブル帯域幅への対応能力のあるＵＥはまた、通常帯域幅ＵＭＴＳのような、通常帯域幅のシステムもサポートし得る。これらのツールおよび技法は、無線アクセスネットワークおよび／またはコアネットワークが、どのＵＥがフレキシブル帯域幅への対応能力を有するかを判定することを可能にし得る。
【００７０】
いくつかの実施形態は、標準化された解決法を通じて、フレキシブル帯域幅ＵＥを識別することを含む。ＵＴＲＡＮは、「ＵＥ能力問合せ」メッセージを、接続モードフレキシブル帯域幅ＵＭＴＳおよび通常のＵＭＴＳのＵＥへ、それらが通常帯域幅ＵＭＴＳキャリア上で接続モードにある間に送信することができる。ＵＥ能力問合せは、ＵＥによってサポートされる任意の無線アクセスネットワークに関連するＵＥの能力情報を送信するようにＵＥに要求するために使用され得る。ＵＥは、ＵＥがフレキシブル帯域幅ＵＭＴＳセルをサポートするかどうかと、どの周波数帯域でサポートするかとを述べる、「ＵＥ能力情報」メッセージによって応答することができる。ＵＴＲＡＮは、そのメッセージを使用して、ターゲットキャリアがフレキシブル帯域幅ＵＭＴＳキャリアである場所からの周波数間測定をどのＵＥが要求すべきかを判定することができる。
【００７１】
ＵＥの能力は現在のＵＭＴＳリリースではフレキシブル帯域幅ＵＭＴＳシステムのサポートを示さないことがあるので、フレキシブル適合（または対応）ＵＴＲＡＮ（通常帯域幅キャリアとフレキシブル帯域幅キャリアの両方をサポートし得る）は、測定結果の報告を構成することに基づいて、ＵＥのフレキシブル帯域幅への対応能力を推測することができる。いくつかの実施形態は、ＵＥがフレキシブル帯域幅適合かどうかを他の方法で知り得る、フレキシブル帯域幅適合ＵＴＲＡＮ（たとえば、通常帯域幅キャリアとフレキシブル帯域幅キャリアの両方をサポートする）を提供する。いくつかの場合には、ＵＥによりサポートされない測定を行うことをＵＥが求められると、ＵＥは、測定制御メッセージ全体を無視することができ、「サポートされない測定」に設定された「失敗理由」を伴う測定制御失敗メッセージをＵＴＲＡＮに送信することができる。ＵＥは、測定制御メッセージが受信されていないかのように、あらゆる進行中の処理および手順について継続することがある。いくつかの実施形態は、次の手順を通じてこれに対処することができる。ステップＡにおいて、フレキシブル帯域幅適合ＵＴＲＡＮ（通常＋フレキシブル帯域幅ＵＭＴＳ周波数をサポートする）が、選択された無効なＵＡＲＦＣＮにおいて測定結果に対応する測定制御メッセージを送信することができ、そのＵＡＲＦＣＮは、帯域のエッジにあるのでレガシーＵＥ（フレキシブル帯域幅ＵＭＴＳをサポートできない）が無効なものと見なす周波数である。ステップＢにおいて、レガシーＵＥが、測定がサポートされないので測定制御失敗メッセージを送信することができる。一方、フレキシブル帯域幅適合ＵＥは、無効なＵＡＲＦＣＮを異なるように解釈することがあり、測定制御失敗メッセージを送信しないことがある。フレキシブル帯域幅適合ＵＥは、測定制御失敗メッセージを何ら送信しないことがあり、測定報告メッセージを送信することがありしないこともある。したがって、レガシーＵＥに対するコストは、レガシーＵＥからの測定制御失敗メッセージを引き起こす、無効なＵＡＲＦＣＮを伴う測定制御メッセージのネットワークからの送信であり得る。ステップＣにおいて、フレキシブル帯域幅適合ＵＴＲＡＮは、ステップＢから、どのＵＥがフレキシブル帯域幅適合か（すなわち、測定制御失敗メッセージを送信していないＵＥ）を知ることができる。フレキシブル帯域幅適合ＵＴＲＡＮは、フレキシブル帯域幅ＵＭＴＳ周波数上に行き測定を行い、圧縮モードギャップ（compressed mode gaps）をスケジューリングするように、フレキシブル帯域幅適合ＵＥに求めることができる。無効なＵＡＲＦＣＮがフレキシブル帯域幅ＵＭＴＳ周波数と、場合によっては帯域幅とを符号化でき、フレキシブル帯域幅適合ＵＥのためのステップＣが除去される、変形も可能であり得る。この変形とは無関係に、フレキシブル帯域幅への対応能力のあるＵＥは、フレキシブル帯域幅ＵＭＴＳキャリアが検出されたかどうかに基づいて、測定報告メッセージを送信することができる。
【００７２】
いくつかの実施形態は、フレキシブル帯域幅ＵＭＴＳ適合ＵＥのための既存のＩＥ（情報要素）中の何らかの予備ビットを使用して、フレキシブル帯域幅ＵＭＴＳ対応であるネットワークに、ＵＥのフレキシブル能力を示すことができる。予備ビットは、フレキシブル帯域幅に対応可能ではないレガシーネットワークによって無視され得る。フレキシブル帯域幅ＵＭＴＳ適合ＵＥは、非重要拡張情報要素（ＩＥ）を使用して、その能力をシグナリングすることができる。両方の場合において、レガシーＲＡＮがＩＥを受信すると、レガシーＲＡＮはそれを廃棄し得るが、フレキシブル適合ＵＭＴＳ  ＲＡＮは、この能力情報を得ると動作し得る。ＵＥにより送信されるＵＴＲＡＮ  Ｃｌａｓｓｍａｒｋ情報もあり得る。これらは、フレキシブル帯域幅への対応能力を示すためにフレキシブル適合ＵＭＴＳ  ＵＥによって使用され、そのような能力を示すためのフィールド／情報要素が存在し得る場合にＵＥのフレキシブル帯域幅への対応能力をフレキシブル帯域幅ＵＴＲＡＮが知るために使用され得る。
【００７３】
いくつかの実施形態では、ＦＤＤ測定、３．８４  Ｍｃｐｓ  ＴＤＤ測定、７．６８  Ｍｃｐｓ  ＴＤＤ測定、１．２８  Ｍｃｐｓ  ＴＤＤ測定などに対する能力を示すための、測定能力が存在する。いくつかの実施形態では、測定能力の拡張も存在する。ＵＥのフレキシブル帯域幅ＵＭＴＳ能力は、測定能力または測定能力の拡張において、別の能力として示され得る。フレキシブル帯域幅ＵＭＴＳがＵＭＴＳと同じＲＡＴであると見なされており、ＵＭＴＳの「特徴的なまたは特別なカテゴリー」であると見なされる場合、たとえば、「ＵＥ無線アクセス能力」または「ＵＥ無線アクセス能力拡張」に追加のＩＥが追加され得る。拡張において、二重セルの能力、周波数帯域固有の能力のような特徴が、規定され得る。代替として、ＵＥのフレキシブル帯域幅ＵＭＴＳ能力は、たとえば、「ＵＥマルチモード／マルチＲＡＴ能力」（UE multi-mode/multi-RAT capability）において規定され得る。これは、フレキシブル帯域幅ＵＭＴＳが同じＲＡＴ（ＵＭＴＳ）のモードと見なされる場合と、ＵＭＴＳとは異なるＲＡＴと見なされる場合の、両方の場合をカバーし得る。
【００７４】
いくつかの実施形態は、フレキシブル帯域幅への対応能力を伴うＵＥを他の方法で識別することを実現する。たとえば、フレキシブルＵＭＴＳおよび通常のＵＭＴＳの接続モードＵＥのための、ネットワークによりスケジューリングされた圧縮モードギャップが、フレキシブル帯域幅ＵＭＴＳキャリア上で隣接セルを探し、ＵＥのフレキシブル帯域幅ＵＭＴＳ能力を判定するために利用され得る。所与の期間内にフレキシブル帯域幅ＵＭＴＳキャリア上で隣接セルをＵＥが特定できるかどうかを監視するために、定期的な報告が使用され得る。フレキシブル帯域幅ＵＭＴＳキャリア上の隣接セルが特定され得ない場合、ＲＡＮは、周波数間測定を無効にすることができ、ＲＡＮは、それらのＵＥがフレキシブル帯域幅に対応可能ではない通常のＵＥまたはレガシーＵＥであると、推測することができる。フレキシブル帯域幅ＵＭＴＳキャリア上で隣接セルを特定することができるフレキシブル帯域幅ＵＭＴＳ対応ＵＥでは、報告はイベントベースの報告に切り替えられてよく、ＲＡＮは、これらのＵＥがフレキシブル帯域幅への対応能力のあるＵＥであると推測することができる。適切なイベントがフレキシブル帯域幅への対応能力のあるＵＥによってＵＴＲＡＮに報告されると、周波数間ハンドオーバーが引き起こされ得る。ＲＡＮはまた、ＵＥが適切なイベントを報告する前に、無条件の周波数間ハンドオーバーを引き起こすことを選ぶことができる。
【００７５】
次に図６を見ると、ブロック図は、様々な実施形態による、ユーザ機器の識別のために構成されるデバイス６００を示す。デバイス６００は、図３Ｂおよび／または図７の無線アクセスネットワーク１２１、および／または、図１、図２、図３、図７、および／または図８のユーザ機器１１５の態様の例であり得る。デバイス６００はプロセッサでもあり得る。デバイス６００は、受信機モジュール６０５、ＵＥ能力識別モジュール６１５、および／または送信機モジュール６２０を含み得る。これらのコンポーネントの各々は互いに通信し得る。
【００７６】
デバイス６００のこれらのコンポーネントは、個別にまたは集合的に、ハードウェア中の適用可能な機能の一部またはすべてを実行するように適応された１つまたは複数の特定用途向け集積回路（ＡＳＩＣ）によって実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令によって実装され得る。
【００７７】
受信機モジュール６０５は、パケット、データ、および／またはデバイス６００が受信または送信したものに関するシグナリング情報のような、情報を受信し得る。受信された情報は、種々の目的のために、ＵＥ能力識別モジュール６１５によって利用され得る。
【００７８】
いくつかの実施形態では、ＵＥ能力識別モジュール６１５は、フレキシブル帯域幅への対応能力のあるユーザ機器を判定するために構成される。ＵＥ能力識別モジュール６１５は、１つまたは複数のメッセージを１つまたは複数のユーザ機器（ＵＥ）に送信すること、ここで、１つまたは複数のメッセージが、１つまたは複数のＵＥのいずれがフレキシブル帯域幅キャリアを利用することが可能かを判定することを支援するように構成される、と、１つまたは複数の送信されたメッセージに応答して、１つまたは複数のＵＥの１つまたは複数から１つまたは複数の応答を受信すること、および／または、１つまたは複数のＵＥのいずれがフレキシブル帯域幅キャリアを利用することが可能かを判定するように、１つまたは複数の受信された応答を利用することのために構成され得る。いくつかの場合には、受信機モジュール６０５および／または送信機モジュール６２０は、これらの態様の１つまたは複数を実行するように構成され得る。
【００７９】
いくつかの場合には、デバイス６００を利用して１つまたは複数のメッセージを１つまたは複数のＵＥに送信することは、別の帯域幅キャリアを通じて行われ得、それは通常帯域幅キャリアを含み得る。別の帯域幅キャリアは、別の無線アクセス技術により得る。１つまたは複数のメッセージを１つまたは複数のＵＥに送信することは、すべてのＵＥによってサポートされ得る第１のキャリアを通じて行われ得る。いくつかの実施形態は、どのＵＥが第２のキャリアをサポートすることが可能かを判定するのを支援するために、第１のキャリアを通じて１つまたは複数のメッセージを送信することを含み、第２のキャリアはフレキシブル帯域幅キャリアである。１つまたは複数のメッセージを１つまたは複数のＵＥに送信することは、通常帯域幅のシステムに関して使用されない周波数の測定結果に対応するメッセージを、１つまたは複数のＵＥに送信することを含み得る。使用されない周波数は、無効な周波数およびまたは条件付きの周波数を含み得る。
【００８０】
デバイス６００を利用してＵＥの１つまたは複数から１つまたは複数の応答を受信することは、ＵＥが少なくとも１つのフレキシブル帯域幅キャリアに対して利用することが可能ではないことを反映する、１つまたは複数の失敗メッセージを、１つまたは複数のＵＥの１つまたは複数から受信することを含み得る。ＵＥの１つまたは複数から１つまたは複数の応答を受信することは、１つまたは複数のＵＥの１つまたは複数がフレキシブル帯域幅キャリアを識別できることを示す、１つまたは複数の応答を受信することを含み得る。ＵＥの１つまたは複数から１つまたは複数の応答を受信することは、１つまたは複数のＵＥの１つまたは複数のフレキシブル帯域幅への対応能力を示す、１つまたは複数の情報要素（ＩＥ）を受信することを含み得る。いくつかの実施形態は、ＵＥの少なくとも１つに対してタイムアウト期間が発生したと判定することを含む。
【００８１】
デバイス６００のいくつかの実施形態は、ＵＥ能力を識別することを実現し得る。たとえば、いくつかの実施形態では、ネットワークは、フレキシブル帯域幅ＵＭＴＳおよび通常のＵＭＴＳの接続モードＵＥのための圧縮モードギャップを発して、フレキシブル帯域幅ＵＭＴＳキャリア上の隣接セルを探索する。所与の期間の後でフレキシブル帯域幅ＵＭＴＳキャリア上で隣接セルをＵＥが特定できるかどうかを監視するために、定期的な報告が使用され得る。フレキシブル帯域幅ＵＭＴＳキャリア上での隣接セルが特定され得ない場合、ＲＡＮは、周波数間測定を無効にすることができる。フレキシブル帯域幅ＵＭＴＳキャリア上での隣接セルを特定し得るフレキシブル帯域幅ＵＭＴＳ  ＵＥでは、報告はイベントベースの報告に切り替えられ得る。イベントがフレキシブル帯域幅適合ＵＴＲＡＮに報告されると、周波数間ハンドオーバーが引き起こされ得る。ＲＡＮは、ＵＥがイベントを報告する前に、周波数間ハンドオーバーを引き起こすことを選ぶことができる。
【００８２】
いくつかの実施形態では、ＵＥ能力を識別することは、標準化された解決法を含み得る。ＵＴＲＡＮは、接続モードのフレキシブル帯域幅ＵＭＴＳおよび通常のＵＭＴＳのＵＥに、「ＵＥ能力問合せ」メッセージを発することができる。ＵＥは、ＵＥがフレキシブル帯域幅ＵＭＴＳキャリアをサポートするかどうかと、どの周波数帯域でサポートするかとを述べる、「ＵＥ能力情報」メッセージによって応答することができる。ＵＴＲＡＮは、そのメッセージを使用して、フレキシブル帯域幅ＵＭＴＳキャリアに対する周波数間測定をどのＵＥが要求すべきかを判定することができる。いくつかの実施形態では、ＵＥの能力はフレキシブル帯域幅ＵＭＴＳのサポートを示さないことがあるので、フレキシブル帯域幅適合（または対応）ＵＴＲＡＮ（通常帯域幅キャリアとフレキシブル帯域幅キャリアの両方をサポートする）は、測定結果の報告を構成することに基づいて、ＵＥのフレキシブル帯域幅への対応能力を推測することができる。いくつかの実施形態は、フレキシブル帯域幅への対応能力をネットワークに示すために、フレキシブル帯域幅ＵＭＴＳ適合ＵＥのために任意のネットワークによって処理され得る、既存のＩＥ（情報要素）中の何らかの予備ビットを使用することができる。いくつかの実施形態では、フレキシブル帯域幅ＵＭＴＳ適合ＵＥは、非重要拡張情報要素（ＩＥ）を使用して、その能力をシグナリングすることができる。いくつかの実施形態では、フレキシブル適合ＵＥまたはネットワークは、現在使用されていないＩＥ中の追加の範囲を使用することができる。いくつかの場合において、レガシーＲＡＮがＩＥを受信すると、レガシーＲＡＮはそれを廃棄し得るが、フレキシブル帯域幅適合ＵＴＲＡＮは、この能力情報を得ると動作し得る。ＵＥにより送信されるＵＴＲＡＮ  Ｃｌａｓｓｍａｒｋ情報もあり得る。これらはまた、フレキシブル帯域幅への対応能力を示すためにフレキシブル帯域幅ＵＭＴＳ適合ＵＥによって使用され、そのような能力を示すためのフィールド／情報要素が存在し得る場合にＵＥのフレキシブル帯域幅への対応能力をフレキシブル帯域幅ＵＴＲＡＮが知るために使用され得る。
【００８３】
いくつかの実施形態では、ＦＤＤ測定、３．８４  Ｍｃｐｓ  ＴＤＤ測定、７．６８  Ｍｃｐｓ  ＴＤＤ測定、１．２８  Ｍｃｐｓ  ＴＤＤ測定などに対する能力を示すための、測定能力が存在する。いくつかの実施形態では、測定能力の拡張も存在する。ＵＥのフレキシブル帯域幅ＵＭＴＳ能力は、測定能力または測定能力の拡張において、別の能力として示され得る。フレキシブル帯域幅ＵＭＴＳがＵＭＴＳと同じＲＡＴであり、ＵＭＴＳの「特徴的なまたは特別なカテゴリー」であると見なされる場合、たとえば、「ＵＥ無線アクセス能力」または「ＵＥ無線アクセス能力拡張」に追加のＩＥが追加され得る。拡張において、二重セルの能力、周波数帯域固有の能力のような特徴が、規定され得る。代替として、ＵＥのフレキシブル帯域幅ＵＭＴＳ能力は、たとえば、「ＵＥマルチモード／マルチＲＡＴ能力」において規定され得る。これは、フレキシブル帯域幅ＵＭＴＳが同じＲＡＴ（ＵＭＴＳ）のモードと見なされる場合と、ＵＭＴＳとは異なるＲＡＴと見なされる場合の、両方の場合をカバーし得る。
【００８４】
いくつかの実施形態は、ＵＥがフレキシブル帯域幅適合かどうかを他の方法で知り得る、フレキシブル帯域幅適合ＵＴＲＡＮ（通常帯域幅キャリアとフレキシブル帯域幅キャリアの両方をサポートする）を提供し得る。いくつかの場合には、ＵＥによりサポートされない測定を行うことをＵＥが求められ得る場合、ＵＥは、測定コマンドメッセージ全体を無視することができ、「サポートされない測定」に設定された「失敗理由」を伴う測定制御失敗メッセージをＵＴＲＡＮに送信し得る。ＵＥは、測定制御メッセージが受信されていないかのように、あらゆる進行中の処理および手順について継続することがある。いくつかの実施形態は、次の手順を通じてこれに対処することができる。ステップＡにおいて、フレキシブル適合ＵＴＲＡＮ（通常帯域幅ＵＭＴＳ周波数とフレキシブル帯域幅ＵＭＴＳ周波数とをサポートする）が、選択された無効なＵＡＲＦＣＮにおいて測定結果に対応する測定制御メッセージを送信することができ、そのＵＡＲＦＣＮは、帯域のエッジにあるので通常のＵＥが無効なものと見なす周波数である。ステップＢにおいて、レガシーＵＥが、測定がサポートされないので測定制御失敗メッセージを送信することができる。一方、フレキシブル帯域幅適合ＵＥは、無効なＵＡＲＦＣＮを異なるように解釈し得、測定制御失敗メッセージを送信しないことがあり得る。フレキシブル帯域幅適合ＵＥは、測定制御失敗メッセージを何ら送信しないことがあり、なんらかの測定報告メッセージを送信し得またはし得ない。したがって、レガシーＵＥに対するコストは、レガシーＵＥからの測定制御失敗メッセージを引き起こす無効なＵＡＲＦＣＮを伴うネットワークからの測定制御メッセージの送信であり得る。ステップＣにおいて、フレキシブル帯域幅適合ＵＴＲＡＮは、ステップＢを通じて、どのＵＥがフレキシブル帯域幅適合かを知ることができる。フレキシブル帯域幅適合ＵＴＲＡＮは、フレキシブル帯域幅ＵＭＴＳ周波数上に行き測定を行い、圧縮モードギャップをオンするように、フレキシブル帯域幅適合ＵＥに求めることができる。無効なＵＡＲＦＣＮがフレキシブル帯域幅ＵＭＴＳ周波数と、場合によっては帯域幅とを符号化でき、フレキシブル帯域幅適合ＵＥのためのステップＣが除去される、変形も可能であり得る。この変形とは無関係に、フレキシブル帯域幅への対応能力のあるＵＥは、フレキシブル帯域幅ＵＭＴＳキャリアが検出されたかどうかに基づいて、測定報告メッセージを送信することができる。
【００８５】
図７は、様々な実施形態による、フレキシブル帯域幅への対応能力のあるユーザ機器を判定するために構成され得る、通信システム７００のブロック図を示す。このシステム７００は、図１に示されるシステム１００、図２のシステム２００、図３のシステム３００、および／または図４２のシステム４２００、および／または図６のデバイス６００の態様の一例であり得る。無線アクセスネットワーク１２１−ｃは、無線アクセスネットワークの一部を備え得る、複合システムおよび／または別個のシステムを表すために、基地局１０５および／またはコントローラ１２０の態様を含み得る。無線アクセスネットワーク１２１−ｃは、アンテナ７４５と、送受信機モジュール７５０と、メモリ７７０と、プロセッサモジュール７６５とを含んでよく、その各々は、（たとえば、１つまたは複数のバスを通じて）互いに直接または間接的に通信し得る。送受信機モジュール７５０は、アンテナ７４５を介して、マルチモードユーザ機器であり得るユーザ機器１１５−ｆと双方向に通信するように構成され得る。送受信機モジュール７５０（および／または無線アクセスネットワーク１２１−ｃの他のコンポーネント）はまた、１つまたは複数のネットワークと双方向に通信するように構成され得る。いくつかの場合には、無線アクセスネットワーク１２１−ｃは、ネットワーク通信モジュール７７５を通じてコアネットワーク１３０−ｂと通信することができる。無線アクセスネットワーク１２１−ｃは、ｅＮｏｄｅＢ基地局、Ｈｏｍｅ  ｅＮｏｄｅＢ基地局、ＮｏｄｅＢ基地局、および／またはＨｏｍｅ  ＮｏｄｅＢ基地局を含み得る。
【００８６】
無線アクセスネットワーク１２１−ｃはまた、基地局１０５−ｍおよび基地局１０５−ｎのような他の基地局と通信することができる。基地局１０５の各々は、様々な無線アクセス技術のような様々なワイヤレス通信技術を使用して、ユーザ機器１１５−ｆと通信することができる。いくつかの場合には、無線アクセスネットワーク１２１−ｃは、基地局通信モジュール７２０を利用して１０５−ｍおよび／または１０５−ｎのような基地局と通信し得る。いくつかの実施形態では、基地局通信モジュール７２０は、基地局１０５のいくつかの間の通信を行うために、ＬＴＥワイヤレス通信技術内のＸ２インターフェースを与え得る。いくつかの実施形態では、無線アクセスネットワーク１２１−ｃは、コアネットワーク１３０−ｂを通じて他の基地局と通信することができる。
【００８７】
メモリ７７０は、ランダムアクセスメモリ（ＲＡＭ）と読取り専用メモリ（ＲＯＭ）とを含み得る。メモリ７７０はまた、実行されるとプロセッサモジュール７６５に本明細書で説明される様々な機能（たとえば、呼処理、データベース管理、メッセージルーティングなど）を実行させるように構成された命令を含む、コンピュータ可読、コンピュータ実行可能ソフトウェアコード７７１を記憶し得る。代替的に、ソフトウェア７７１は、プロセッサモジュール７６５によって直接的に実行可能でないことがあるが、たとえば、コンパイルされ実行されると、コンピュータに本明細書で説明される機能を実行させるように構成され得る。
【００８８】
プロセッサモジュール７６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール７６５は、マイクロフォンを介してオーディオを受信し、そのオーディオを、受信されたオーディオを表す（たとえば、長さ２０ｍｓの）パケットに変換し、そのオーディオパケットを送受信機モジュール７５０に与え、ユーザが話しているかどうかの指示を与えるように構成された音声エンコーダ（図示されず）を含み得る。代替的に、エンコーダはパケットのみを送受信機モジュール７５０に供給することができ、パケット自体の供給または抑制／抑圧が、ユーザが話しているかどうかの指示を与える。
【００８９】
送受信機モジュール７５０は、パケットを変調し、変調されたパケットを送信のためにアンテナ７４５に供給し、アンテナ７４５から受信されたパケットを復調するように構成されたモデムを含み得る。無線アクセスネットワーク１２１−ｃのいくつかの例は単一のアンテナ７４５を含み得るが、無線アクセスネットワーク１２１−ｃは、好ましくは、キャリアアグリゲーションをサポートし得る複数のリンクのための複数のアンテナ７４５を含む。たとえば、ユーザ機器１１５−ｆとのマクロ通信をサポートするために１つまたは複数のリンクが使用され得る。
【００９０】
図７のアーキテクチャによれば、無線アクセスネットワーク１２１−ｃは通信管理モジュール７３０をさらに含み得る。通信管理モジュール７３０は、他の基地局１０５との通信を管理し得る。例として、通信管理モジュール７３０は、バスを介して無線アクセスネットワーク１２１−ｃの他のコンポーネントの一部またはすべてと通信している無線アクセスネットワーク１２１−ｃのコンポーネントであり得る。代替的に、通信管理モジュール７３０の機能は、送受信機モジュール７５０のコンポーネントとして、コンピュータプログラム製品として、および／またはプロセッサモジュール７６５の１つまたは複数のコントローラ要素として実装され得る。
【００９１】
無線アクセスネットワーク１２１−ｃのコンポーネントは、図６のデバイス６００に関して上で論じられた態様を実装するように構成されてよく、簡潔のためにここで繰り返されないことがある。ＵＥ識別モジュール６１５−ａは、図６のＵＥ識別モジュール６１５の一例であり得る。ＵＥ識別モジュール６１５−ａは、フレキシブル帯域幅ＵＥ識別モジュール７１１、レガシーＵＥ識別モジュール７１２、および／またはＵＥメッセージングモジュール７１３を含み得る。
【００９２】
無線アクセスネットワーク１２１−ｃはまた、スペクトル識別モジュール７１５を含み得る。スペクトル識別モジュール７１５は、フレキシブル帯域幅波形のために利用可能なスペクトルを識別するために利用され得る。いくつかの実施形態では、ハンドオーバーモジュール７２５は、ある基地局１０５から別の基地局へのユーザ機器１１５−ｆのハンドオーバー手順を実行するために利用され得る。たとえば、ハンドオーバーモジュール７２５は、無線アクセスネットワーク１２１−ｃから別のネットワークへのユーザ機器１１５−ｆのハンドオーバー手順を実行することができ、通常の波形がユーザ機器１１５−ｆと基地局の１つとの間で利用され、フレキシブル帯域幅波形がユーザ機器と別の基地局との間で利用される。スケーリングモジュール７２７は、チップレートをスケーリングおよび／または変更してフレキシブル帯域幅波形を生成するために利用され得る。
【００９３】
いくつかの実施形態では、無線アクセスネットワーク１２１−ｃの他の可能なコンポーネントとともに、アンテナ７４５と組み合わされた送受信機モジュール７５０が、フレキシブル帯域幅波形および／またはスケーリング係数に関する情報を、無線アクセスネットワーク１２１−ｃからユーザ機器１１５−ｆに、他の基地局１０５−ｍ／１０５−ｎに、またはコアネットワーク１３０−ｂに送信することができる。いくつかの実施形態では、無線アクセスネットワーク１２１−ｃの他の可能なコンポーネントとともに、アンテナ７４５と組み合わされた送受信機モジュール７５０が、フレキシブル帯域幅波形および／またはスケーリング係数のような情報を、ユーザ機器１１５−ｆに、他の基地局１０５−ｍ／１０５−ｎに、またはコアネットワーク１３０−ｂに送信することができるので、これらのデバイスまたはシステムはフレキシブル帯域幅波形を利用することができる。
【００９４】
図８は、様々な実施形態による、移動性のために構成されるユーザ機器１１５−ｇのブロック図８００である。ユーザ機器１１５−ｇは、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネット家電製品、ゲームコンソール、電子リーダーなどのような、様々な構成のいずれかを有し得る。ユーザ機器１１５−ｇは、モバイル動作を支援するために、小型バッテリーなどの内部電源（図示されず）を有し得る。いくつかの実施形態では、ユーザ機器１１５−ｇは、図１、図２、図３、図７、および／または図４２のユーザ機器１１５、および／または図６のデバイス６００であり得る。ユーザ機器１１５−ｇは、マルチモードユーザ機器であり得る。いくつかの場合には、ユーザ機器１１５−ｇはワイヤレス通信デバイスと呼ばれ得る。
【００９５】
ユーザ機器１１５−ｇは、アンテナ８４０と、送受信機モジュール８５０と、メモリ８８０と、プロセッサモジュール８７０とを含んでよく、その各々は、（たとえば、１つまたは複数のバスを介して）互いに直接または間接的に通信し得る。送受信機モジュール８５０は、上で説明されたように、アンテナ８４０ならびに／あるいは１つまたは複数の有線リンクもしくはワイヤレスリンクを介して、１つまたは複数のネットワークと双方向に通信するように構成される。たとえば、送受信機モジュール８５０は、図１、図２、図３Ａ、図４２の基地局１０５、および／または、図３Ｂおよび／または図７の無線アクセスネットワーク１２１と双方向に通信するように構成され得る。送受信機モジュール８５０は、パケットを変調し、変調されたパケットを送信のためにアンテナ８４０に供給し、アンテナ８４０から受信されたパケットを復調するように構成されたモデムを含み得る。ユーザ機器１１５−ｇは単一のアンテナを含み得るが、ユーザ機器１１５−ｇは通常、複数のリンクのための複数のアンテナ８４０を含む。
【００９６】
メモリ８８０は、ランダムアクセスメモリ（ＲＡＭ）と読取り専用メモリ（ＲＯＭ）とを含み得る。メモリ８８０はまた、実行されるとプロセッサモジュール８７０に本明細書で説明される様々な機能（たとえば、呼処理、データベース管理、メッセージルーティングなど）を実行させるように構成された命令を含む、コンピュータ可読、コンピュータ実行可能ソフトウェアコード８８５を記憶し得る。代替的に、ソフトウェア８８５は、プロセッサモジュール８７０によって直接的に実行可能でないことがあるが、（たとえば、コンパイルされ実行されると）コンピュータに本明細書で説明される機能を実行させるように構成され得る。
【００９７】
プロセッサモジュール８７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール８７０は、マイクロフォンを介してオーディオを受信し、そのオーディオを、受信されたオーディオを表す（たとえば、長さ３０ｍｓの）パケットに変換し、そのオーディオパケットを送受信機モジュール８５０に与え、ユーザが話しているかどうかの指示を与えるように構成された音声エンコーダ（図示されず）を含み得る。代替的に、エンコーダはパケットのみを送受信機モジュール８５０に供給することができ、パケット自体の供給または抑制／抑圧が、ユーザが話しているかどうかの指示を与える。
【００９８】
図８のアーキテクチャによれば、ユーザ機器１１５−ｇは通信管理モジュール８６０をさらに含み得る。通信管理モジュール８６０は、他のユーザ機器１１５との通信を管理し得る。例として、通信管理モジュール８６０は、バスを介してユーザ機器１１５−ｇの他のコンポーネントの一部またはすべてと通信しているユーザ機器１１５−ｇのコンポーネントであり得る。代替的に、通信管理モジュール８６０の機能は、送受信機モジュール８５０のコンポーネントとして、コンピュータプログラム製品として、および／またはプロセッサモジュール８７０の１つまたは複数のコントローラ要素として実装され得る。
【００９９】
ユーザ機器１１５−ｇのコンポーネントは、図６のデバイス６００によって提供されるＵＥ識別を支援するように構成され得る。たとえば、ユーザ機器１１５−ｇは、固有のＲＡＮ能力情報をＲＡＮに搬送するためのＵＥに関する情報を提供するために、ＲＡＮ能力モジュール８１１を有し得る。ユーザ機器８１２は、ユーザ機器１１５−ｇがフレキシブル帯域幅への対応能力を有するか、またはレガシーＵＥであり得るかどうかをＲＡＮが判定することを可能にし得る測定結果も提供し得る、測定モジュール８１２を含み得る。
【０１００】
ユーザ機器１１５−ｇはまた、スペクトル識別モジュール８１５を含み得る。スペクトル識別モジュール８１５は、フレキシブル帯域幅波形のために利用可能なスペクトルを識別するために利用され得る。いくつかの実施形態では、ハンドオーバーモジュール８２５は、ある基地局から別の基地局へのユーザ機器１１５−ｇのハンドオーバー手順を実行するために利用され得る。たとえば、ハンドオーバーモジュール８２５は、ある基地局から別の基地局へのユーザ機器１１５−ｇのハンドオーバー手順を実行することができ、通常の波形がユーザ機器１１５−ｇと基地局の１つとの間で利用され、フレキシブル帯域幅波形がユーザ機器と別の基地局との間で利用される。スケーリングモジュール８２７は、チップレートをスケーリングおよび／または変更してフレキシブル帯域幅波形を生成するために利用され得る。
【０１０１】
いくつかの実施形態では、ユーザ機器１１５−ｇの他の可能なコンポーネントとともに、アンテナ８４０と組み合わされた送受信機モジュール８５０は、フレキシブル帯域幅波形および／またはスケーリング係数に関する情報を、ユーザ機器１１５−ｇから基地局またはコアネットワークに送信することができる。いくつかの実施形態では、ユーザ機器１１５−ｇの他の可能なコンポーネントとともに、アンテナ８４０と組み合わされた送受信機モジュール８５０は、フレキシブル帯域幅波形および／またはスケーリング係数のような情報を基地局またはコアネットワークに送信できるので、これらのデバイスまたはシステムはフレキシブル帯域幅波形を利用することができる。
【０１０２】
図９Ａを見ると、様々な実施形態による、フレキシブル帯域幅への対応能力のあるユーザ機器を判定するための方法９００−ａのフロー図が提供される。方法９００−ａは、限定はされないが、図１および／または図３Ｂのコアネットワーク１３０、図１、図２、図３Ａ、図７、および／または図４２の基地局１０５、図１、図２、図３、図７、図８、および／または図４２のユーザ機器１１５、図１および／または図３Ｂのコントローラ１２０、図３Ｂおよび／または図７の無線アクセスネットワーク１２１、および／または図６のデバイス６００を含む、様々なワイヤレス通信デバイスおよび／またはシステムを利用して実施され得る。
【０１０３】
ブロック９０５において、１つまたは複数のメッセージが１つまたは複数のユーザ機器（ＵＥ）に送信され得る。１つまたは複数のメッセージは、１つまたは複数のＵＥのいずれがフレキシブル帯域幅キャリアを利用することが可能かを判定するのを支援するように構成され得る。ブロック９１０において、１つまたは複数の応答は、１つまたは複数の送信されたメッセージに応答して、１つまたは複数のＵＥの１つまたは複数から受信され得る。ブロック９１５において、１つまたは複数の受信された応答は、１つまたは複数のＵＥのいずれがフレキシブル帯域幅キャリアを利用することが可能かを判定するために利用され得る。
【０１０４】
１つまたは複数のメッセージを１つまたは複数のＵＥに送信することは、通常帯域幅キャリアを含み得る、別の帯域幅キャリアを通じて行われ得る。別の帯域幅キャリアは、別の無線アクセス技術により得る。１つまたは複数のメッセージを１つまたは複数のＵＥに送信することは、他のＵＥによってサポートされ得る第１のキャリアを通じて行われ得る。いくつかの実施形態は、どのＵＥが第２のキャリアをサポートすることが可能かを判定するのを支援するために、第１のキャリアを通じて１つまたは複数のメッセージを送信することを含み、第２のキャリアはフレキシブル帯域幅キャリアである。１つまたは複数のメッセージを１つまたは複数のＵＥに送信することは、通常帯域幅のシステムに関して使用されない周波数の測定結果に対応するメッセージを、１つまたは複数のＵＥに送信することを含み得る。使用されない周波数は、無効な周波数およびまたは条件付きの周波数を含み得る。
【０１０５】
１つまたは複数のＵＥの１つまたは複数から１つまたは複数の応答を受信することは、ＵＥが少なくとも１つのフレキシブル帯域幅キャリアに対して利用することが可能ではないことを反映する、１つまたは複数の失敗メッセージを、１つまたは複数のＵＥの１つまたは複数から受信することを含み得る。１つまたは複数のＵＥの１つまたは複数から１つまたは複数の応答を受信することは、１つまたは複数のＵＥの１つまたは複数がフレキシブル帯域幅キャリアを識別できることを示す、１つまたは複数の応答を受信することを含み得る。１つまたは複数のＵＥの１つまたは複数から１つまたは複数の応答を受信することは、１つまたは複数のＵＥの１つまたは複数のフレキシブル帯域幅への対応能力を示す、１つまたは複数の情報要素（ＩＥ）を受信することを含み得る。いくつかの実施形態は、ＵＥの少なくとも１つに対してタイムアウト期間が発生したと判定することを含む。
【０１０６】
図９Ｂを見ると、様々な実施形態による、フレキシブル帯域幅への対応能力のあるユーザ機器を判定するための方法９００−ｂのフロー図が提供される。方法９００−ｂは、限定はされないが、図１および／または図３Ｂのコアネットワーク１３０、図１、図２、図３Ａ、図７、および／または図４２の基地局１０５、図１、図２、図３、図７、図８、および／または図４２のユーザ機器１１５、図１および／または図３Ｂのコントローラ１２０、図３Ｂおよび／または図７の無線アクセスネットワーク１２１、および／または図６のデバイス６００を含む、様々なワイヤレス通信デバイスおよび／またはシステムを利用して実施され得る。方法９００−ｂは、図９Ａの方法９００−ａの１つまたは複数の態様を含み得る。
【０１０７】
ブロック９０５−ａにおいて、フレキシブル帯域幅キャリアのための周波数間測定結果に対応する測定制御メッセージが、１つまたは複数のＵＥに送信され得る。ブロック９１０−ａにおいて、１つまたは複数の測定報告メッセージが、１つまたは複数のＵＥの１つまたは複数から受信され得る。ブロック９１５−ａにおいて、１つまたは複数の受信されたメッセージに基づいて、１つまたは複数のＵＥのいずれがフレキシブル帯域幅への対応能力を有するかどうかが、判定され得る。ブロック９２０において、フレキシブル帯域幅への対応能力を有すると判定された１つまたは複数のＵＥは、フレキシブル帯域幅キャリアに関して１つまたは複数の測定を行うように指示され得る。
【０１０８】
図９Ｃを見ると、様々な実施形態による、フレキシブル帯域幅への対応能力のあるユーザ機器を判定するための方法９００−ｃのフロー図が提供される。方法９００−ｃは、限定はされないが、図１および／または図３Ｂのコアネットワーク１３０、図１、図２、図３Ａ、図７、および／または図４２の基地局１０５、図１、図２、図３、図７、図８、および／または図４２のユーザ機器１１５、図１および／または図３Ｂのコントローラ１２０、図３Ｂおよび／または図７の無線アクセスネットワーク１２１、および／または図６のデバイス６００を含む、様々なワイヤレス通信デバイスおよび／またはシステムを利用して実施され得る。方法９００−ｃは、図９Ａの方法９００−ａおよび／または図９Ｂの方法９００−ｂの１つまたは複数の態様を含み得る。
【０１０９】
ブロック９０５−ｂにおいて、フレキシブル帯域幅への対応能力を伴うＵＥを判定するのを支援するために、１つまたは複数のメッセージが、１つまたは複数のＵＥに送信され得る。ブロック９１０−ｂにおいて、１つまたは複数の応答が、１つまたは複数のＵＥの１つまたは複数から受信され得る。フレキシブル帯域幅への対応能力を伴うＵＥは、情報要素を利用して、フレキシブル帯域幅への対応能力を示し得る。ブロック９１５−ｂにおいて、１つまたは複数のＵＥのフレキシブル帯域幅への対応能力は、受信された情報要素に基づいて判定され得る。
【０１１０】
フレキシブル帯域幅のシステムと通常帯域幅のシステムおよび／または他のフレキシブル帯域幅のシステムとの間での移動性を提供するための、方法、システム、およびデバイスが提供される。これらの方法、システム、および／またはデバイスは、図１０のデバイス１０００、図１１のコアネットワーク１３０−ｃ、図１２Ａの方法１２００−ａ、図１２Ｂの方法１２００−ｂ、および／または図１６の方法１６００を含み得る。いくつかの例では、ユーザ機器は、フレキシブル帯域幅の無線アクセスネットワーク上で、ＣＳサービスとパケット交換（ＰＳ）サービスの両方に登録され得る。いくつかの例では、コアネットワーク（ＣＮ）は、フレキシブル帯域幅のシステムがＣＳサービス（たとえば、音声、ＳＭＳなど）をまったくサポートしない場合、またはその一部をサポートしない場合、回線交換音声サービスのような回線交換（ＣＳ）サービスの処理を管理することができる。いくつかの場合、ＣＮは、一部のデバイスを選び、他のデバイスを選ばないことが可能である。回線交換サービスの例は音声を含み得るが、他のＣＳサービスはリダイレクトされ得る。コアネットワークは、フレキシブル帯域幅への対応能力のあるＵＥが現在使用しているフレキシブル帯域幅キャリア上での回線交換サービスのサポートの欠如を（たとえば、ＵＥ登録から）識別し、回線交換サービスをサポートする無線アクセスネットワークにユーザ機器をリダイレクトすることができる。
【０１１１】
いくつかの実施形態では、ＵＥは、フレキシブル帯域幅の無線アクセスネットワークを通じて、ＣＮとのパケット交換サービスに登録することができる。また、フレキシブル帯域幅の無線アクセスネットワークを通じて、ＵＥはまた、ＣＮとの非音声回線交換サービスに登録することができる。登録手順を開始するために、ＵＥは、フレキシブル帯域幅の無線アクセスネットワークを通じて、複合ＣＳおよびＰＳ接続要求をＣＮに送信することができる。要求は、フレキシブル帯域幅ＲＡＮに対するＰＳドメインサービスのサポートを提供する、ＣＮエンティティ（たとえば、ＳＧＳＮ）によって受信され得る。ＰＳ  ＣＮは、ＰＳサービスにＵＥを登録することができ、次いで、ＣＳ接続を、ＣＳ  ＣＮエンティティに転送することができ、ＣＮエンティティは、ＣＳサービスをサポートする無線アクセスネットワークに対するＣＳドメインサービスのサポートを提供する。いくつかの実施形態では、コアネットワークは、フレキシブル帯域幅の無線アクセスネットワークを通じたパケット交換サービスにユーザ機器を登録することができる。いくつかの他の実施形態では、コアネットワークは、フレキシブル帯域幅の無線アクセスネットワークを通じた非音声回線交換サービスにユーザ機器を登録することができる。
【０１１２】
いくつかの実施形態では、ＣＳ  ＣＮエンティティおよびＰＳ  ＣＮエンティティは、複数のＲＡＮをサポートすることができる。いくつかの実施形態では、たとえばフレキシブル帯域幅ＵＭＴＳ、ＵＭＴＳ、およびＧＳＭのための、ロケーションエリア（ＬＡ）および／またはルーティングエリア（ＲＡ）は重複し得るが、セルサイズが異なり得るので必ずしも同一ではない。フレキシブル帯域幅ＵＭＴＳおよびＵＭＴＳおよび／またはＧＳＭのセルは、部分的にまたは完全に重複し得る。ＳＧＳＮおよびＭＳＣサービングＵＭＴＳネットワーク、ＧＳＭおよびフレキシブルＵＭＴＳネットワークは同一であり得る。これは、たとえば、ＵＭＴＳ、ＧＳＭ、およびフレキシブル帯域幅ＵＭＴＳが同じ場所で展開され得る場合に当てはまり得る。いくつかの実施形態では、フレキシブルＵＴＲＡＮは、ＣＳ音声呼を除き、ＣＳ  ＳＭＳと他のＣＳサービスとをサポートする。ＣＳ音声のために、フレキシブルＵＴＲＡＮは、何らかのＣＳ音声関連のシグナリング（たとえば、ユーザ機器がＰＳ呼を行っている場合、ＭＴ  ＣＳ音声呼のためのページングタイプ２メッセージ）をサポートし得る。ＵＭＴＳはたとえば、ＷＣＤＭＡおよび／またはＨＳＰＡの両方を含み得る。
【０１１３】
いくつかの実施形態は、フレキシブルＵＴＲＡＮのようなフレキシブルＲＡＮにおいてＣＳがサポートされない状況を扱うことができる。いくつかの実施形態は、いくつかのＣＳサービスに対するサポートがフレキシブルＵＴＲＡＮのようなフレキシブルＲＡＮにおいて存在し得る状況を扱うことができる。ある例は、ＷＣＤＭＡ上ではＣＳ音声はサポートされないが、ＣＳ  ＳＭＳＭまたはＨＳを通じたＣＳはサポートされるというものであり得る。ＣＮは、フレキシブルＵＴＲＡＮがすべてのＣＳサービスをサポートしないことを認識し得る。ＵＥは、複合ＩＭＳＩおよびＧＰＲＳ接続を実行して、フレキシブル帯域幅ＲＡＮを通じた、ＣＮとのＰＳサービスとＣＳサービスの両方に登録することができる。ＵＥがフレキシブル帯域幅ＲＡＮ上にある間にフレキシブルＲＡＮによってサポートされないＣＳサービスが受信および／または開始される場合、ＣＮは、そうしたサービスをサポートする別のＲＡＮに呼をリダイレクトすることができる。
【０１１４】
いくつかの実施形態では、フレキシブルＲＡＮ（たとえば、フレキシブルＵＴＲＡＮ）は、音声を伴わないＣＳサービスをサポートすることができる。たとえば、フレキシブルＵＴＲＡＮは、ＣＳシグナリング（たとえば、ユーザ機器がＰＳ呼を行っている場合、ＭＴ  ＣＳ音声呼のためのページングタイプ２メッセージ）をサポートすることができ、ＳＭＳおよびＣＳデータサービスをサポートすることもしないこともあるが、ＣＳ音声呼はサポートしない。ＣＮは、この音声サポートの欠如を認識し得る。ＣＮが認識する場合、ＣＮまたはフレキシブルＵＴＲＡＮによるＵＴＲＡＮまたはＣＳ音声をサポートする任意の無線アクセスネットワークへのリダイレクトが、フレキシブルＵＴＲＡＮ上のフレキシブル帯域幅への対応能力のあるＵＥのためのＣＳ音声呼があるときに使用され得る。登録の際、ＵＥは、フレキシブル帯域幅ＲＡＮをサポートし得るＭＳＣおよびＳＧＳＮ、ＣＳ音声をサポートする他のＲＡＮ、および／または他のＲＡＴとのＣＳサービスおよびＰＳサービスに登録することができる。
【０１１５】
以下では、フレキシブルＵＴＲＡＮのようなフレキシブル帯域幅ＲＡＮ上でＣＳのサポートが限定され得る（ＣＳサポートがない場合も含む）、いくつかの実施形態を説明する。他の状況には、ＣＳのサポートが一部のＣＳサービスに対しては存在し得るがすべてのＣＳサービスに対しては存在しないという状況がある。さらに、いくつかの状況は、何らかのＣＳサービスはサポートされ得るが、ある理由または別の理由で、ユーザ機器のためのそれらのサービスが別の無線アクセスネットワークにおいて提供されることが有利であり得るという、状況を含む。
【０１１６】
いくつかの実施形態は、ＣＳシグナリングがフレキシブルＲＡＮによってサポートされ得るがフレキシブルＵＴＲＡＮのようなフレキシブルＲＡＮ上で音声がサポートされ得ない、フレキシブル帯域幅のシステムを含む。これらの場合には、フレキシブル帯域幅ＲＡＮが音声サービスをサポートしないことをＣＮが認識するとき、ＣＮリダイレクトが利用され得る。たとえば、フレキシブルＵＴＲＡＮにキャンプオンしているユーザ機器は、フレキシブルＵＴＲＡＮを使用して、ＭＳＣおよびＳＧＳＮとの複合ＩＭＳＩおよびＧＰＲＳ接続を実行することができる。一部のＣＳシグナリング、および場合によっては一部のサービス（たとえば、ＳＭＳ、ＣＤデータなど）がフレキシブルＵＴＲＡＮにおいてサポートされるが、ＣＳ音声はサポートされないことを、ＣＮは認識し得る。ＣＮは、ＣＳ’およびＰＳのためにユーザ機器を登録することができ、ＣＳ’は、フレキシブルＵＴＲＡＮ上でサポートされない（たとえば、音声）サービスを除くすべてのＣＳ呼を意味し、また、ＵＭＴＳまたはＧＥＲＡＮのような、音声をサポートし得る別のＲＡＮ上でＣＳ音声を登録することができる。ＭＴおよび／またはＭＯ  ＣＳ（音声を除く）およびＰＳ呼は、フレキシブルＵＴＲＡＮ上で処理され得る。ＭＴ  ＣＳ通知がＵＭＴＳまたはＧＳＭにサービスするＭＳＣにおいて受信されると、非音声ＣＳサービスをサポートするＭＳＣまたは（フレキシブルＵＴＲＡＮのための）ＳＧＳＮを通じて、呼出しがユーザ機器に転送されてよく、ユーザ機器は、ＧＥＲＡＮまたはＵＴＲＡＮのような、ＣＳ音声をサポートする別のＲＡＮにリダイレクトされ得る。いくつかの場合には、ＣＮの変更が実施される必要があり得る。
【０１１７】
次に図１０を見ると、ブロック図は、様々な実施形態による、移動性機能を含むデバイス１０００を示す。デバイス１０００は、図１、図３Ｂ、および／または図１１のコアネットワーク１３０の態様の一例であり得る。デバイス１０００はプロセッサでもあり得る。デバイス１０００は、受信機モジュール１００５、回線交換サービスサポート識別モジュール１０１０、コアネットワークリダイレクトモジュール１０１５、および／または送信機モジュール１０２０を含み得る。これらのコンポーネントの各々は互いに通信し得る。
【０１１８】
デバイス１０００のこれらのコンポーネントは、個別にまたは集合的に、ハードウェア中の適用可能な機能の一部またはすべてを実行するように適応された１つまたは複数の特定用途向け集積回路（ＡＳＩＣ）によって実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令によって実装され得る。
【０１１９】
受信機モジュール１００５は、パケット、データ、および／またはデバイス１０００が受信または送信したものに関するシグナリング情報のような、情報を受信し得る。受信された情報は、種々の目的で、回線交換サービスサポート識別モジュール１０１０および／またはコアネットワークリダイレクトモジュール１０１５によって利用され得る。
【０１２０】
いくつかの実施形態では、複数の無線アクセスネットワークのフレキシブル帯域幅の無線アクセスネットワーク上での１つまたは複数の回線交換サービスに対するサポートの欠如は、回線交換サービスサポート識別モジュール１０１０によって識別され得る。ユーザ機器のための回線交換（ＣＳ）サービスは、コアネットワークリダイレクトモジュール１０１５において、フレキシブル帯域幅の無線アクセスネットワークから、１つまたは複数の回線交換サービスをサポートする無線アクセスネットワークにリダイレクトされ得る。コアリダイレクトモジュール１０１５は、コアネットワークリダイレクトを開始するために、１つまたは複数のメッセージを修正および／または送信することができる。いくつかの場合には、回線交換サービスは、回線交換音声サービスであり得る。１つまたは複数のＣＳサービスは、たとえば、ＣＳ音声サービス、Ｒｅｌｅａｓｅ  ９９  ＣＳ音声サービス、または、１つまたは複数のデータチャネルを通じたＣＳ音声サービスを少なくとも含む。
【０１２１】
回線交換サービスサポート識別モジュール１０１０および／またはコアネットワークリダイレクトモジュール１０１５は、少なくとも１つのパケット交換サービスに関してユーザ機器を登録するように構成され得る。デバイス１０００のいくつかの実施形態は、この機能を実行するための登録モジュールを含み得る。いくつかの実施形態は、回線交換サービスサポート識別モジュール１０１０および／またはコアネットワークリダイレクトモジュール１０１５などを通じてデバイス１０００によって、少なくとも１つの回線交換サービスに関してフレキシブル帯域幅の無線アクセスネットワークを通じてユーザ機器を登録することを含む。回線交換サービスは、非音声回線交換サービス、ＳＭＳデータ、および／またはＣＳデータを含み得る。いくつかの実施形態は、回線交換サービスサポート識別モジュール１０１０および／またはコアネットワークリダイレクトモジュール１０１５を通じてデバイス１０００において、フレキシブル帯域幅の無線アクセスネットワーク上のユーザ機器から登録要求を受信することを含む。
【０１２２】
いくつかの場合には、ユーザ機器は、フレキシブル帯域幅の無線アクセスネットワーク上にキャンプオンしていることがある。ユーザ機器は現在、ＣＳ音声サービスのようなＣＳサービスに対するサポートを欠いているフレキシブル帯域幅キャリアによって少なくともサービスされているか、またはそのようなフレキシブル帯域幅キャリアにキャンプオンしていることがある。
【０１２３】
いくつかの状況では、デバイス１０００は、フレキシブル帯域幅の無線アクセスネットワークの能力を認識している。フレキシブル帯域幅の無線アクセスネットワークは、回線交換サービスに対するサポートを欠いていることを認識し得るが、リダイレクトを開始しなくてよい。いくつかの実施形態では、デバイス１０００は、ＣＳサービスがフレキシブル帯域幅の無線アクセスネットワーク上でサポートされないと判定することができ、ＣＳサービスをサポートする別の無線アクセスネットワークに合わせることができる。他の状況では、デバイス１０００は、フレキシブル帯域幅の無線アクセスネットワーク上でＣＳサービスがサポートされないことを認識しないことがある。
【０１２４】
図１１は、様々な実施形態による、ワイヤレス通信システムのための移動性を利用するために構成され得る通信システム１１００のブロック図を示す。このシステム１１００は、図１に示されるシステム１００、図２のシステム２００、図３のシステム３００、および／または図４２のシステム４２００、および／または図１０のデバイス１０００の態様を含み得る。コアネットワーク１３０−ｃは、メモリ１１７０とプロセッサモジュール１１６５とを含んでよく、その各々は、（たとえば、１つまたは複数のバスを通じて）互いに直接または間接的に通信し得る。いくつかの場合には、コアネットワーク１３０−ｃは、ネットワーク通信モジュール１１７５の他の態様と通信し得る。
【０１２５】
コアネットワーク１３０−ｃはまた、無線アクセスネットワーク１２１−ｉ／１２１−ｊと通信することができる。いくつかの場合には、無線アクセスネットワーク１２１は同じ位置にあってよく、または別々の位置にあってよい。いくつかの場合には、無線アクセスネットワーク１２１は、フレキシブル対応無線アクセスネットワークおよび／または通常の／レガシー無線アクセスネットワークを含み得る。無線アクセスネットワーク１２１は、フレキシブル対応であり得るユーザ機器１１５−ｈとワイヤレス通信していてよい。いくつかの場合には、コアネットワーク１３０−ｃは、無線アクセスネットワーク通信モジュール１１２０を利用して、無線アクセスネットワーク１２１と通信することができる。
【０１２６】
メモリ１１７０は、ランダムアクセスメモリ（ＲＡＭ）と読取り専用メモリ（ＲＯＭ）とを含み得る。メモリ１１７０はまた、実行されるとプロセッサモジュール１１６５に本明細書で説明される様々な機能（たとえば、呼処理、データベース管理、メッセージルーティングなど）を実行させるように構成された命令を含む、コンピュータ可読、コンピュータ実行可能ソフトウェアコード１１７１を記憶し得る。代替的に、ソフトウェア１１７１は、プロセッサモジュール１１６５によって直接的に実行可能でないことがあるが、たとえば、コンパイルされ実行されると、コンピュータに本明細書で説明される機能を実行させるように構成され得る。
【０１２７】
プロセッサモジュール１１６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール１１６５は、マイクロフォンを介してオーディオを受信し、そのオーディオを、受信されたオーディオを表す（たとえば、長さ２０ｍｓの）パケットに変換し、そのオーディオパケットを与え、ユーザが話しているかどうかの指示を与えるように構成された音声エンコーダ（図示されず）を含み得る。
【０１２８】
図１１のアーキテクチャによれば、コアネットワーク１３０−ｃは通信管理モジュール１１３０をさらに含み得る。通信管理モジュール１１３０は、ユーザ機器１１５−ｈとの通信のような、通信の他の態様を管理することができる。例として、通信管理モジュール１１３０は、バスを介してコアネットワーク１３０−ｃの他のコンポーネントの一部またはすべてと通信しているコアネットワーク１３０−ｃのコンポーネントであり得る。代替的に、通信管理モジュール１１３０の機能は、無線アクセスネットワーク通信モジュール１１２０のコンポーネントとして、コンピュータプログラム製品として、および／またはプロセッサモジュール１１６５の１つまたは複数のコントローラ要素として実装され得る。
【０１２９】
コアネットワーク１３０−ｃのコンポーネントは、図１０のデバイス１０００に関して上で論じられた態様を実装するように構成されてよく、簡潔のためにここで繰り返されないことがある。ネットワーク識別モジュール１０１０−ａは、図１０の回線交換サービスサポート識別モジュール１０１０の一例であり得る。リダイレクトモジュール１０１５−ａは、図１０のコアネットワークリダイレクトモジュール１０１５の一例であり得る。
【０１３０】
コアネットワーク１３０−ｃはまた、ある無線アクセスネットワーク１２１から別の無線アクセスネットワークへのユーザ機器１１５−ｈのハンドオーバー手順を実行するために利用され得る、ハンドオーバーモジュール１１２５を含み得る。たとえば、ハンドオーバーモジュール１１２５は、コアネットワーク１３０−ｃから別のネットワークへのユーザ機器１１５−ｈのハンドオーバー手順を実行することができ、通常の波形がユーザ機器１１５−ｈと無線アクセスネットワーク１２１の１つとの間で利用され、フレキシブル帯域幅波形がユーザ機器と別の無線アクセスネットワークとの間で利用される。コアネットワーク１３０−ｃはまた、異なるＲＡＮ  １２１を通じた異なるサービス（たとえば、ＣＳ、ＰＳ）に異なるユーザ機器１１５を登録するための登録モジュール１１１５を含み得る。
【０１３１】
図１２Ａを見ると、様々な実施形態による、ワイヤレス通信システム内での移動性を提供するための方法１２００−ａのフロー図が提供される。方法１２００−ａは、限定はされないが、図１のシステム１００、図２のシステム２００、図３のシステム３００、図１１のシステム１１００、図４２のシステム４２００、図１、図３Ｂ、および／または図１１のコアネットワーク１３０、および／または図１０のデバイス１０００を含む、様々なワイヤレス通信デバイスおよび／またはシステムを利用して実施され得る。
【０１３２】
ブロック１２０５において、フレキシブル帯域幅の無線アクセスネットワーク上での１つまたは複数の回線交換（ＣＳ）サービスのサポートの欠如が、コアネットワークにおいて特定され得る。ブロック１２１０において、ユーザ機器のための１つまたは複数のＣＳサービスが、コアネットワークにおいて、フレキシブル帯域幅の無線アクセスネットワークから、複数の無線アクセスネットワークのうちの１つまたは複数の回線交換サービスをサポートする無線アクセスネットワークへとリダイレクトされ得る。１つまたは複数の回線交換サービスは、たとえば、回線交換音声サービス、Ｒｅｌｅａｓｅ  ９９  ＣＳ音声サービス、または、１つまたは複数のデータチャネルを通じたＣＳ音声サービスを含み得る。
【０１３３】
いくつかの実施形態は、コアネットワークにおいて、少なくとも１つのパケット交換サービスに関して、フレキシブル帯域幅の無線アクセスネットワークを通じてユーザ機器を登録することを含む。いくつかの実施形態は、コアネットワークにおいて、非音声ＣＳサービス、ＳＭＳデータ、および／またはＣＳデータのような少なくとも１つの回線交換サービスに関して、フレキシブル帯域幅の無線アクセスネットワークを通じてユーザ機器を登録することを含む。いくつかの実施形態は、コアネットワークにおいて、フレキシブル帯域幅の無線アクセスネットワークを通じてユーザ機器から接続要求を受信することを含む。
【０１３４】
いくつかの場合には、ユーザ機器は、フレキシブル帯域幅の無線アクセスネットワーク上にキャンプオンしていることがある。いくつかの場合には、ユーザ機器は現在、ＣＳ音声サービスのような回線交換サービスに対するサポートを欠いているフレキシブル帯域幅キャリアによって少なくともサービスされているか、またはそのようなフレキシブル帯域幅キャリアにキャンプオンしていることがある。
【０１３５】
いくつかの状況では、コアネットワークは、フレキシブル帯域幅の無線アクセスネットワークの能力を認識している。フレキシブル帯域幅の無線アクセスネットワークは、回線交換サービスに対するサポートを欠いていることを認識し得るが、リダイレクトを開始しなくてよい。他の場合には、コアネットワークは、ＣＳ音声サービスのようなＣＳサービスがフレキシブル帯域幅の無線アクセスネットワーク上でサポートされないと判定することができる。いくつかの場合には、コアネットワークは、ＣＳ音声サービスのような回線交換サービスがフレキシブル帯域幅の無線アクセスネットワーク上でサポートされないことを認識しないことがある。
【０１３６】
図１２Ｂを見ると、様々な実施形態による、ワイヤレス通信システム内での移動性を提供するための方法１２００−ｂのフロー図が提供される。方法１２００−ｂは、限定はされないが、図１のシステム１０、図２のシステム２００、図３のシステム３００、図１１のシステム１１００、図４２のシステム４２００、図１、図３Ｂ、および／または図１１のコアネットワーク１３０、および／または図１０のデバイス１０００を含む、様々なワイヤレス通信デバイスおよび／またはシステムを利用して実施され得る。方法１２００−ｂは、図１２Ａの方法１２００−ａの１つまたは複数の態様の一例であり得る。
【０１３７】
ブロック１２１５において、コアネットワークは、複数の無線アクセスネットワークのうちの少なくとも１つの無線アクセスネットワークを通じて、ユーザ機器（ＵＥ）を登録することができる。コアネットワークにおいて、複数の無線アクセスネットワークのフレキシブル帯域幅の無線アクセスネットワーク上での音声サービスのような何らかの回線交換サービスのサポートの欠如を特定することが、ブロック１２０５−ａにおいて行われ得る。コアネットワークにおいて、複数の無線アクセスネットワークのうちの回線交換音声サービスをサポートする無線アクセスネットワークを通じて、ＵＥのための回線交換音声サービスを登録することが、ブロック１２２０において行われ得る。
【０１３８】
図１２Ｃを見ると、様々な実施形態による、ワイヤレス通信システム内での移動性を提供するための方法１２００−ｃのフロー図が提供される。方法１２００−ｂは、限定はされないが、図１のシステム１０、図２のシステム２００、図３のシステム３００、図１１のシステム１１００、図４２のシステム４２００、図１、図３Ｂ、および／または図１１のコアネットワーク１３０、および／または図１０のデバイス１０００を含む、様々なワイヤレス通信デバイスおよび／またはシステムを利用して実施され得る。方法１２００−ｃは、図１２Ａの方法１２００−ａおよび／または図１２Ｂの方法１２００−ｂの１つまたは複数の態様の例であり得る。
【０１３９】
ブロック１２２５において、ＵＥに対する登録要求が、フレキシブル帯域幅の無線帯域幅の無線アクセスネットワークを通じてコアネットワークにおいて受信され得る。登録要求は、たとえば、ＣＳドメインとＰＳドメインの両方に関するものであり得る。いくつかの場合には、登録要求は、ＣＳ音声サービス、ＰＳサービス、および／または非音声ＣＳサービスに関するものであり得る。ブロック１２３０において、コアネットワークは、ＰＳサービスと非音声ＣＳサービスの少なくとも１つに関してフレキシブル帯域幅の無線帯域幅の無線アクセスネットワークにユーザ機器を登録することができる。ブロック１２０５−ｂにおいて、コアネットワークは、複数の無線アクセスネットワークのフレキシブル帯域幅の無線アクセスネットワーク上での、ＣＳ音声サービスのサポートの欠如を特定することができる。ブロック１２２０−ａにおいて、コアネットワークは、複数の無線アクセスネットワークのうちの回線交換音声サービスをサポートする無線アクセスネットワークを通じて、ＵＥのためのＣＳ音声サービスを登録することができる。ブロック１２１０−ａにおいて、コアネットワークは、フレキシブル帯域幅の無線アクセスネットワークから、複数の無線アクセスネットワークのうちの回線交換サービスをサポートする無線アクセスネットワークに、ユーザ機器のためのＣＳ音声サービスをリダイレクトすることができる。
【０１４０】
フレキシブル帯域幅のシステムと通常帯域幅のシステムおよび／または他のフレキシブル帯域幅のシステムとの間での移動性を提供するための、方法、システム、およびデバイスが提供される。これらの方法、システム、およびデバイスは、たとえば、図１３のデバイス１３００、図１４のシステム１４００、図１５Ａの方法１５００−ａ、図１５Ｂの方法１５００−ｂ、および／または図１６の方法１６００を利用して実施され得る。いくつかの例は、無線アクセスネットワーク（ＲＡＮ）が、ＣＳ音声サービスのような回線交換（ＣＳ）サービスのサポートを判定することと、フレキシブル帯域幅のシステム上でのそのようなサービスのサポートがない場合に、そのようなサービスをサポートする無線アクセスネットワークに、そのようなサービスのためにユーザ機器をリダイレクトすることとを実現する。実施形態は、複数の無線アクセスネットワークからのフレキシブル帯域幅の無線アクセスネットワークを通じて、ユーザ機器と通信することと、フレキシブル帯域幅の無線アクセスネットワークによって、複数の無線アクセスネットワークのうちの回線交換サービスをサポートする無線アクセスネットワークに、ユーザ機器のための回線交換サービスをリダイレクトすることとを含み得る。
【０１４１】
フレキシブル帯域幅の無線アクセスネットワークは、複数の無線アクセスネットワークのうちの回線交換サービスをサポートする無線アクセスネットワークに、ユーザ機器のための回線交換サービスをリダイレクトすることができる。多くの場合、フレキシブル帯域幅の無線アクセスネットワークおよび追加のサービス（たとえば、回線交換サービス）をサポートする無線アクセスネットワークは、同じ機器の一部であり得る。たとえば、単一のｎｏｄｅＢは複数のセルを含み得る。例として、あるセルは、フレキシブル帯域幅の無線アクセスネットワークをサポートすることができ、別のセルは、追加のサービスをサポートする無線アクセスネットワークをサポートすることができる。いくつかの場合には、フレキシブル無線アクセスネットワークは、複数の無線アクセスネットワークのうちの回線交換サービスをサポートする無線アクセスネットワークへとユーザ機器のための回線交換サービスをコアネットワークがリダイレクトするように、１つまたは複数のメッセージをコアネットワークに送信することができる。他のサービス（たとえば、ＰＳサービスおよび非音声ＣＳサービス）は、フレキシブル帯域幅の無線アクセスネットワークによって処理され得る。いくつかの例は、フレキシブル帯域幅の無線アクセスネットワーク上でパケット交換サービスを処理することを含む。いくつかの場合には、非音声回線交換サービスは、フレキシブル帯域幅の無線アクセスネットワーク上で処理され得る。他の場合は、フレキシブル帯域幅の無線アクセスネットワークは、いくつかの場合には音声サービスをサポートし得る。
【０１４２】
コアネットワーク（ＣＮ）は、フレキシブル帯域幅ＲＡＮがＣＳ音声サービスのような何らかのＣＳサービスをサポートできないことを認識しないことがある。コアネットワークは、無線アクセスネットワークのフレキシブル帯域幅への対応能力を認識しないことがある（すなわち、フレキシブル帯域幅の無線アクセスネットワークと、通常帯域幅の無線アクセスネットワークとを、サポートされるサービスのタイプの点で区別しない）。他の場合には、コアネットワークは、フレキシブル帯域幅ＲＡＮがＣＳ音声サービスのような何らかのＣＳサービスをサポートできないことを認識することがある。しかしながら、ＣＮは、ＣＳ音声サービスのリダイレクトを処理しないことがあり、むしろ、フレキシブル帯域幅の無線アクセスネットワークにリダイレクトを処理させることがある。他の場合には、コアネットワークは、フレキシブル帯域幅ＲＡＮが何らかのＣＳサービスをサポートできないことを認識することがある。しかしながら、ＣＮ（または別の知識エンティティ）が、ＣＳサービスのリダイレクトのすべてではないが一部を処理して、ＲＡＮがリダイレクトを処理および／または開始することを可能にし得る。
【０１４３】
いくつかの例では、フレキシブル帯域幅ＵＭＴＳ、ＵＭＴＳ、およびＧＳＭのための、ロケーションエリア（ＬＡ）および／またはルーティングエリア（ＲＡ）は重複し得るが、セルサイズが異なるので必ずしも同一ではない。フレキシブル帯域幅ＵＭＴＳおよびＵＭＴＳおよび／またはＧＳＭのセルは、部分的にまたは完全に重複し得る。ＳＧＳＮおよびＭＳＣサービングＵＭＴＳネットワーク、ＧＳＭおよびフレキシブル帯域幅ＵＭＴＳネットワークは同一であり得る。これは、たとえば、ＵＭＴＳ、ＧＳＭ、およびフレキシブル帯域幅ＵＭＴＳが同じ場所で展開される場合に当てはまり得る。いくつかの例では、フレキシブル帯域幅ＵＴＲＡＮは、ＣＳ音声呼を除き、ＣＳ  ＳＭＳと他のＣＳサービスとをサポートする。ＣＳ音声のために、フレキシブル帯域幅ＵＴＲＡＮは、何らかのＣＳ音声関連のシグナリング（たとえば、ユーザ機器がＰＳ呼を行っている場合、ＭＴ  ＣＳ音声呼のためのページングタイプ２メッセージ）をサポートし得る。
【０１４４】
いくつかの例は、ユーザ機器がフレキシブル帯域幅ＵＴＲＡＮ上にキャンプオンし得る状況を含む。ユーザ機器は、フレキシブル帯域幅ＵＴＲＡＮを通じてＣＮとの複合ＩＭＳＩおよびＧＰＲＳ接続を実行することができる。いくつかの例では、ＣＮは、フレキシブル帯域幅ＵＴＲＡＮが音声サービスをサポートしないことを認識しないので、ＣＮは、フレキシブル帯域幅ＵＴＲＡＮ上でのＣＳサービスおよびＰＳサービスのためにユーザ機器を登録し得る。たとえば、ＭＴ／ＭＯ  ＣＳ（音声を除く）およびＰＳ呼は、フレキシブル帯域幅ＵＴＲＡＮ上で処理され得る。たとえば、モバイル終端（ＭＴ）ＣＳ音声呼をセットアップするとき、ＣＳ音声呼をサポートする無線アクセスネットワーク中でＣＳ音声呼を管理するために、ＲＡＮリダイレクトが利用され得る。手順は次のように実施され得る。すなわち、ＭＴ  ＣＳ通知がＭＳＣにおいて受信されると、問合せがユーザ機器に送信されてよく、ユーザ機器は、フレキシブル帯域幅ＵＴＲＡＮによるＧＳＭまたはＵＭＴＳのような、ＣＳ音声をサポートする無線アクセスネットワークにリダイレクトされ得る。同様に、ＭＯ  ＣＳ音声呼をセットアップするとき、フレキシブル帯域幅ＵＴＲＡＮは、ＧＳＭまたはＵＭＴＳのようなＣＳ音声をサポートする無線アクセスネットワークに呼をリダイレクトすることができる。
【０１４５】
いくつかの例は、フレキシブル帯域幅ＵＴＲＡＮのようなフレキシブル帯域幅ＲＡＮ上でＣＳのサポートがなく、フレキシブル帯域幅ＵＴＲＡＮがＣＳを提供しないことをＣＮが認識しているが、ＣＮがリダイレクトを処理せず、フレキシブル帯域幅ＵＴＲＡＮがすべてのＣＳサービスをサポートする場合と同じようにＣＮが動作するという、状況を扱うことができる。モバイル機器は、たとえば、複合ＩＭＳＩおよびＧＰＲＳ接続を行うことができる。ＭＯ／ＭＴ  ＣＳ音声呼に対して、フレキシブル帯域幅ＵＴＲＡＮによる、ＧＳＭまたはＵＭＴＳのようなＣＳ音声をサポートする無線アクセスネットワークへのリダイレクトが使用され得る。
【０１４６】
いくつかの例は、フレキシブル帯域幅ＵＴＲＡＮのようなフレキシブル帯域幅ＲＡＮにおいて音声を除くＣＳサービスのサポートが存在し得る状況を扱うことができる。たとえば、フレキシブル帯域幅ＵＴＲＡＮは、ＣＳシグナリング（たとえば、ユーザ機器がＰＳ呼を行っている場合、ＭＴ  ＣＳ音声呼のためのページングタイプ２メッセージ）をサポートすることができ、ＳＭＳおよびＣＳデータサービスをサポートすることもしないこともあるが、ＣＳ音声呼はサポートしない。ＣＮは、この音声サポートの欠如を認識しないことがある。フレキシブル帯域幅ＵＴＲＡＮによるリダイレクトが利用され得る。いくつかの場合には、ＣＮは、ユーザ機器が、複合ＩＭＳＩおよびＧＰＲＳ接続を使用して適切なＭＳＣおよびＳＧＳＮに登録されることを確実にし得る。ＭＳＣおよびＳＧＳＮは、様々なＲＡＴをサポートし得る。
【０１４７】
以下では、フレキシブル帯域幅ＵＴＲＡＮのようなフレキシブル帯域幅ＲＡＮにおいてＣＳがサポートされ得ないいくつかの実施形態を説明する。単なる例として、ユーザ機器は、フレキシブル帯域幅ＵＴＲＡＮにキャンプオンしており、フレキシブル帯域幅ＵＴＲＡＮを通じて、ＣＮとの複合ＧＰＲＳおよびＩＭＳＩ接続（ＣＳドメインおよびＰＳドメイン上の）を実行することができる。いくつかの場合には、ＧＰＲＳ接続はＳＧＳＮによって受信され、ユーザ機器はＳＧＳＮにおいてＰＳドメインに登録される。ＩＭＳＩ接続要求は、ＳＧＳＮによって受信され、適切なＭＳＣに転送され得る。ＣＮはフレキシブル帯域幅ＲＡＮ上での一部のＣＳサービスのサポートの欠如を認識し得るが、リダイレクトはＲＡＮによって処理され得る。
【０１４８】
いくつかの実施形態は、ＣＳシグナリングがフレキシブル帯域幅ＲＡＮによってサポートされ得るがフレキシブル帯域幅ＵＴＲＡＮのようなフレキシブル帯域幅ＲＡＮ上で音声がサポートされ得ない、フレキシブル帯域幅のシステムを含む。たとえば、ユーザ機器は、フレキシブル帯域幅ＵＴＲＡＮにキャンプオンしていることがある。ＣＳ音声をサポートするＲＡＮにＵＥを移動させるために、ＲＡＮリダイレクトが利用され得る。ユーザ機器は、フレキシブルＵＴＲＡＮを通じてＣＮとの複合ＩＭＳＩおよびＧＰＲＳ接続を実行することができる。ＵＥ登録は、複合ＣＳ’（ＣＳ’はＣＳ音声のようなあるＣＳサービスを除くすべてのＣＳサービスを意味する）およびＰＳ登録のためのものであり得る。結果として、一部のＣＳシグナリング、および場合によっては一部のサービス（たとえば、ＳＭＳ、ＣＤデータなど）がフレキシブルＵＴＲＡＮにおいてサポートされるが、音声はサポートされないことを、ＣＮは認識させられ得る。したがって、そのＵＥに対するＣＳ音声サービスは、ＵＭＴＳまたはＧＳＭのような別のＲＡＮによってサポートされ得るとともに、ＭＴ／ＭＯ  ＣＳ（音声を除く）およびＰＳ呼は、フレキシブルＵＴＲＡＮ上で処理され得る。
【０１４９】
次に図１３を見ると、ブロック図は、様々な実施形態による、移動性機能を含むデバイス１３００を示す。デバイス１３００は、図１、図３Ｂ、および／または図１４のコアネットワーク１３０の態様の一例であり得る。デバイス２１００はプロセッサでもあり得る。デバイス１３００は、受信機モジュール１３０５、リダイレクト判定モジュール１３１０、ＲＡＮリダイレクトモジュール１３１５、および／または送信機モジュール１３２０を含み得る。これらのコンポーネントの各々は互いに通信し得る。さらに、リダイレクト判定モジュール１３１０はまた、他のネットワークエンティティ（たとえば、ＭＳＣ、ＳＧＳＮ、ＣＮ）と通信することができる。リダイレクト判定モジュール１３１０および／またはＲＡＮリダイレクトモジュール１３１５の両方が、ＲＡＮ内の他のエンティティと、リダイレクト判定モジュール１３１０および／またはＲＡＮリダイレクトモジュール１３１５の外部の他のエンティティとに向けられた、メッセージおよびシグナリングに基づいて動作を決定することができる。さらに、リダイレクト判定モジュール１３１０および／またはＲＡＮリダイレクトモジュール１３１５は、他のモジュールに向けられたメッセージとシグナリングとを修正することができる。修正することは、メッセージまたはメッセージ中のフィールドを除去することを含み得る。これらのメッセージは、リダイレクト判定モジュール１３１０および／またはＲＡＮリダイレクトモジュール１３１５（たとえば、ＵＥ、ＲＡＮ、ＣＮ）の外側のエンティティに向けられ、または向けられ得る。さらに、リダイレクト判定モジュール１３１０および／またはＲＡＮリダイレクトモジュール１３１５は、新たなメッセージとシグナリングとを生成し、または、他のモジュールに向けられたメッセージとシグナリングとを除去することができる。
【０１５０】
デバイス１３００のこれらのコンポーネントは、個別にまたは集合的に、ハードウェア中の適用可能な機能の一部またはすべてを実行するように適応された１つまたは複数の特定用途向け集積回路（ＡＳＩＣ）によって実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る、他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令によって実装され得る。
【０１５１】
受信機モジュール１３０５は、パケット、データ、および／またはデバイス１３００が受信または送信したものに関するシグナリング情報のような、情報を受信し得る。受信された情報は、リリダイレクト判定モジュール１３１０および／またはＲＡＮリダイレクトモジュール１３１５によって種々の目的のために利用され得る。
【０１５２】
いくつかの実施形態では、送信機モジュール１３２０および／または受信機モジュール１３０５を通じてデバイス１３００は、複数の無線アクセスネットワークのうちのフレキシブル帯域幅の無線アクセスネットワークを使用して、ユーザ機器と通信するために構成され得る。リダイレクト判定モジュール１３１０および／またはＲＡＮリダイレクトモジュール１３１５は、複数の無線アクセスネットワークのうちの回線交換サービスをサポートする無線アクセスネットワークへと、ユーザ機器のための回線交換サービスをリダイレクトすると判定するために構成され得る。
【０１５３】
リダイレクト判定モジュール１３１０および／またはＲＡＮリダイレクトモジュール１３１５は、回線交換サービスをリダイレクトすることがフレキシブル帯域幅の無線アクセスネットワークにおいて行われ得るように、構成され得る。回線交換サービスをリダイレクトすることは、コアネットワークにおいて行われ得る。いくつかの実施形態は、リダイレクト判定モジュール１３１０、ＲＡＮリダイレクトモジュール１３１５、および／または送信機モジュール１３２０を通じて、１つまたは複数のメッセージをデバイス１３００からコアネットワークに送信し、リダイレクトを促すことを含む。リダイレクト判定モジュール１３１０および／またはＲＡＮリダイレクトモジュール１３１５は、フレキシブル帯域幅の無線アクセスネットワークにおいて、複数の無線アクセスネットワークのうちの回線交換サービスをサポートする無線アクセスネットワークへと、ユーザ機器のための回線交換サービスをリダイレクトするために構成され得る。リダイレクト判定モジュール１３１０および／またはＲＡＮリダイレクトモジュール１３１５は、コアネットワークが、複数の無線アクセスネットワークのうちの回線交換サービスをサポートする無線アクセスネットワークへと、ユーザ機器のための回線交換サービスをリダイレクトするように、１つまたは複数のメッセージをコアネットワークに送信するために構成され得る。リダイレクト判定モジュール１３１０および／またはＲＡＮリダイレクトモジュール１３１５は、コアネットワークが、複数の無線アクセスネットワークのうちの回線交換サービスをサポートする無線アクセスネットワークへと、ユーザ機器のための回線交換サービスをリダイレクトするように、コアネットワークへの１つまたは複数のメッセージを修正することができる。
【０１５４】
デバイス１３００のいくつかの実施形態は、フレキシブル帯域幅の無線アクセスネットワーク上でパケット交換サービスを処理するように構成される。いくつかの実施形態は、フレキシブル帯域幅の無線アクセスネットワーク上で別の回線交換サービスを処理することを含む。他の回線交換サービスは、非音声回線交換サービスまたは回線交換音声サービスを含み得る。
【０１５５】
いくつかの状況では、コアネットワークは、回線交換音声サービスがフレキシブル帯域幅の無線アクセスネットワーク上でサポートされないことを認識しない。いくつかの場合には、コアネットワークは、フレキシブル帯域幅の無線アクセスネットワークのフレキシブル帯域幅への対応能力を認識しないことがある。いくつかの場合には、コアネットワークは、フレキシブル帯域幅の無線アクセスネットワークのフレキシブル帯域幅への対応能力を認識することがある。いくつかの場合には、コアネットワークは、フレキシブル帯域幅の無線アクセスネットワークのフレキシブル帯域幅への対応能力を認識しない。
【０１５６】
図１４は、様々な実施形態による、ワイヤレス通信システムのための移動性のために構成され得る通信システム１４００のブロック図を示す。このシステム１４００は、図１に示されるシステム１００、図２のシステム２００、図３のシステム３００、および／または図４２のシステム４２００、および／または図１３のデバイス１３００の態様の態様を含み得る。無線アクセスネットワーク１２１−ｄは、無線アクセスネットワークの一部を備え得る、複合システムおよび／または別個のシステムを表すために、基地局１０５および／またはコントローラ１２０の態様を含み得る。無線アクセスネットワーク１２１−ｄは、アンテナ１４４５と、送受信機モジュール１４５０と、メモリ１４７０と、プロセッサモジュール１４６５とを含んでよく、その各々は、（たとえば、１つまたは複数のバスを通じて）互いに直接または間接的に通信し得る。送受信機モジュール１４５０は、アンテナ１４４５を介して、マルチモードユーザ機器であり得るユーザ機器１１５−ｉと双方向に通信するように構成され得る。送受信機モジュール１４５０（および／または無線アクセスネットワーク１２１−ｄの他のコンポーネント）はまた、１つまたは複数のネットワークと双方向に通信するように構成され得る。いくつかの場合には、無線アクセスネットワーク１２１−ｄは、ネットワーク通信モジュール１４７５を通じてコアネットワーク１３０−ｄと通信することができる。無線アクセスネットワーク１２１−ｄは、ｅＮｏｄｅＢ基地局、Ｈｏｍｅ  ｅＮｏｄｅＢ基地局、ＮｏｄｅＢ基地局、無線ネットワークコントローラ（ＲＮＣ、）および／またはＨｏｍｅ  ＮｏｄｅＢ基地局の一例であり得る。
【０１５７】
無線アクセスネットワーク１２１−ｄはまた、基地局１０５−ｍおよび基地局１０５−ｎのような他の基地局と通信することができる。基地局１０５の各々は、様々な無線アクセス技術のような様々なワイヤレス通信技術を使用して、ユーザ機器１１５−ｉと通信することができる。いくつかの場合には、無線アクセスネットワーク１２１−ｄは、基地局通信モジュール１４３１を利用して１０５−ｍおよび／または１０５−ｎのような基地局と通信し得る。いくつかの実施形態では、基地局通信モジュール１４３１は、基地局１０５のいくつかの間の通信を行うために、ＬＴＥワイヤレス通信技術内のＸ２インターフェースを与え得る。いくつかの実施形態では、無線アクセスネットワーク１２１−ｄは、コントローラ１２０−ａおよび／またはネットワーク１３０−ｄを通じて他の基地局と通信し得る。
【０１５８】
メモリ１４７０は、ランダムアクセスメモリ（ＲＡＭ）と読取り専用メモリ（ＲＯＭ）とを含み得る。メモリ１４７０はまた、実行されるとプロセッサモジュール１４６５に本明細書で説明される様々な機能（たとえば、呼処理、データベース管理、メッセージルーティングなど）を実行させるように構成された命令を含む、コンピュータ可読、コンピュータ実行可能ソフトウェアコード１４７１を記憶し得る。代替的に、ソフトウェア１４７１は、プロセッサモジュール１４６５によって直接的に実行可能でないことがあるが、たとえば、コンパイルされ実行されると、コンピュータに本明細書で説明される機能を実行させるように構成され得る。
【０１５９】
プロセッサモジュール１４６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール１４６５は、マイクロフォンを介してオーディオを受信し、そのオーディオを、受信されたオーディオを表す（たとえば、長さ２０ｍｓの）パケットに変換し、そのオーディオパケットを与え、かつ／またはユーザが話しているかどうかの指示を与えるように構成された音声エンコーダ（図示されず）を含み得る。
【０１６０】
送受信機モジュール１４５０は、パケットを変調し、変調されたパケットを送信のためにアンテナ１４４５に供給し、アンテナ１４４５から受信されたパケットを復調するように構成されたモデムを含み得る。無線アクセスネットワーク１２１−ｄのいくつかの例は単一のアンテナ１４４５を含み得るが、無線アクセスネットワーク１２１−ｄは、好ましくは、キャリアアグリゲーションをサポートし得る複数のリンクのための複数のアンテナ１４４５を含む。たとえば、ユーザ機器１１５−ｉとのマクロ通信をサポートするために１つまたは複数のリンクが使用され得る。
【０１６１】
図１４のアーキテクチャによれば、無線アクセスネットワーク１２１−ｄは通信管理モジュール１４３０をさらに含み得る。通信管理モジュール１４３０は、他の基地局１０５またはＲＮＣ  １２０との通信を管理し得る。例として、通信管理モジュール１４３０は、バスを介して無線アクセスネットワーク１２１−ｄの他のコンポーネントの一部またはすべてと通信している無線アクセスネットワーク１２１−ｄのコンポーネントであり得る。代替的に、通信管理モジュール１４３０の機能は、送受信機モジュール１４５０のコンポーネントとして、コンピュータプログラム製品として、および／またはプロセッサモジュール１４６５の１つまたは複数のコントローラ要素として実装され得る。
【０１６２】
無線アクセスネットワーク１２１−ｄのコンポーネントは、図１３のデバイス１３００に関して上で論じられた態様を実装するように構成されてよく、簡潔のためにここで繰り返されないことがある。リダイレクトモジュール１３１５−ａは、ＲＡＮリダイレクトモジュール１３１５−ａの一例であり得る。リダイレクト判定モジュール１３１０−ａは、リダイレクト判定モジュール１３１０−ａの一例であり得る。
【０１６３】
無線アクセスネットワーク１２１−ｄはまた、スペクトル識別モジュール１４１５を含み得る。スペクトル識別モジュール１４１５は、フレキシブル帯域幅波形のために利用可能なスペクトルを識別するために利用され得る。いくつかの実施形態は、システム１４００の他の態様がＣＳ音声サービスのような回線交換サービスのサポートを含むかどうかを判定するための、回線交換サポート識別モジュール１４２０を含み得る。いくつかの実施形態では、ハンドオーバーモジュール１４２５は、ある基地局から別の基地局へのユーザ機器１１５−ｉのハンドオーバー手順を実行するために利用され得る。たとえば、ハンドオーバーモジュール１４２５は、無線アクセスネットワーク１２１−ｄから別のネットワークへのユーザ機器１１５−ｉのハンドオーバー手順を実行することができ、通常の波形がユーザ機器１１５−ｉと基地局の１つとの間で利用され、フレキシブル帯域幅波形がユーザ機器と別の基地局との間で利用される。スケーリングモジュール１４２７は、チップレートをスケーリングおよび／または変更してフレキシブル帯域幅波形を生成するために利用され得る。
【０１６４】
いくつかの実施形態では、無線アクセスネットワーク１２１−ｄの他の可能なコンポーネントとともに、アンテナ１４４５と組み合わされた送受信機モジュール１４５０が、フレキシブル帯域幅波形および／またはスケーリング係数に関する情報を、無線アクセスネットワーク１２１−ｄからユーザ機器１１５−ｉに、他の基地局１０５−ｍ／１０５−ｎに、またはコアネットワーク１３０−ｄに送信および／または受信することができる。いくつかの実施形態では、無線アクセスネットワーク１２１−ｄの他の可能なコンポーネントとともに、アンテナ１４４５と組み合わされた送受信機モジュール１４５０が、フレキシブル帯域幅波形および／またはスケーリング係数のような情報を、ユーザ機器１１５−ｉ、他の基地局１０５−ｍ／１０５−ｎ、またはコアネットワーク１３０−ｄとの間で送信および／または送信することができるので、これらのデバイスまたはシステムはフレキシブル帯域幅波形を利用することができる。
【０１６５】
図１５Ａを見ると、様々な実施形態による、ワイヤレス通信システム内での移動性を提供するための方法１５００−ａのフロー図が提供される。方法１５００−ａは、限定はされないが、図１のシステム１００、図２のシステム２００、図３のシステム３００、図１４のシステム１４００、図４２のシステム４２００、図１４の無線アクセスネットワーク１２１、および／または図１３のデバイス１３００を含む、様々なワイヤレス通信デバイスおよび／またはシステムを利用して実施され得る。
【０１６６】
フレキシブル帯域幅の無線アクセスネットワークを通じてユーザ機器と通信することが、ブロック１５０５において行われてよく、フレキシブル帯域幅の無線アクセスネットワークは、無線アクセスネットワークのグループからのものである。フレキシブル帯域幅の無線アクセスネットワークによって、複数の無線アクセスネットワークのうちの回線交換サービスをサポートする無線アクセスネットワークに、ユーザ機器のための回線交換サービスをリダイレクトすると決定することが、ブロック１５１０において行われ得る。
【０１６７】
方法１５００−ａでは、回線交換サービスをリダイレクトすることは、フレキシブル帯域幅の無線アクセスネットワークにおいて行われ得る。回線交換サービスをリダイレクトすることは、コアネットワークにおいて行われ得る。いくつかの実施形態は、１つまたは複数のメッセージをフレキシブル帯域幅の無線アクセスネットワークからコアネットワークに送信して、リダイレクトを開始および／または支援することを含む。方法１５００−ａは、フレキシブル帯域幅の無線アクセスネットワークにおいて、複数の無線アクセスネットワークのうちの回線交換サービスをサポートする無線アクセスネットワークに、ユーザ機器のための回線交換サービスをリダイレクトすることを含み得る。方法１５００−ａは、複数の無線アクセスネットワークのうちの回線交換サービスをサポートする無線アクセスネットワークへとユーザ機器のための回線交換サービスをコアネットワークがリダイレクトするように、１つまたは複数のメッセージをコアネットワークに送信することを含み得る。いくつかの実施形態は、複数の無線アクセスネットワークのうちの回線交換サービスをサポートする無線アクセスネットワークへとユーザ機器のための回線交換サービスをコアネットワークがリダイレクトするように、コアネットワークへの１つまたは複数のメッセージを修正することを含み得る。
【０１６８】
いくつかの実施形態は、フレキシブル帯域幅の無線アクセスネットワーク上でパケット交換サービスを処理することを含む。いくつかの実施形態は、フレキシブル帯域幅の無線アクセスネットワーク上で別の回線交換サービスを処理することを含む。他の回線交換サービスは、非音声回線交換サービスまたは回線交換音声サービスを含み得る。
【０１６９】
いくつかの状況では、コアネットワークは、フレキシブル帯域幅の無線アクセスネットワークのフレキシブル帯域幅への対応能力を認識しないことがある。たとえば、コアネットワークは、回線交換サービスがフレキシブル帯域幅の無線アクセスネットワーク上でサポートされないことを認識しないことがある。他の状況では、コアネットワークは、フレキシブル帯域幅の無線アクセスネットワークのフレキシブル帯域幅への対応能力を認識することがある。いくつかの状況では、コアネットワークは、回線交換サービスがフレキシブル帯域幅の無線アクセスネットワーク上でサポートされないことを認識する。
【０１７０】
図１５Ｂを見ると、様々な実施形態による、ワイヤレス通信システム内での移動性を提供するための方法１５００−ｂのフロー図が提供される。方法１５００−ｂは、限定はされないが、図１のシステム１００、図２のシステム２００、図３のシステム３００、図１４のシステム１４００、図４２のシステム４２００、図１４の無線アクセスネットワーク１２１、および／または図１３のデバイス１３００を含む、様々なワイヤレス通信デバイスおよび／またはシステムを利用して実施され得る。方法１５００−ｂは、図１５Ａの方法１５００−ａの１つまたは複数の態様の一例であり得る。
【０１７１】
ブロック１５０５−ａにおいて、フレキシブル帯域幅の無線アクセスネットワークを通じてユーザ機器と通信することが行われてよく、フレキシブル帯域幅の無線アクセスネットワークは、複数の無線アクセスネットワークのグループからのものである。ブロック１５１５において、少なくともパケット交換サービスまたは非音声回線交換サービスが、フレキシブル帯域幅の無線アクセスネットワーク上で処理され得る。ブロック１５１０−ａにおいて、フレキシブル帯域幅の無線アクセスネットワークが、コアネットワークにおいて、複数の無線アクセスネットワークのうちの回線交換サービスをサポートする無線アクセスネットワークに、ユーザ機器のための回線交換サービスをリダイレクトすると決定することができる。ブロック１５２０において、１つまたは複数のメッセージが、フレキシブル帯域幅の無線アクセスネットワークからコアネットワークに送信されて、リダイレクトを開始することができる。
【０１７２】
図１５Ｃを見ると、様々な実施形態による、ワイヤレス通信システム内での移動性を提供するための方法１５００−ｃのフロー図が提供される。方法１５００−ｃは、限定はされないが、図１のシステム１００、図２のシステム２００、図３のシステム３００、図１４のシステム１４００、図４２のシステム４２００、図１４の無線アクセスネットワーク１２１、および／または図１３のデバイス１３００を含む、様々なワイヤレス通信デバイスおよび／またはシステムを利用して実施され得る。方法１５００−ｃは、図１５Ａの方法１５００−ａおよび／または図１５Ｂの方法１５００−ｂの１つまたは複数の態様の例であり得る。
【０１７３】
ブロック１５０５−ｂにおいて、フレキシブル帯域幅の無線アクセスネットワークを通じてユーザ機器と通信することが行われ得る。フレキシブル帯域幅の無線アクセスネットワークは、複数の無線アクセスネットワークのグループからのものであり得る。ブロック１５１０−ｂにおいて、フレキシブル帯域幅の無線アクセスネットワークが、複数の無線アクセスネットワークのうちの回線交換音声サービスをサポートする無線アクセスネットワークに、ユーザ機器のための回線交換音声サービスをリダイレクトすると決定することができる。ブロック１５２５において、フレキシブル帯域幅の無線アクセスネットワークは、複数の無線アクセスネットワークのうちの回線交換サービスをサポートする無線アクセスネットワークに、ユーザ機器のための回線交換音声サービスをリダイレクトすることができる。
【０１７４】
図１６を見ると、様々な実施形態による、ワイヤレス通信システム内での移動性を提供するための方法１６００のフロー図が提供される。方法１６００は、限定はされないが、図１のシステム１００、図２のシステム２００、図３のシステム３００、図１１のシステム１１００、図１４のシステム１４００、図４２のシステム４２００、図１１のコアネットワーク１３０、図１４の無線アクセスネットワーク１２１、および／または図１３のデバイス１３００を含む、様々なワイヤレス通信デバイスおよび／またはシステムを利用して実施され得る。方法１６００は、図１５Ａの方法１５００−ａ、図１５Ｂの方法１５００−ｂ、図１２Ａの方法１２００−ａ、および／または図１２Ｂの方法１２００−ｂの１つまたは複数の態様の例であり得る。
【０１７５】
ブロック１６０５において、ユーザ機器は、フレキシブル帯域幅のネットワークを含む第１の無線アクセスネットワーク上でパケット交換サービスに登録され得る。ブロック１６１０において、音声サービスのような回線交換サービスが第１の無線アクセスネットワーク上でサポートされないと判定され得る。ブロック１６１５において、ＵＥが、通常帯域幅アクセスネットワークを含み得る、回線交換サービスをサポートする第２の無線アクセスネットワーク上で回線交換サービスに登録され得る。
【０１７６】
フレキシブル帯域幅のシステムと通常帯域幅のシステムおよび／または他のフレキシブル帯域幅のシステムとの間での移動性を支援する、方法、システム、およびデバイスが提供される。方法、システム、および／またはデバイスは、たとえば、図２５のシステム２５００、図２６のシステム２６００、図２７のユーザ機器２７００、図２８Ａの方法２８００−ａ、および／または図２８Ｂの方法２８００−ｂの１つまたは複数の態様を利用して実施され得る。いくつかの実施形態は、フレキシブル帯域幅のシステムへの移行またはスプリングフォワードを実現する。スプリングフォワードは、通常帯域幅キャリア（たとえば、ＧＳＭ、ＵＭＴＳ）からフレキシブル帯域幅キャリアへの移行を含み得る。いくつかの実施形態は、第１の無線アクセスネットワークから第２の無線アクセスネットワークに移行することを含み得、ここで、第１の無線アクセスネットワークは通常帯域幅の無線アクセスネットワークを含み、第２の無線アクセスネットワークはフレキシブル帯域幅の無線アクセスネットワークを含む。いくつかの実施形態は、第１の無線アクセスネットワークを通じて通信すること、ここで、第１の無線アクセスネットワークが第１の帯域幅キャリアを利用する、と、第２の無線アクセスネットワークを識別すること、ここで、第２の無線アクセスネットワークが第１のフレキシブル帯域幅キャリアを利用する、と、第１の無線アクセスネットワークの第１の帯域幅キャリアを利用することから第２の無線アクセスネットワークの第１のフレキシブル帯域幅キャリアを利用することへと移行することとを含み得る、フレキシブル帯域幅への移動性を支援するための方法を含む。第１の帯域幅キャリアは、通常帯域幅キャリア、または第１のフレキシブル帯域幅キャリアとは異なる第２のフレキシブル帯域幅キャリアであり得る。
【０１７７】
コアネットワークは、移行の１つまたは複数の態様を管理し得る。いくつかの実施形態では、無線アクセスネットワークの少なくとも１つが、移行の１つまたは複数の態様を管理する。移行は、ユーザ機器のためのパケット交換サービスに関連し得る。移行は、限定はされないが、負荷ベースのハンドオーバー手順、サービスベースのハンドオーバー手順、および／または周波数間ハンドオーバー手順を含む、種々の異なる手順を利用し得る。ハンドオーバーが１つのサービスに関与する場合、それは単一無線アクセスベアラ（ＲＡＢ）ハンドオーバーと呼ばれることがあり、複数のサービス（たとえば、ＣＳ呼およびＰＳ呼）が関与し得る場合、ハンドオーバーはマルチＲＡＢハンドオーバーと呼ばれることがある。これらのハンドオーバー手順はまた、新たなセルからの測定をユーザ機器が行うことを伴ってよく、またはハンドオーバーは無条件に実行されてよい。
【０１７８】
いくつかの実施形態は、フレキシブル帯域幅のシステムに移行するための負荷ベースのハンドオーバーを含む。いくつかの実施形態は、フレキシブル帯域幅のシステムに移行するための負荷ベースのハンドオーバーを含む。特定のネットワークが新たな呼をネットワークに追加することをサポートできないので関連するＵＥを別のネットワークにハンドオーバーする場合にネットワークにおいて通常引き起こされる、負荷ベースのハンドオーバーが使用される。ハンドオーバーのために、通常帯域幅のシステムとフレキシブル帯域幅のシステムとの間で、サービスがフレキシブル帯域幅のネットワーク上でより良好にサポートされ得る場合に引き起こされる、負荷ベースのハンドオーバー手順が使用され得る。この状況において負荷ベースのハンドオーバーを引き起こす理由は、必ずしも通常帯域幅のネットワークの負荷によるものではない。たとえば、負荷ベースのハンドオーバーは、ＧＳＭからフレキシブルシステムに移行またはスプリングフォワードするために利用され得る。たとえば、ＧＳＭネットワークに入ると、ＵＥは、ＧＳＭネットワーク上で複合ＧＰＲＳおよびＩＭＳＩ接続を実行することができ、その後、ＵＥはセルにキャンプオンする。ＵＥは、ＭＯ  ＰＳ呼を開始することができ、または、ＭＴ  ＰＳ呼（たとえば、フレキシブル帯域幅のネットワークではサポートされ得るがＧＥＲＡＮではサポートされないデータレートを伴う）を受信することができる。ユーザ機器は、サービス要求を送信することができ、呼のためのＰＤＰコンテキスト（PDP context）をセットアップすることができる。ＧＳＭネットワークは、呼を受け入れることができ、適切なベアラリソースを割り当ててＰＳ呼をサポートすることができ、ユーザ機器とのＰＳ接続を確立することができる。ＧＥＲＡＮは、ＱｏＳがフレキシブル帯域幅ＵＭＴＳセルによってサービスされ得るので、ＲＡＮがフレキシブル帯域幅ＵＴＲＡＮターゲットセルへの再配置を開始できると、判断することができる。フレキシブル帯域幅ＵＭＴＳターゲットセルは、たとえば、地理的に重複するまたは隣接するＵＭＴＳとフレキシブル帯域幅ＵＭＴＳセルとのリストを含むデータベースから、ＲＡＮにおいて判定され得る。ＧＥＲＡＮは、ユーザ機器が、セル変更命令コマンドをユーザ機器に発する前に、ターゲットフレキシブル帯域幅ＵＭＴＳセル上でＲＡＴ間測定を実行することを求めることができる。いくつかの実施形態では、このことは、ユーザ機器がフレキシブル帯域幅ＵＴＲＡＮをサポートすることが知られていない可能性がある場合に、行われ得る。ユーザ機器がフレキシブル帯域幅ＵＭＴＳターゲットセルを検出し、適切な信号強度をＧＥＲＡＮに報告できる場合、ＧＥＲＡＮは、「ＵＴＲＡＮへのセル変更命令」コマンドをユーザ機器に送信することができる。測定がユーザ機器のために構成されない場合、ＧＥＲＡＮは、無条件にセル変更命令コマンドをユーザ機器に送信して、ターゲットフレキシブル帯域幅ＵＭＴＳセルに合わせることができる。これは、たとえば、ユーザ機器がフレキシブル帯域幅ＵＴＲＡＮをサポートすることが知られている場合に、行われ得る。いくつかの実施形態では、ユーザ機器がハンドオーバーされる前にターゲットフレキシブル帯域幅ＵＭＴＳセルを識別できるように測定が構成され、これにより、フレキシブル帯域幅ＵＭＴＳセルを検出することが不可能であり得る非フレキシブルなユーザ機器および／または通常のユーザ機器に対して特に、呼の切断を避けることができる。この実施形態は、進行中のＣＳ音声呼がない可能性のある状況を含む。また、要求されたデータレートがＧＥＲＡＮによってサポートされ得る場合、ＰＳ呼がフレキシブル帯域幅ＵＴＲＡＮにハンドオーバーされないことが可能であり得る。
【０１７９】
いくつかの場合には、フレキシブル帯域幅のシステムに移行するためのサービスベースのハンドオーバーが利用され得る。たとえば、サービスベースのハンドオーバー（ＳＢＨＯ）は、ＧＳＭからフレキシブル帯域幅ＵＭＴＳに移行またはスプリングフォワードするために利用され得る。たとえば、ＧＳＭからフレキシブル帯域幅ＵＴＲＡＮへのフレキシブル帯域幅への対応能力のあるＵＥのリダイレクトは、ＰＳ呼がＵＥによって試みられたときに行われ得る。サービスベースのＨＯ手順が利用されてよく、ＵＥはセル変更命令メッセージによってハンドオーバーを通知され得る。フレキシブル帯域幅ＵＴＲＡＮセルに関する、ＧＥＲＡＮからＵＥに送信されるセル変更命令（ＣＣＯ）メッセージは、ＵＥがフレキシブル帯域幅ＵＴＲＡＮセル上で測定を行った後に、または無条件に、ＧＥＲＡＮによって送信され得る。ＧＥＲＡＮは、測定を命令する前またはＣＣＯを送信する前に、ＵＥがフレキシブル帯域幅に対応可能かどうかを知っていることも知らないこともある。いくつかの場合には、ＧＥＲＡＮは、ＵＥがフレキシブル能力を有するかどうかを判定するための追加の情報を取得することが可能であり得る。フレキシブル帯域幅のネットワーク上でＰＳサービスをサポートするために、ＳＧＳＮは、ＵＥ能力を認識する場合、ＩＭＥＩのようなＵＥＩＤに基づいて、フレキシブル帯域幅への対応能力のあるＵＥのためのＳＢＨＯを選択的に実行することができる。いくつかの実施形態では、ＳＢＨＯは、フレキシブル帯域幅ＵＴＲＡＮへのＨＯを実行するようにＳＧＳＮがＢＳＣに通知することを含み得る。
【０１８０】
いくつかの実施形態は、測定に基づかないで、かつ／またはユーザ機器の測定に基づいて、ハンドオーバー手順を利用することができる。たとえば、負荷ベースのハンドオーバー、サービスベースのハンドオーバー、および／または周波数間ハンドオーバーのために、ネットワークがＵＥにハンドオーバーを伝える前に、ネットワークは、ターゲットセルの測定を行うかどうかをＵＥに尋ねることができる。たとえば、いくつかの実施形態は、モバイル支援（ＵＥ測定ベースの）ハンドオーバーを含み、そのハンドオーバーにおいて、たとえば、圧縮モードギャップ（測定ギャップ）が適切なターゲットセルを見つけるための周波数間測定のためにスケジューリングされ得る。これは、ユーザ機器がフレキシブル帯域幅をサポートすることが知られていない可能性がある場合に、利用され得る。いくつかの実施形態は、データベースおよび／またはネットワークにより支援されるハンドオーバーを利用し、このハンドオーバーはたとえば、他の周波数に対して実行される測定を含まないことがあり、むしろ、セルマッピング情報がデータベースに記憶されてよく、ターゲットセルを識別するために使用される。この手法は、ユーザ機器がフレキシブル帯域幅をサポートすることがすでに知られている可能性がある場合に、行われ得る。たとえば、セルマッピング情報は、同じ位置にあるフレキシブルセルおよびＧＳＭ／ＵＭＴＳセルの知識から、ＲＡＮにおいて利用可能であり得る。ユーザ機器能力情報は、たとえば、ＲＡＮに報告された以前のユーザ機器測定結果から、ＲＡＮによって時間をかけて構築され得る。その後、ユーザ機器がフレキシブル帯域幅適合であることが知られ得ると、無条件のＨＯが実行され得る。
【０１８１】
いくつかの場合には、通常帯域幅のシステムからフレキシブル帯域幅のシステムへの周波数間ハンドオーバー（ＩＦＨＯ）が利用され得る。いくつかの実施形態は、非測定ベースであり得る。たとえば、ユーザ機器はＵＭＴＳネットワークにキャンプオンすることがあり、ＭＴ  ＰＳ呼（フレキシブル帯域幅のネットワークにおいてサポートされ得るビットレートを伴う）を受信することがあり、またはＭＯ  ＰＳ呼を確立することを決めることがある。ユーザ機器は、サービス要求を送信することができ、呼のためのＰＤＰコンテキストをセットアップすることができる。ＵＭＴＳネットワークは、呼を受け入れることができ、適切なＲＡＢリソースを割り当ててＰＳ呼をサポートすることができ、ユーザ機器とのＰＳ接続を確立することができる。ＲＡＮ参照アルゴリズムを使用して、ＲＡＮは、ＱｏＳがフレキシブル帯域幅ＵＭＴＳセルによってサービスされ得るので、ＲＡＮがフレキシブル帯域幅ＵＭＴＳターゲットセルへの再配置を開始し得ると、判断することができる。フレキシブル帯域幅ＵＭＴＳターゲットセルは、地理的に重複するまたは隣接するＵＭＴＳとフレキシブル帯域幅ＵＭＴＳセルとのリストを含むデータベースから、ＲＡＮにおいて判定され得る。いくつかの実施形態では、ＲＡＮは、ユーザ機器へのハンドオーバーを行う前に、ターゲットセル上で周波数間測定をユーザ機器が実行することを求めることができる。ユーザ機器がターゲットセルを見つけ、好ましい信号強度をＵＭＴＳ  ＲＡＮに報告すると、ＵＭＴＳ  ＲＡＮは、「物理チャネル再構成」メッセージをユーザ機器に送信することができる。測定が行われない場合、ＵＭＴＳは、「物理チャネル再構成」メッセージを無条件にユーザ機器に送信して、ターゲットに合わせることができる。いくつかの実施形態では、ユーザ機器は、ハンドオーバーされる前にターゲットセルを識別して、特に非フレキシブルユーザ機器または通常のＵＭＴＳユーザ機器に対する呼の切断を避ける。
【０１８２】
いくつかの実施形態は、いくつかの違いを伴う、負荷ベースのハンドオーバーに類似し得る周波数間ハンドオーバーを含み得る。たとえば、１つの違いは、周波数間ＨＯがユーザ機器の測定された信号強度に基づいて引き起こされ得るということであり得る。測定された信号強度が閾値を超えた可能性があると、ユーザ機器は、その事象をＵＭＴＳ  ＲＡＮ（ＵＴＲＡＮ）にシグナリングすることができ、再配置要求（relocation required）コマンドがＲＡＮによってＳＧＳＮに発せられ得る。ＨＯ手順は次いで、負荷ベースのハンドオーバーと同様に進行し得る。ＩＦＨＯと負荷ベースのハンドオーバーとの違いは、フレキシブル帯域幅ＵＭＴＳのセルを識別し得るユーザ機器（たとえば、フレキシブル帯域幅ＵＭＴＳユーザ機器）のみがターゲットセルへのハンドオーバーを引き起こされ得るということであり得る。いくつかの実施形態はマルチＲＡＢの状況を含み得る。たとえば、ＵＭＴＳ  ＲＡＮ上の既存のＰＳ呼の場合、別のＭＴまたはＭＯ  ＰＳ呼がネットワークによって受信されてよく、別のＲＡＢがそのような呼に対してセットアップされてよい。単一ＲＡＢの状況と同様に、フレキシブル帯域幅ＵＭＴＳセルが複数のＲＡＢサービスをサポートする場合、負荷ベースハンドオーバーまたは周波数間ハンドオーバーは、通常帯域幅セルからフレキシブル帯域幅セルにＵＥを移行するためのものであり得る。
【０１８３】
いくつかの実施形態は、ユーザ機器がキャンプオンし得る好ましい無線アクセス技術（ＲＡＴ）を伴う。たとえば、音声中心のユーザ機器では、ＧＳＭが好ましいＲＡＴであり得る。低データレートおよび／または中データレートが中心のユーザ機器では、フレキシブル帯域幅ＵＭＴＳが好ましいＲＡＴまたは好ましいＲＡＴのモードであり得る。高データレートが中心のユーザ機器では、ＵＭＴＳ／ＨＳＰＡが好ましいＲＡＴまたは好ましいＲＡＴのモードであり得る。
【０１８４】
次に図１７を見ると、ブロック図は、様々な実施形態による、移動性機能を含むデバイス１７００を示す。デバイス１７００は、図１、図３Ｂ、図２５、および／または図２６のコアネットワーク１３０、図３Ｂ、図２５、および／または図２６の無線アクセスネットワーク１２１、および／または、図１、図２、図３、図２５、図２６、および／または図２７のユーザ機器１１５の態様の例であり得る。デバイス２１００はプロセッサでもあり得る。デバイス１７００は、受信機モジュール１７０５、ネットワーク識別モジュール１７１０、スプリングフォワードモジュール１７１５、および／または送信機モジュール１７２０を含み得る。これらのコンポーネントの各々は互いに通信し得る。デバイス１７００は、図４〜図２０および／または関連する説明において示されるような呼のフローおよび／またはシステムの様々な態様を実装するように構成され得る。
【０１８５】
デバイス１７００のこれらのコンポーネントは、個別にまたは集合的に、ハードウェア中の適用可能な機能の一部またはすべてを実行するように適応された１つまたは複数の特定用途向け集積回路（ＡＳＩＣ）によって実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令によって実装され得る。
【０１８６】
受信機モジュール１７０５は、パケット、データ、および／またはデバイス１７００が受信または送信したものに関するシグナリング情報のような、情報を受信し得る。受信された情報は、ネットワーク識別モジュール１７１０および／またはスプリングフォワードモジュール１７１５によって種々の目的のために利用され得る。
【０１８７】
いくつかの実施形態では、スプリングフォワードモジュール１７１５は、第１の無線アクセスネットワークから第２の無線アクセスネットワークに移行するために構成され、第１の無線アクセスネットワークは通常帯域幅の無線アクセスネットワークを含み、第２の無線アクセスネットワークはフレキシブル帯域幅の無線アクセスネットワークを含む。いくつかの実施形態では、コアネットワークは、スプリングフォワードモジュール１７１５を通じた移行の１つまたは複数の態様を管理する。いくつかの実施形態では、無線アクセスネットワークの少なくとも１つが、スプリングフォワードモジュール１７１５を通じた移行の１つまたは複数の態様を管理する。移行は、ＵＥのためのパケット交換サービスに関連し得る。スプリングフォワードモジュール１７１５は、限定はされないが、負荷ベースのハンドオーバー手順、サービスベースのハンドオーバー手順、周波数間ハンドオーバー手順、および／またはマルチＲＡＢの負荷ベースの手順、マルチＲＡＢのサービスベースの手順、および／またはマルチＲＡＢの周波数間ハンドオーバー手順を含む、種々の異なる手順を利用することができる。これらのハンドオーバーは、新たなセルからの測定をユーザ機器が行うことを伴ってよく、またはハンドオーバーは無条件に実行されてよい。
【０１８８】
受信機モジュール１７０５および／または送信機モジュール１７２０は、第１の無線アクセスネットワークを通じて通信するように構成され得、ここにおいて、第１の無線アクセスネットワークは第１の帯域幅キャリアを利用する。ネットワーク識別モジュール１７１０は、第２の無線アクセスネットワークを識別するために構成され得、ここにおいて、第２の無線アクセスネットワークは第１のフレキシブル帯域幅キャリアを利用する。スプリングフォワードモジュール１７１５は、第１の無線アクセスネットワークの第１の帯域幅キャリアを利用することから、第２の無線アクセスネットワークの第１のフレキシブル帯域幅キャリアを利用することへと移行するために構成され得る。第１のフレキシブル帯域幅キャリアに移行した後で、受信機モジュール１７０５および／または送信機モジュール１７２０は、第２の無線アクセスネットワークを通じて通信するように構成され得、ここにおいて、第２の無線アクセスネットワークは第１のフレキシブル帯域幅キャリアを利用する。
【０１８９】
第１の無線アクセスネットワークの第１の帯域幅キャリアを利用することから第２の無線アクセスネットワークの第１のフレキシブル帯域幅キャリアを利用することに移行することは、コアネットワークによって少なくとも一部管理され得る。第１の無線アクセスネットワークの第１の帯域幅キャリアを利用することから第２の無線アクセスネットワークの第１のフレキシブル帯域幅キャリアを利用することに移行することは、無線アクセスネットワークの少なくとも１つによって少なくとも一部管理され得る。いくつかの実施形態では、ネットワーク識別モジュール１７１０は、これらの移行ステップの１つまたは複数を実行するために構成され得る。第１の帯域幅キャリアは、通常帯域幅キャリア、または第１のフレキシブル帯域幅キャリアとは異なる第２のフレキシブル帯域幅キャリアを含み得る。
【０１９０】
第１の無線アクセスネットワークの第１の帯域幅キャリアを利用することから第２の無線アクセスネットワークの第１のフレキシブル帯域幅キャリアを利用することに移行することは、ユーザ機器のためのパケット交換サービスに関連し得る。第１の無線アクセスネットワークの第１の帯域幅キャリアを利用することから第２の無線アクセスネットワークの第１のフレキシブル帯域幅キャリアを利用することに移行することは、負荷ベースのハンドオーバーを利用することを含み得る。第１の無線アクセスネットワークの第１の帯域幅キャリアを利用することから第２の無線アクセスネットワークの第１のフレキシブル帯域幅キャリアを利用することに移行することは、サービスベースのハンドオーバーを利用することを含み得る。第１の無線アクセスネットワークの第１の帯域幅キャリアを利用することから第２の無線アクセスネットワークの第１のフレキシブル帯域幅キャリアを利用することに移行することは、無条件のハンドオーバーを利用することを含み得る。第１の無線アクセスネットワークの第１の帯域幅キャリアを利用することから第２の無線アクセスネットワークの第１のフレキシブル帯域幅キャリアを利用することに移行することは、ユーザ機器測定を利用することを含み得る。たとえば、単一ＲＡＢの負荷ベースのハンドオーバー手順、単一ＲＡＢのサービスベースのハンドオーバー手順、単一ＲＡＢの周波数間ハンドオーバー手順、マルチＲＡＢの負荷ベースのハンドオーバー手順、マルチＲＡＢのサービスベースのハンドオーバー手順、および／またはマルチＲＡＢの周波数間ハンドオーバー手順は、新たなセルからの測定をユーザ機器が行うことを伴ってよく、またはハンドオーバーは無条件に実行されてよい。第１の無線アクセスネットワークの第１の帯域幅キャリアを利用することから第２の無線アクセスネットワークの第１のフレキシブル帯域幅キャリアを利用することに移行することは、周波数間ハンドオーバーを利用することを含み得る。第１の無線アクセスネットワークの第１の帯域幅キャリアを利用することから第２の無線アクセスネットワークの第１のフレキシブル帯域幅キャリアを利用することに移行することは、マルチＲＡＢの周波数間ハンドオーバー、サービスベースのハンドオーバー、および／または負荷ベースのハンドオーバーを利用することを含み得る。
【０１９１】
いくつかの実施形態では、ネットワーク識別モジュール１７１０は、これらの移行ステップの１つまたは複数を実行するために構成され得る。いくつかの実施形態では、ネットワーク識別モジュール１７１０は、ユーザ機器が音声中心かデータ中心かに基づいて、ユーザ機器がキャンプオンするのに好ましい無線アクセス技術を判定するために構成され得る。
【０１９２】
デバイス１７００のいくつかの実施形態は、通常帯域幅のシステムおよび／または非フレキシブル帯域幅のシステムからフレキシブル帯域幅のシステムへの移動性を提供することができる。通常帯域幅のシステムおよび／または非フレキシブル帯域幅のシステムは、回線交換音声サービスを処理するように構成され得る。フレキシブル帯域幅のシステムと、非フレキシブル帯域幅のシステムもしくは通常帯域幅のシステムおよび／または回線交換音声サポートシステムとの間の移動性は、これらのシステムの間の移行および／またはスプリングフォワードと呼ばれ得る。たとえば、いくつかの実施形態は、通常のＲＡＮおよび／または非フレキシブルＲＡＮからフレキシブルＲＡＮへの移行を含み得る。いくつかの実施形態では、フレキシブルＲＡＮまたはフレキシブル帯域幅への対応能力のあるＵＥはまた、通常のＲＡＮまたは通常のＵＥの機能に対応し得る。したがって、フレキシブルＲＡＮまたはフレキシブル帯域幅への対応能力のあるＵＥは、それぞれ、フレキシブル対応かつ通常対応のＲＡＮまたはＵＥであり得る。
【０１９３】
移行またはスプリングフォワードの手順は、様々な実施形態による種々の技法を利用し得る。様々な実施形態は、限定はされないが、単一ＲＡＢの負荷ベースのハンドオーバー、単一ＲＡＢのサービスベースのハンドオーバー、単一ＲＡＢの周波数間ハンドオーバー、マルチＲＡＢの周波数間ハンドオーバー、マルチＲＡＢのサービスベースのハンドオーバー、および／またはマルチＲＡＢの負荷ベースのハンドオーバーを含む、これらの移行および／またはスプリングフォワードの手順のための様々な技法を利用し得る。いくつかの実施形態は、固有の登録手順を含む。いくつかの実施形態は、アイドルモードキャンピング戦略（idle mode camping strategy）を含む。単なる例として、いくつかの実施形態は、ＧＳＭからフレキシブル帯域幅ＵＭＴＳへの移行および／またはスプリングフォワードを含む。他の例では、移行および／またはスプリングフォワードは、ＵＭＴＳからフレキシブル帯域幅ＵＭＴＳへのものであってよい。他の実施形態は、他のＲＡＴを利用し得る。
【０１９４】
単なる例として、いくつかの実施形態は、ＧＳＭまたはＵＭＴＳのような特定のＲＡＴにキャンプオンしている間の登録を含む。ＵＥは、たとえば、複合ＧＰＲＳ／ＩＭＳＩ接続を実行することができる。ＩＭＳＩ接続はＭＳＣによって受信されてよく、ＵＥは、たとえば、ＧＳＭまたはＵＭＴＳ  ＲＡＴをサポートするＭＳＣにおいてＣＳドメインに登録され得る。ＧＰＲＳ接続は、フレキシブル帯域幅ＵＭＴＳルーティングエリアと重複するルーティングエリアを伴う、ＧＳＭまたはＵＭＴＳネットワークのＳＧＳＮに転送され得る。
【０１９５】
いくつかの実施形態では、ＵＥは、通常のＲＡＴまたはフレキシブル帯域幅ＲＡＴにアイドリングし得る。たとえば、音声中心のＵＥは、好ましいＲＡＴとしてＧＳＭを使用し得る。低データレート／中データレートが中心のＵＥは、好ましいＲＡＴとしてフレキシブル帯域幅ＵＭＴＳを使用し得る。高データレートが中心のＵＥは、好ましいＲＡＴとしてＵＭＴＳまたはＨＳＰＡを使用し得る。これらは単なる例であり、他の通常帯域幅ＲＡＴおよび／またはフレキシブル帯域幅ＲＡＴが利用され得る。
【０１９６】
いくつかの実施形態は、ＧＳＭまたはＵＭＴＳのような通常のＲＡＴにアイドリングすることを含む。ＣＳ呼のために、たとえば、ＧＳＭまたはＵＭＴＳが使用され得る。ＣＳ呼が進行中であり、ＰＳ呼がある場合、ＧＰＲＳが（ＤＴＭ  ＵＥのために）使用されてよく、またはＵＭＴＳが使用されてよい。ＰＳ呼のために、ＰＳ接続が、フレキシブル帯域幅ＵＴＲＡＮに転送され得る（様々な機構がフレキシブル帯域幅ＵＴＲＡＮに対するＵＥの移動性においてカバーされる）。ＰＳ呼が転送された後、ＣＳ呼がある場合、ＧＳＭまたはＵＭＴＳへのフォールバックが行われ得る。
【０１９７】
いくつかの実施形態は、フレキシブル帯域幅ＵＴＲＡＮのようなフレキシブル帯域幅ＲＡＮにアイドリングすることを含む。ＵＥがＣＳ呼を受信すると、ＵＥは、たとえばＧＳＭまたはＵＭＴＳネットワークにフォールバックし得る。ＣＳ呼がフレキシブル帯域幅ＵＴＲＡＮ上で進行中であり、ＰＳ呼が受信されると、たとえばＧＰＲＳが（ＤＴＭ  ＵＥのために）使用され得る。ＵＥがフレキシブル帯域幅ＵＴＲＡＮ上にある間に受信されるＰＳ呼について、ＵＥは、フレキシブル帯域幅ＵＴＲＡＮ上で呼に応答し得る。ＰＳ呼の後、ＵＥがフレキシブル帯域幅ＵＴＲＡＮ上にある間にＣＳ呼が受信されると、ＵＥは、たとえばＧＳＭにフォールバックし得る。いくつかの実施形態では、他のＲＡＴが利用され得る。
【０１９８】
いくつかの実施形態は、ＧＳＭからフレキシブル帯域幅ＵＭＴＳに移行することを含む。たとえば、フレキシブル帯域幅ＵＭＴＳおよびＧＳＭセルは、同じコアネットワークによって、しかし異なるＲＡＴネットワークによってサービスされ得る。複合ＧＰＲＳおよびＩＭＳＩ接続は、ＧＳＭネットワーク上のＵＥによって実行され得る。ＵＥは、ＧＳＭセルにキャンプオンしていてよく、またはＧＳＭセル上で接続モードで動作していてよい。ＣＳ呼に対して、ＵＥはＧＥＲＡＮにとどまり得る。ＣＳ呼が進行中であり、ＭＯ／ＭＴ  ＰＳ呼（たとえば、ＤＴＭ  ＵＥ）がある場合、ＵＥはＧＥＲＡＮにとどまり得る。ＰＳ呼に対して（たとえば、進行中のＣＳ呼がなく）、要求されたレートがＧＰＲＳ／ＥＤＧＥによってサービスされ得る場合、ＵＥはＧＥＲＡＮにとどまり得る。ＰＳ呼に対して（たとえば、進行中のＣＳ呼がなく）、要求されたレートがＧＰＲＳ／ＥＤＧＥによってサービスされ得ない場合、ＵＥはフレキシブル帯域幅ＵＴＲＡＮにハンドオーバーされ得る。その後、ＭＯ／ＭＴ  ＣＳ呼がある場合、ＵＥはＧＳＭにフォールバックし得る。いくつかの場合には、ＵＥは、データに対してＧＳＭ、ＧＰＲＳ、および／またはＥＤＧＥ上にあってよく、データのより高いレートが要求されてよい。
【０１９９】
図１８Ａを見ると、上で説明されたような音声中心のＵＥのための、様々な実施形態による通信システム１８００−ａが示される。図１８Ｂは、上で説明されたようなデータ中心のＵＥのための、様々な実施形態による通信システム１８００−ｂを示す。いくつかの実施形態は、ユーザ機器が音声中心かデータ中心かに基づいて、ユーザ機器がキャンプオンするのに好ましい無線アクセス技術を判定することを含み得る。図１８Ｃは、音声中心のＵＥ（たとえば、１１５−ｒ）とデータ中心のＵＥ（たとえば、１１５−ｓ、１１５−ｔ）とを利用し得る、通信システム１８００−ｃの例を示す。システム１８００−ｃは、複数のＲＡＴ、たとえば、ＧＳＭ  ９００（範囲１０６−ｋを伴う）、フレキシブル帯域幅ＵＭＴＳ  ９００（範囲１０６−ｊを伴う）、および／またはＵＭＴＳ  ２１００（範囲１０６−ｉを伴う）をサポートし得る、１つまたは複数の同じ位置の基地局１０５−ｒを含み得る。
【０２００】
いくつかの実施形態は、通常帯域幅のシステムからフレキシブル帯域幅のシステムへの負荷ベースのハンドオーバーを含む。図１９Ａは、様々な実施形態による、ＭＯ  ＰＳによる、ＧＥＲＡＮからフレキシブル帯域幅ＵＴＲＡＮへの負荷ベースのＨＯのための、呼のフロー１９００−ａを示す。図１９Ｂは、様々な実施形態による、ＭＴ  ＰＳによる、ＧＥＲＡＮからフレキシブル帯域幅ＵＴＲＡＮへの負荷ベースのＨＯのための、呼のフロー１９００−ｂを示す。たとえば、負荷ベースのハンドオーバーは、ＧＳＭからフレキシブル帯域幅ＵＭＴＳに移行またはスプリングフォワードするために利用され得る。ＵＥは、ＧＳＭネットワークにキャンプオンすることができ、ＭＯを開始することができ、または、ＭＴ  ＰＳ呼（たとえば、フレキシブル帯域幅のネットワークではサポートされ得るがＧＥＲＡＮではサポートされないビットレートを伴う）を受信することができる。ＵＥは、サービス要求を送信することができ、呼のためのＰＤＰコンテキストをセットアップすることができる。ＧＳＭネットワークは、呼を受け入れることができ、適切なＲＡＢリソースを割り当ててＰＳ呼をサポートすることができ、ＵＥとのＰＳ接続を確立することができる。ＧＥＲＡＮは、ＱｏＳがフレキシブル帯域幅ＵＭＴＳによってサービスされ得るので、ＲＡＮがたとえば負荷ベースのハンドオーバーを引き起こすことによってフレキシブル帯域幅ＵＴＲＡＮターゲットセルへの再配置を開始できると、判断することができる。フレキシブル帯域幅ＵＭＴＳターゲットセルは、たとえば、地理的に重複するまたは隣接するＵＭＴＳとフレキシブル帯域幅ＵＭＴＳセルとのリストを含むデータベースから、ＲＡＮにおいて判定され得る。ＧＥＲＡＮは、ＵＥが、セル変更命令コマンドをＵＥに発する前に、ターゲットフレキシブル帯域幅ＵＭＴＳセル上でＲＡＴ間測定を実行することを求めることができる。いくつかの実施形態では、このことは、ＵＥがフレキシブル帯域幅ＵＴＲＡＮをサポートすることが知られていない可能性がある場合に、行われ得る。ＵＥがフレキシブル帯域幅ＵＭＴＳターゲットセルを検出し、適切な信号強度をＧＥＲＡＮに報告できる場合、ＧＥＲＡＮは、ＵＴＲＡＮへのセル変更命令コマンドをＵＥに送信することができる。測定が行われない場合、ＧＥＲＡＮは、セル変更命令コマンドを無条件にＵＥに送信して、ターゲットに合わせることができる。これは、たとえば、ＵＥがフレキシブル帯域幅ＵＴＲＡＮをサポートすることが知られている場合に、行われ得る。いくつかの実施形態では、ＵＥは、ハンドオーバーされる前にターゲットセルを識別して、これにより、特に非フレキシブル帯域幅ＵＥおよび／または通常のＵＥに対する呼の切断を避けることができる。
【０２０１】
いくつかの実施形態は、通常帯域幅のシステムからフレキシブル帯域幅のシステムへのサービスベースのハンドオーバーを含む。図２０Ａは、様々な実施形態による、ＭＯ  ＰＳのための、ＧＥＲＡＮからフレキシブル帯域幅ＵＴＲＡＮへのサービスベースのハンドオーバーのための、呼のフロー２０００−ａを示す。図２０Ｂは、様々な実施形態による、ＭＴ  ＰＳのための、ＧＥＲＡＮからフレキシブル帯域幅ＵＴＲＡＮへのサービスベースのハンドオーバーのための、呼のフロー２０００−ａを示す。たとえば、サービスベースのハンドオーバーは、ＧＳＭからフレキシブル帯域幅ＵＭＴＳに移行またはスプリングフォワードするために利用され得る。たとえば、ＧＳＭからフレキシブル帯域幅ＵＴＲＡＮへのフレキシブル帯域幅への対応能力のあるＵＥのリダイレクトは、ＰＳ呼がＵＥによって試みられたときに行われ得る。サービスベースのＨＯ手順が利用されてよく、ＵＥはセル変更命令メッセージによってハンドオーバーを通知され得る。フレキシブル帯域幅ＵＴＲＡＮセルに関する、ＧＥＲＡＮからＵＥに送信されるセル変更命令（ＣＣＯ）メッセージは、ＵＥがフレキシブル帯域幅ＵＴＲＡＮセル上で測定を行った後に、または無条件に、ＧＥＲＡＮによって送信され得る。ＧＥＲＡＮは、測定を命令する前またはＣＣＯを送信する前に、ＵＥがフレキシブルかどうかを知っていることも知らないこともある。ＳＧＳＮは、ＵＥ能力を認識する場合、ＩＭＥＩのようなＵＥＩＤに基づいて、フレキシブル帯域幅への対応能力のあるＵＥのためのＳＢＨＯを選択的に実行することができる。いくつかの実施形態では、サービスベースのＨＯは、フレキシブル帯域幅ＵＴＲＡＮへのＨＯを実行するようにＳＧＳＮがＢＳＣに通知することを含み得る。
【０２０２】
いくつかの実施形態は、無条件の検索および／またはＵＥ測定を利用することができる。たとえば、セルマッピング情報は、同じ位置にあるフレキシブル帯域幅セルおよびＧＳＭ／ＵＭＴＳセルの知識から、ＲＡＮにおいて利用可能であり得る。ＵＥ能力情報は、たとえば、ＲＡＮに報告された以前のＵＥ測定結果から、ＲＡＮによって時間をかけて構築され得る。その後、ＵＥがフレキシブル帯域幅適合であると知られ得ると、無条件のＨＯが行われ得る（たとえば、フレキシブル帯域幅ＵＴＲＡＮ上でのＵＥ測定をネットワークが要求することなく、ＣＣＯがＵＥに送信される）。いくつかの実施形態は、モバイル支援（ＵＥ測定ベースの）ハンドオーバーを含み、それによって、たとえば、圧縮モードギャップ（測定ギャップ）が適切なターゲットセルを見つけるための周波数間測定のためにスケジューリングされ得る。これは、ＵＥがフレキシブル帯域幅をサポートすることが知られていない可能性がある場合に、利用され得る。いくつかの実施形態は、データベースおよび／またはネットワークにより支援されるハンドオーバーを利用し、このハンドオーバーはたとえば、他の周波数に対して実行される測定を含まないことがあり、むしろ、セルマッピング情報がデータベースに記憶されてよく、ターゲットセルを識別するために使用される。この手法は、ＵＥがフレキシブル帯域幅をサポートすることがすでに知られている可能性がある場合に、行われ得る。
【０２０３】
いくつかの実施形態は、ＵＭＴＳからフレキシブル帯域幅ＵＭＴＳに移行することまたはスプリングフォワードすることを含み得る。たとえば、いくつかの状況では、フレキシブル帯域幅ＵＭＴＳおよびＵＭＴＳセルは、同じコアネットワークによって、しかし異なるＲＡＴネットワークによってサービスされ得る。複合ＧＰＲＳおよびＩＭＳＩ接続が、ＵＥがＵＭＴＳセルに登録したときにＵＭＴＳネットワーク／ＵＴＲＡＮ上でＵＥによって実行されてよく、その後、ＵＥはセルにキャンプオンしてよく、またはセル上で接続モードで動作してよい。図２１は、様々な実施形態による、ＵＭＴＳからフレキシブル帯域幅ＵＭＴＳへの移行を伴う、通信システム２１００を示す。ＵＥは、利用可能であれば、アイドルモードのキャンピングのために、ＵＭＴＳセルを選択するように構成されると仮定され得る。図２２は、様々な実施形態による、様々なＵＭＴＳからフレキシブル帯域幅ＵＭＴＳへのハンドオーバーの状況を示す、表２２００を含む。たとえば、ＨＯは、フレキシブル帯域幅ＵＭＴＳネットワークによりサポートされ得るＱｏＳの要求を伴う、ＭＴ、ＭＯ、または既存のＰＳ呼の確立によって引き起こされ得る。ＵＥが既存のＣＳ呼を行っている場合、いくつかの場合には、呼は、フレキシブル帯域幅ＵＭＴＳ  ＲＡＮにハンドオーバーされ得ない。いくつかの実施形態では、フレキシブル帯域幅ＵＭＴＳネットワークはまた、そのような場合でもＵＥがフレキシブル帯域幅ＲＡＮにハンドオーバーされ得るように、ＣＳをサポートすることができる。
【０２０４】
いくつかの実施形態は、通常帯域幅のシステムからフレキシブル帯域幅のシステムへの周波数間ハンドオーバー（ＩＦＨＯ）を含む。図２３Ａは、様々な実施形態による、単一ＲＡＢのＩＦＨＯを伴うＭＴ  ＰＳ呼のための呼のフロー２３００−ａを示す。いくつかの実施形態では、ＵＥがアイドル状態である間に既存のＰＤＰコンテキストが存在する場合、ＰＤＰコンテキストのアクティブ化は呼のフロー２３００−ａにおいて示されるように使用されないことがある。図２３Ｂは、様々な実施形態による、単一ＲＡＢのＩＦＨＯを伴うＭＯ  ＰＳ呼のための呼のフロー２３００−ｂを示す。いくつかの実施形態では、ＵＥがアイドル状態である間に既存のＰＤＰコンテキストが存在する場合、ＰＤＰコンテキストのアクティブ化は呼のフロー２３００−ｂにおいて示されるように使用されないことがある。たとえば、ＵＥは、ＵＭＴＳネットワークにキャンプオンすることがあり、ＭＴ  ＰＳ呼（フレキシブル帯域幅のネットワーク上でサポートされ得るビットレートを伴う）を受信することがあり、または、ＭＯ  ＰＳ呼を確立すると決めることがある。いくつかの実施形態では、ＵＥがアイドル状態である間に既存のＰＤＰコンテキストが存在する場合、ＰＤＰアクティブ化要求はＵＥによって送信されないことがある。ＵＥは、サービス要求を送信することができ、呼のためのＰＤＰコンテキストをセットアップすることができる。ＵＭＴＳネットワークは、呼を受け入れることができ、適切なＲＡＢリソースを割り当ててＰＳ呼をサポートすることができ、ＵＥとのＰＳ接続を確立することができる。ＲＡＮ参照アルゴリズムを使用して、ＲＡＮは、ＱｏＳがフレキシブル帯域幅ＵＭＴＳセルによってサービスされ得るので、ＲＡＮがフレキシブル帯域幅ＵＭＴＳターゲットセルへの再配置を開始し得ると、判断することができる。フレキシブル帯域幅ＵＭＴＳターゲットセルは、地理的に重複するまたは隣接するＵＭＴＳとフレキシブル帯域幅ＵＭＴＳセルとのリストを含むデータベースから、ＲＡＮにおいて判定され得る。いくつかの実施形態では、ＲＡＮは、ＵＥへのハンドオーバーを行う前に、ターゲットセル上で周波数間測定をＵＥが実行することを求めることができる。ＵＥがターゲットセルを見つけ、好ましい信号強度をＵＭＴＳ  ＲＡＮに報告すると、ＵＭＴＳ  ＲＡＮは、「物理チャネル再構成」メッセージをＵＥに送信することができる。測定が行われない場合（たとえば、無条件のＨＯ）、ＵＭＴＳは、「物理チャネル再構成」メッセージを無条件にＵＥに送信して、ターゲットセルに合わせることができる。いくつかの実施形態では、ＵＥは、ハンドオーバーされる前にターゲットセルを識別して、特に非フレキシブル帯域幅ＵＥまたは通常のＵＭＴＳ  ＵＥに対する呼の切断を避けることができる。
【０２０５】
いくつかの実施形態は、いくつかの違いを伴う、負荷ベースのハンドオーバーに類似し得る周波数間単一ＲＡＢハンドオーバーを含み得る。たとえば、周波数間ＨＯは、ＵＥの測定された信号強度に基づいて引き起こされ得る。測定された信号強度が閾値を超えた可能性があると、ＵＥは、その事象をＵＭＴＳ  ＲＡＮ（ＵＴＲＡＮ）にシグナリングすることができ、再配置要求コマンドがＲＡＮによってＳＧＳＮに発せられ得る。ＨＯ手順は、負荷ベースのハンドオーバーと同様に進行し得る。ＩＦＨＯと負荷ベースのハンドオーバーとの違いは、フレキシブル帯域幅ＵＭＴＳのセルを識別し得るＵＥ（たとえば、フレキシブル帯域幅ＵＭＴＳ  ＵＥ）のみがターゲットセルへのハンドオーバーを引き起こされ得るということであり得る。
【０２０６】
図２４Ａは、様々な実施形態による、単一ＲＡＢのＩＦＨＯを伴うＭＯ  ＰＳ呼のための呼のフロー２４００−ａを示す。この図では、ＵＥは、ハンドオーバーコマンドが物理チャネル再構成メッセージにおいて送信される前に、ターゲットフレキシブル帯域幅のセル測定を行うように命令されないことがある。図２４Ｂは、様々な実施形態による、単一ＲＡＢのＩＦＨＯを伴うＭＴ  ＰＳ呼の状況ための呼のフロー２４００−ｂを示す。この図では、ＵＥは、ハンドオーバーコマンドが物理チャネル再構成メッセージにおいて送信される前に、ターゲットフレキシブル帯域幅のセル測定を行うように命令されないことがある。図２４Ｃは、様々な実施形態による、ＲＮＣ間の状況でＵＥ測定により引き起こされる単一ＲＡＢのＩＦＨＯのための呼のフロー２４００−ｃを示す。この図では、図２４Ａ〜図２４Ｂと同様に、ＵＭＴＳネットワーク／ＵＴＲＡＮおよびフレキシブル帯域幅ＵＴＲＡＮが別々のＲＡＮ上で動作する。これは、ＲＮＣ間ＨＯの一例を示し得る。図２４Ｄは、様々な実施形態による、ＲＮＣ内の状況でＵＥ測定により引き起こされる単一ＲＡＢのＩＦＨＯのための呼のフロー２４００−ｄを示す。この図では、フレキシブル帯域幅ＲＡＮおよびＷＣＤＭＡ／ＵＭＴＳ  ＲＡＮは、同じ無線ネットワークコントローラ（ＲＮＣ）を共有し得るが、同じ基地局を共有し得ない。したがって、ＩＦＨＯを引き起こすためにＵＥ測定が使用され得る後に、Ｉｕｂシグナリングが、ＲＮＣを介してＵＭＴＳ  Ｎｏｄｅ  Ｂとフレキシブル帯域幅ＵＭＴＳ  Ｎｏｄｅ  Ｂとの間で交換され、フレキシブル帯域幅ＵＭＴＳ  Ｎｏｄｅ  Ｂ上でのＵＥのためのリソース確保を支援する。ＲＮＣ内の状況でのハンドオーバーは、ＲＮＣ間の状況でのハンドオーバーよりも通常は高速である。
【０２０７】
いくつかの実施形態はマルチＲＡＢの状況を含み得る。たとえば、ＵＭＴＳ  ＲＡＮ上の既存のＰＳ呼の場合、別のＭＴまたはＭＯ  ＰＳ呼がネットワークによって受信されてよく、別のＲＡＢがそのような呼に対してセットアップされてよい。単一ＲＡＢの状況では、フレキシブル帯域幅ＵＭＴＳセルが複合マルチＲＡＢサービス（combined multiple RAB
service）をサポートし得る場合、負荷ベースのハンドオーバーまたは周波数間ハンドオーバーが行われ得る。
【０２０８】
図２５は、様々な実施形態による、ワイヤレス通信システムのための移動性を利用するために構成され得る通信システム２５００のブロック図を示す。このシステム２５００は、図１に示されるシステム１００、図２のシステム２００、図３のシステム３００、および／または図４２のシステム４２００の態様の一例であり得る。コアネットワーク１３０−ｅは、メモリ２５７０とプロセッサモジュール２５６５とを含んでよく、その各々は、（たとえば、１つまたは複数のバスを通じて）互いに直接または間接的に通信し得る。いくつかの場合には、コアネットワーク１３０−ｅは、ネットワーク通信モジュール２５７５の他の態様と通信し得る。システム２５００は、図１９〜図２４および／または関連する説明において示されるような呼のフローおよび／またはシステムの様々な態様を実装するように構成され得る。
【０２０９】
コアネットワーク１３０−ｅはまた、無線アクセスネットワーク１２１−ｉ／１２１−ｊ  １０５と通信することができる。いくつかの場合には、無線アクセスネットワーク１２１は同じ位置にあってよく、または別々の位置にあってよい。いくつかの場合には、無線アクセスネットワーク１２１は、フレキシブル帯域幅への対応能力のある無線アクセスネットワークおよび／または通常の無線アクセスネットワークを含み得る。無線アクセスネットワーク１２１は、フレキシブル帯域幅に対応可能であり得るユーザ機器１１５−ｊとワイヤレス通信していてよい。いくつかの場合には、コアネットワーク１３０−ｅは、無線アクセスネットワーク通信モジュール２５２０を利用して、無線アクセスネットワーク１２１と通信することができる。
【０２１０】
メモリ２５７０は、ランダムアクセスメモリ（ＲＡＭ）と読取り専用メモリ（ＲＯＭ）とを含み得る。メモリ２５７０はまた、実行されるとプロセッサモジュール２５６５に本明細書で説明される様々な機能（たとえば、呼処理、データベース管理、メッセージルーティングなど）を実行させるように構成された命令を含む、コンピュータ可読、コンピュータ実行可能ソフトウェアコード２５７１を記憶し得る。代替的に、ソフトウェア２５７１は、プロセッサモジュール２５６５によって直接的に実行可能でないことがあるが、たとえば、コンパイルされ実行されるとき、コンピュータに本明細書で説明する機能を実行させるように構成され得る。
【０２１１】
プロセッサモジュール２５６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール２５６５は、マイクロフォンを介してオーディオを受信し、そのオーディオを、受信されたオーディオを表す（たとえば、長さ２０ｍｓの）パケットに変換するように構成された音声エンコーダ（図示されず）を含み得る。
【０２１２】
図２５のアーキテクチャによれば、コアネットワーク１３０−ｅは無線アクセス通信モジュール２５２０をさらに含み得る。無線アクセス通信モジュール２５２０は、ユーザ機器１１５−ｊとの通信のような、通信の他の態様を管理することができる。例として、無線アクセス通信モジュール２５２０は、バスを介してコアネットワーク１３０−ｅの他のコンポーネントの一部またはすべてと通信しているコアネットワーク１３０−ｅのコンポーネントであり得る。代替的に、無線アクセス通信モジュール２５２０の機能は、コンピュータプログラム製品として、および／またはプロセッサモジュール２５６５もしくはネットワーク通信モジュール２３７５の１つまたは複数のコントローラ要素として実装され得る。
【０２１３】
コアネットワーク１３０−ｅのコンポーネントは、図１７のデバイス１７００に関して上で論じられた態様を実装するように構成されてよく、簡潔のためにここで繰り返されないことがある。ネットワーク識別モジュール１７１０−ａは、図１７のネットワーク識別モジュール１７１０の一例であり得る。スプリングフォワードモジュール１７１５−ａは、図１７のスプリングフォワードモジュール１７１５の一例であり得る。スプリングフォワードモジュール１７１５−ａは、負荷ベースのハンドオーバーモジュール２５１６、サービスベースのハンドオーバーモジュール２５１７、単一ＲＡＢの周波数間ハンドオーバーモジュール２５１８、および／またはマルチＲＡＢの周波数間ハンドオーバーモジュール２５１９を含み得る。いくつかの場合には、負荷ベースのハンドオーバーモジュール２５１６は、単一ＲＡＢの負荷ベースのハンドオーバーおよび／またはマルチＲＡＢの負荷ベースのハンドオーバーを実行するように構成され得る。いくつかの場合には、サービスベースのハンドオーバーモジュール２５１７は、単一ＲＡＢのサービスベースのハンドオーバーおよび／またはマルチＲＡＢの負荷ベースのハンドオーバーを実行するように構成され得る。
【０２１４】
コアネットワーク１３０−ｅはまた、ある無線アクセスネットワーク１２１から別の無線アクセスネットワークへのユーザ機器１１５−ｊのハンドオーバー手順を実行するために全般に利用され得る、ハンドオーバーモジュール２５２５を含み得る。たとえば、ハンドオーバーモジュール２５２５は、ＲＡＮ  １２１−ｉからＲＡＮ  １２１−ｊへのユーザ機器１１５−ｊのハンドオーバー手順を実行することができる。コアネットワーク１３０−ｅは、ある帯域幅のシステムから別のシステムへのリダイレクトを支援し得る、リダイレクトモジュール２５２１を含み得る。
【０２１５】
図２６は、様々な実施形態による、ワイヤレス通信システムのための移動性を利用するために構成され得る通信システム２６００のブロック図を示す。このシステム２６００は、図１に示されるシステム１００、図２のシステム２００、図３のシステム３００、および／または図４２のシステム４２００、および／または図１７のデバイス１７００の態様の一例であり得る。無線アクセスネットワーク１２１−ｅは、無線アクセスネットワークの一部を備え得る、複合システムおよび／または別個のシステムを表すために、基地局１０５および／またはコントローラ１２０の態様を含み得る。基地局１０５−ｅは、アンテナ２６４５と、送受信機モジュール２６５０と、メモリ２６７０と、プロセッサモジュール２６６５とを含んでよく、その各々は、（たとえば、１つまたは複数のバスを通じて）互いに直接または間接的に通信し得る。送受信機モジュール２６５０は、アンテナ２６４５を介して、マルチモードユーザ機器であり得るユーザ機器１１５−ｋと双方向に通信するように構成され得る。送受信機モジュール２６５０（および／または無線アクセスネットワーク１２１−ｅの他のコンポーネント）はまた、１つまたは複数のネットワークと双方向に通信するように構成され得る。いくつかの場合には、無線アクセスネットワーク１２１−ｅは、ネットワーク通信モジュール２６７５を通じてコアネットワーク１３０−ｆと通信することができる。無線アクセスネットワーク１２１−ｅは、ｅＮｏｄｅＢ基地局、Ｈｏｍｅ  ｅＮｏｄｅＢ基地局、ＮｏｄｅＢ基地局、および／またはＨｏｍｅ  ＮｏｄｅＢ基地局を含み得る。システム２６００は、図１９〜図２４および／または関連する説明において示されるような呼のフローおよび／またはシステムの様々な態様を実装するように構成され得る。
【０２１６】
無線アクセスネットワーク１２１−ｅはまた、基地局１０５−ｍおよび基地局１０５−ｎのような他の基地局１０５と通信することができる。基地局１０５の各々は、様々な無線アクセス技術のような様々なワイヤレス通信技術を使用して、ユーザ機器１１５−ｋと通信することができる。いくつかの場合には、無線アクセスネットワーク１２１−ｅは、基地局通信モジュール２６２０を利用して１０５−ｍおよび／または１０５−ｎのような基地局と通信し得る。いくつかの実施形態では、基地局通信モジュール２６２０は、基地局１０５のいくつかの間の通信を行うために、ＬＴＥワイヤレス通信技術内のＸ２インターフェースを与え得る。いくつかの実施形態では、無線アクセスネットワーク１２１−ｅは、コアネットワーク１３０−ｆを通じて他の基地局と通信することができる。
【０２１７】
メモリ２６７０は、ランダムアクセスメモリ（ＲＡＭ）と読取り専用メモリ（ＲＯＭ）とを含み得る。メモリ２６７０はまた、実行されるとプロセッサモジュール２６６５に本明細書で説明される様々な機能（たとえば、呼処理、データベース管理、メッセージルーティングなど）を実行させるように構成された命令を含む、コンピュータ可読、コンピュータ実行可能ソフトウェアコード２６７１を記憶し得る。代替的に、ソフトウェア２６７１は、プロセッサモジュール２６６５によって直接的に実行可能でないことがあるが、たとえば、コンパイルされ実行されると、コンピュータに本明細書で説明される機能を実行させるように構成され得る。
【０２１８】
プロセッサモジュール２６６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール２６６５は、マイクロフォンを介してオーディオを受信し、そのオーディオを、受信されたオーディオを表す（たとえば、長さ２０ｍｓの）パケットに変換し、そのオーディオパケットを送受信機モジュール２６５０に与え、ユーザが話しているかどうかの指示を与えるように構成された音声エンコーダ（図示されず）を含み得る。代替的に、エンコーダはパケットのみを送受信機モジュール２６５０に供給することができ、パケット自体の供給または抑制／抑圧が、ユーザが話しているかどうかの指示を与える。
【０２１９】
送受信機モジュール２６５０は、パケットを変調し、変調されたパケットを送信のためにアンテナ２６４５に供給し、アンテナ２６４５から受信されたパケットを復調するように構成されたモデムを含み得る。無線アクセスネットワーク１２１−ｅのいくつかの例は単一のアンテナ２６４５を含み得るが、無線アクセスネットワーク１２１−ｅは、好ましくは、キャリアアグリゲーションをサポートし得る複数のリンクのための複数のアンテナ２６４５を含む。たとえば、ユーザ機器１１５−ｋとのマクロ通信をサポートするために１つまたは複数のリンクが使用され得る。
【０２２０】
図２６のアーキテクチャによれば、無線アクセスネットワーク１２１−ｅは基地局通信モジュール２６２０をさらに含み得る。基地局通信モジュール２６２０は、他の基地局１０５との通信を管理し得る。例として、基地局通信モジュール２６２０は、バスを介して無線アクセスネットワーク１２１−ｅの他のコンポーネントの一部またはすべてと通信している無線アクセスネットワーク１２１−ｅのコンポーネントであり得る。代替的に、基地局通信モジュール２６２０の機能は、送受信機モジュール２６５０のコンポーネントとして、コンピュータプログラム製品として、および／またはプロセッサモジュール２６６５の１つまたは複数のコントローラ要素として実装され得る。
【０２２１】
無線アクセスネットワーク１２１−ｅのコンポーネントは、図１７のデバイス１７００に関して上で論じられた態様を実装するように構成されてよく、簡潔のためにここで繰り返されないことがある。ネットワーク識別モジュール１７１０−ｂは、図１７のネットワーク識別モジュール１７１０の一例であり得る。スプリングフォワードモジュール１７１５−ｂは、図１７のスプリングフォワードモジュール１７１５の一例であり得る。スプリングフォワードモジュール１７１５−ｂは、負荷ベースのハンドオーバーモジュール２６１６、サービスベースのハンドオーバーモジュール２６１７、単一ＲＡＢの周波数間ハンドオーバーモジュール２６１８、および／またはマルチＲＡＢの周波数間ハンドオーバーモジュール２６１９を含み得る。いくつかの場合には、負荷ベースのハンドオーバーモジュール２６１６は、単一ＲＡＢの負荷ベースのハンドオーバーおよび／またはマルチＲＡＢの負荷ベースのハンドオーバーを実行するように構成され得る。いくつかの場合には、サービスベースのハンドオーバーモジュール２６１７は、単一ＲＡＢのサービスベースのハンドオーバーおよび／またはマルチＲＡＢの負荷ベースのハンドオーバーを実行するように構成され得る。
【０２２２】
無線アクセスネットワーク１２１−ｅはまた、無線アクセスネットワーク１２１−ｅから別の同様の基地局１０５−ｍへのユーザ機器１１５−ｅのハンドオーバー手順を実行するために全般に利用され得る、ハンドオーバーモジュール２６２５を含み得る。無線アクセスネットワーク１２１−ｅは、ある帯域幅のシステムから別のシステムへのリダイレクトを支援し得る、リダイレクトモジュール２６２１を含み得る。スケーリングモジュール２６２７は、チップレートをスケーリングおよび／または変更してフレキシブル帯域幅波形を生成するために利用され得る。
【０２２３】
いくつかの実施形態では、無線アクセスネットワーク１２１−ｅの他の可能なコンポーネントとともに、アンテナ２６４５と組み合わされた送受信機モジュール２６５０が、フレキシブル帯域幅波形および／またはスケーリング係数に関する情報を、無線アクセスネットワーク１２１−ｅからユーザ機器１１５−ｋに、他の基地局１０５−ｍ／１０５−ｎに、またはコアネットワーク１３０−ｆに送信することができる。いくつかの実施形態では、無線アクセスネットワーク１２１−ｅの他の可能なコンポーネントとともに、アンテナ２６４５と組み合わされた送受信機モジュール２６５０が、フレキシブル帯域幅波形および／またはスケーリング係数のような情報を、ユーザ機器１１５−ｆに、他の基地局１０５−ｍ／１０５−ｎに、またはコアネットワーク１３０−ｆに送信することができるので、これらのデバイスまたはシステムはフレキシブル帯域幅波形を利用することができる。
【０２２４】
図２７は、様々な実施形態による、移動性のために構成されるユーザ機器１１５−ｌのブロック図２７００である。ユーザ機器１１５−ｌは、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネット家電製品、ゲームコンソール、電子リーダーなどのような、様々な構成のいずれかを有し得る。ユーザ機器１１５−ｌは、モバイル動作を支援するために、小型バッテリーなどの内部電源（図示されず）を有し得る。いくつかの実施形態では、ユーザ機器１１５−ｌは、図１、図２、図３、図２３、図２５、図２６、および／または図４２のユーザ機器１１５、および／または図１７のデバイス１７００であり得る。ユーザ機器１１５−ｌは、マルチモードユーザ機器であり得る。いくつかの場合には、ユーザ機器１１５−ｌは、ワイヤレス通信デバイスと呼ばれ得る。ユーザ機器１１５−ｌは、図１９〜図２４および／または関連する説明において示されるような呼のフローおよび／またはシステムの様々な態様を実装するように構成され得る。
【０２２５】
ユーザ機器１１５−ｌは、アンテナ２７４０と、送受信機モジュール２７５０と、メモリ２７８０と、プロセッサモジュール２７７０とを含んでよく、その各々は、（たとえば、１つまたは複数のバスを介して）互いに直接または間接的に通信し得る。送受信機モジュール２７５０は、上で説明されたように、アンテナ２７４０ならびに／あるいは１つまたは複数の有線リンクもしくはワイヤレスリンクを介して、１つまたは複数のネットワークと双方向に通信するように構成される。たとえば、送受信機モジュール２７５０は、図１、図２、図３、および／または図２６の基地局１０５、および／または、図３Ｂ、図２５、および／または図２６の無線アクセスネットワーク１２１と双方向に通信するように構成され得る。送受信機モジュール２７５０は、パケットを変調し、変調されたパケットを送信のためにアンテナ２７４０に供給し、アンテナ２７４０から受信されたパケットを復調するように構成されたモデムを含み得る。ユーザ機器１１５−ｌは単一のアンテナを含み得るが、ユーザ機器１１５−ｌは通常、複数のリンクのための複数のアンテナ２７４０を含む。
【０２２６】
メモリ２７８０は、ランダムアクセスメモリ（ＲＡＭ）と読取り専用メモリ（ＲＯＭ）とを含み得る。メモリ２７８０はまた、実行されるとプロセッサモジュール２７７０に本明細書で説明される様々な機能（たとえば、呼処理、データベース管理、メッセージルーティングなど）を実行させるように構成された命令を含む、コンピュータ可読、コンピュータ実行可能ソフトウェアコード２７８５を記憶し得る。代替的に、ソフトウェア２７８５は、プロセッサモジュール２７７０によって直接的に実行可能でないことがあるが、（たとえば、コンパイルされ実行されると）コンピュータに本明細書で説明される機能を実行させるように構成され得る。
【０２２７】
プロセッサモジュール２７７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール２７７０は、マイクロフォンを介してオーディオを受信し、そのオーディオを、受信されたオーディオを表す（たとえば、長さ２０ｍｓの）パケットに変換し、そのオーディオパケットを送受信機モジュール２７５０に与え、ユーザが話しているかどうかの指示を与えるように構成された音声エンコーダ（図示されず）を含み得る。代替的に、エンコーダはパケットのみを送受信機モジュール２７５０に供給することができ、パケット自体の供給または抑制／抑圧が、ユーザが話しているかどうかの指示を与える。プロセッサモジュール２７７０はまた、音声エンコーダとは逆の機能を実行し得る、音声デコーダを含み得る。
【０２２８】
図２７のアーキテクチャによれば、ユーザ機器１１５−ｌは通信管理モジュール２７６０をさらに含み得る。通信管理モジュール２７６０は、他のユーザ機器１１５との通信を管理し得る。例として、通信管理モジュール２７６０は、バスを介してユーザ機器１１５−ｌの他のコンポーネントの一部またはすべてと通信しているユーザ機器１１５−ｌのコンポーネントであり得る。代替的に、通信管理モジュール２７６０の機能は、送受信機モジュール２７５０のコンポーネントとして、コンピュータプログラム製品として、および／またはプロセッサモジュール２７７０の１つまたは複数のコントローラ要素として実装され得る。
【０２２９】
ユーザ機器１１５−ｌのコンポーネントは、図１７のデバイス１７００に関して上で論じられた態様を実装するように構成されてよく、簡潔のためにここで繰り返されないことがある。スプリングフォワードモジュール１７１５−ｃは、図１７のスプリングフォワードモジュール１７１５の一例であり得る。
【０２３０】
ユーザ機器１１５−ｌはまた、スペクトル識別モジュール２７１５を含み得る。スペクトル識別モジュール２７１５は、フレキシブル帯域幅波形のために利用可能なスペクトルを識別するために利用され得る。いくつかの実施形態では、ハンドオーバーモジュール２７２５は、ある基地局から別の基地局へのユーザ機器１１５−ｌのハンドオーバー手順を実行するために利用され得る。たとえば、ハンドオーバーモジュール２７２５は、ある基地局から別の基地局へのユーザ機器１１５−ｌのハンドオーバー手順を実行することができ、通常の波形がユーザ機器１１５−ｌと基地局の１つとの間で利用され、フレキシブル帯域幅波形がユーザ機器と別の基地局との間で利用される。スケーリングモジュール２７２７は、チップレートをスケーリングおよび／または変更してフレキシブル帯域幅波形を生成／復号するために利用され得る。
【０２３１】
いくつかの実施形態では、ユーザ機器１１５−ｌの他の可能なコンポーネントとともに、アンテナ２７４０と組み合わされた送受信機モジュール２７５０は、フレキシブル帯域幅波形および／またはスケーリング係数に関する情報を、ユーザ機器１１５−ｌから基地局またはコアネットワークに送信することができる。いくつかの実施形態では、ユーザ機器１１５−ｌの他の可能なコンポーネントとともに、アンテナ２７４０と組み合わされた送受信機モジュール２７５０は、基地局またはコアネットワークとの間で、フレキシブル帯域幅波形および／またはスケーリング係数のような情報を送信／受信することができるので、これらのデバイスまたはシステムは、フレキシブル帯域幅波形を利用することができる。
【０２３２】
図２８Ａ、様々な実施形態による、ワイヤレス通信システム内での移動性を提供するための方法２８００−ａのフロー図、に移る。方法２８００−ａは、限定はされないが、図１、図３、図２５、および／または図２６のコアネットワーク１３０、図３、図２５、および／または図２６の無線アクセスネットワーク１２１、図１、図２、図３、図２５、図２６、図２７、および／または図４２のユーザ機器１１５、および／または図１７のデバイス１７００を含む、様々なワイヤレス通信デバイスおよび／またはシステムを利用して実施され得る。方法２８００−ｂは、図１９〜図２４および／または関連する説明において示されるような呼のフローおよび／またはシステムの様々な態様を実装することができる。
【０２３３】
ブロック２８１０は、第１の無線アクセスネットワークを通じて通信することを含んでよく、第１の無線アクセスネットワークは第１の帯域幅キャリアを利用する。ブロック２８１５は、第２の無線アクセスネットワークを識別することを含み得、ここにおいて、第２の無線アクセスネットワークは第１のフレキシブル帯域幅キャリアを利用する。ブロック２８２０は、第１の無線アクセスネットワークの第１の帯域幅キャリアを利用することから、第２の無線アクセスネットワークの第１のフレキシブル帯域幅キャリアを利用することへと移行することを含み得る。
【０２３４】
第１の無線アクセスネットワークの第１の帯域幅キャリアを利用することから第２の無線アクセスネットワークの第１のフレキシブル帯域幅キャリアを利用することに移行することは、コアネットワークによって少なくとも一部管理され得る。第１の無線アクセスネットワークの第１の帯域幅キャリアを利用することから第２の無線アクセスネットワークの第１のフレキシブル帯域幅キャリアを利用することに移行することは、無線アクセスネットワークの少なくとも１つによって少なくとも一部管理され得る。第１の帯域幅キャリアは、通常帯域幅キャリア、または第１のフレキシブル帯域幅キャリアとは異なる第２のフレキシブル帯域幅キャリアを含み得る。第１の無線アクセスネットワークおよび第２の無線アクセスネットワークは、共有されてよく、または異なっていてよい。
【０２３５】
第１の無線アクセスネットワークの第１の帯域幅キャリアを利用することから第２の無線アクセスネットワークの第１のフレキシブル帯域幅キャリアを利用することに移行することは、ユーザ機器のためのパケット交換サービスに関連し得る。第１の無線アクセスネットワークの第１の帯域幅キャリアを利用することから第２の無線アクセスネットワークの第１のフレキシブル帯域幅キャリアを利用することに移行することは、負荷ベースのハンドオーバーを利用することを含み得る。第１の無線アクセスネットワークの第１の帯域幅キャリアを利用することから第２の無線アクセスネットワークの第１のフレキシブル帯域幅キャリアを利用することに移行することは、サービスベースのハンドオーバーを利用することを含み得る。第１の無線アクセスネットワークの第１の帯域幅キャリアを利用することから第２の無線アクセスネットワークの第１のフレキシブル帯域幅キャリアを利用することに移行することは、無条件の検索を利用することを含み得る。第１の無線アクセスネットワークの第１の帯域幅キャリアを利用することから第２の無線アクセスネットワークの第１のフレキシブル帯域幅キャリアを利用することに移行することは、ユーザ機器測定を利用することを含み得る。第１の無線アクセスネットワークの第１の帯域幅キャリアを利用することから第２の無線アクセスネットワークの第１のフレキシブル帯域幅キャリアを利用することに移行することは、単一ＲＡＢの周波数間ハンドオーバーを利用することを含み得る。第１の無線アクセスネットワークの第１の帯域幅キャリアを利用することから第２の無線アクセスネットワークの第１のフレキシブル帯域幅キャリアを利用することに移行することは、マルチＲＡＢの周波数間ハンドオーバーを利用することを含み得る。いくつかの実施形態は、少なくとも、第１の無線アクセスネットワークの第１の帯域幅キャリアを利用することから第２の無線アクセスネットワークの第１のフレキシブル帯域幅キャリアを利用することへと移行すること、または第２の無線アクセスネットワークを識別することの一部として、マルチＲＡＢの負荷ベースのハンドオーバーまたはマルチＲＡＢのサービスベースのハンドオーバーを少なくとも利用することを含み得る。これらの技法はまた、少なくとも、第１の無線アクセスネットワークの第１の帯域幅キャリアを利用することから第２の無線アクセスネットワークの第１のフレキシブル帯域幅キャリアを利用することへと移行すること、または第２の無線アクセスネットワークを識別することの一部として、無条件の検索またはユーザ機器測定を少なくとも利用することを含み得る。
【０２３６】
いくつかの実施形態では、識別ステップが、移行ステップの態様を実行することができる。いくつかの実施形態は、ユーザ機器が音声中心かデータ中心かに基づいて、ユーザ機器がキャンプオンするのに好ましい無線アクセス技術を判定することを含み得る。
【０２３７】
図２８Ｂ、様々な実施形態による、ワイヤレス通信システム内での移動性を提供するための方法２８００−ｂのフロー図、に移る。方法２８００−ｂは、限定はされないが、図１、図３Ｂ、図２５、および／または図２６のコアネットワーク１３０、図３Ｂ、図２５、および／または図２６の無線アクセスネットワーク１２１、図１、図２、図３、図２５、図２６、図２７、および／または図４２のユーザ機器１１５、および／または図１７のデバイス１７００を含む、様々なワイヤレス通信デバイスおよび／またはシステムを利用して実施され得る。方法２８００−ｂは、図１９〜図２４および／または関連する説明において示されるような呼のフローおよび／またはシステムの様々な態様を実装することができる。いくつかの実施形態では、方法２８００−ｂは、図２８Ａの方法２８００−ａの態様を含み得る。
【０２３８】
ブロック２８１０−ａは、通常帯域幅の無線アクセスネットワークを通じてユーザ機器と通信することを含み得る。ブロック２８１５−ａは、フレキシブル帯域幅の無線アクセスネットワークを識別することを含み得る。ブロック２８２０−ａは、通常帯域幅の無線アクセスネットワークを利用することから、フレキシブル帯域幅の無線アクセスネットワークを利用することへと移行することを含み得る。ブロック２５２５において、フレキシブル帯域幅の無線アクセスネットワークを通じて、ユーザ機器との通信が確立され得る。
【０２３９】
図２８Ｃ、様々な実施形態による、ワイヤレス通信システム内での移動性を提供するための方法２８００−ｃのフロー図、に移る。方法２８００−ｃは、限定はされないが、図１、図３Ｂ、図２５、および／または図２６のコアネットワーク１３０、図３Ｂ、図２５、および／または図２６の無線アクセスネットワーク１２１、図１、図２、図３、図２５、図２６、図２７、および／または図４２のユーザ機器１１５、および／または図１７のデバイス１７００を含む、様々なワイヤレス通信デバイスおよび／またはシステムを利用して実施され得る。方法２８００−ｂは、図１９〜図２４および／または関連する説明において示されるような呼のフローおよび／またはシステムの様々な態様を実装することができる。いくつかの実施形態では、方法２８００−ｃは、図２８Ａの方法２８００−ａおよび／または図２８Ｂの方法２８００−ｂの態様を含み得る。
【０２４０】
ブロック２８１０−ｂは、第１の無線アクセスネットワークを通じてユーザ機器と通信することを含み得る。第１の無線アクセスネットワークは、第１の帯域幅キャリアを利用し得る。ブロック２８１５−ｂは、第２の無線アクセスネットワークを識別することを含み得る。第２の無線アクセスネットワークは、第１のフレキシブル帯域幅キャリアを利用し得る。ブロック２８３０において、ユーザ機器が音声中心かデータ中心かに基づいて、ユーザ機器が接続するのに好ましい無線アクセス技術が決定され得る。ブロック２８２０−ｂは、負荷ベースのハンドオーバー、周波数間ハンドオーバー、またはサービスベースのハンドオーバーを少なくとも利用して、第１の無線アクセスネットワークの第１の帯域幅キャリアを利用することから第２の無線アクセスネットワークの第１のフレキシブル帯域幅キャリアを利用することに移行することを含み得る。
【０２４１】
フレキシブル帯域幅のシステムと通常の帯域幅のシステムおよび／または他のフレキシブル帯域幅のシステムとの間での移動性を支援するための、方法、システム、およびデバイスが提供される。これらの方法、システム、およびデバイスは、たとえば、図２９のデバイス２９００、図３８のシステム３８００、図３９のシステム３９００、図４０００のユーザ機器１１５、図４１Ａの方法４１００−ａ、および／または図４１Ｂの方法４１００−ｂを利用し得る。いくつかの例は、フレキシブル帯域幅のシステムから、一部のまたはすべてのＣＳサービス（たとえば、ＣＳ音声）をサポートしない非フレキシブル帯域幅のシステムへの移行またはフォールバック、他のフレキシブル帯域幅のシステム、および／または、要求される回線交換（ＣＳ）サービス（たとえば、ＣＳ音声サービス）をネイティブにサポートするシステムへの移行を実現し、ここで、第１の無線アクセスネットワークから第２の無線アクセスネットワークに移行することを含み、第１の無線アクセスネットワークはフレキシブル帯域幅の無線アクセスネットワークを含み、第２の無線アクセスネットワークは通常帯域幅の無線アクセスネットワークまたは別のフレキシブル帯域幅のシステムを含む。一例では、ワイヤレス通信のための移動性を支援するための方法は、第１の無線アクセスネットワークを通じて通信すること、ここで、第１の無線アクセスネットワークが第１のフレキシブル帯域幅キャリアを利用する、と、第２の無線アクセスネットワークを識別すること、ここで、第２の無線アクセスネットワークが第２の帯域幅キャリアを利用する、と、第１の無線アクセスネットワークのフレキシブル帯域幅キャリアを利用することから第２の無線アクセスネットワークの第２の帯域幅キャリアを利用することへと移行することとを含み得る。この移行は、異なる無線アクセス技術（ＲＡＴ）の間で（たとえば、フレキシブル帯域幅ＵＴＲＡＮからＧＥＲＡＮへと）、または、同じＲＡＴの間で（たとえば、フレキシブル帯域幅ＵＴＲＡＮからＵＴＲＡＮへと）行われ得る。ＵＥ、ネットワーク、ネットワーク要素、または規格は、フレキシブル帯域幅キャリアを、同じＲＡＴまたは異なるＲＡＴまたはこれらの何らかの組合せのいずれかとして扱い得る。第２の帯域幅キャリアは、通常帯域幅キャリア、または第１の帯域幅キャリアとは異なる別のフレキシブル帯域幅キャリアを含み得る。
【０２４２】
コアネットワークは、移行の１つまたは複数の態様を管理し得る。いくつかの例では、無線アクセスネットワークの少なくとも１つが、移行の１つまたは複数の態様を管理する。移行は、ユーザ機器のための回線交換音声サービスに関連し得る。移行は、限定はされないが、回線交換フォールバック（ＣＳＦＢ）のような手順、リダイレクト手順（ＣＮリダイレクトならびにＲＡＮリダイレクト）、セル変更命令手順、サービスベースのハンドオーバー、および／またはユーザ機器によるチューンアウェイ（tune away）手順を含む、種々の異なる手順を利用することができる。
【０２４３】
ＣＳＦＢはしばしば、現在音声をサポートしないＲＡＴまたはキャリアにおいて音声サービスをサポートするために使用され得る。ユーザは次いで、音声をサポートするＲＡＴまたはキャリアに「フォールバック」し得る。ＣＳＦＢは音声サービスの状況で主に使用され得るが、ツールおよび技法は、任意のＣＳサービスに、またはＣＳサービスの任意の特定のセットに対しても、一般化され得る。そのようなセットは変化し得る。たとえば、同じ技法が、ＣＳビデオサービスの間に使用され得る。いくつかの実施形態は、ＣＳＦＢまたはＣＳＦＢのような手順を参照し得る。
【０２４４】
フレキシブル帯域幅のシステムから、非フレキシブル帯域幅のシステム、ＣＳ音声サービスをネイティブにサポートする別のフレキシブル帯域幅のシステム、または、回線交換音声サポートシステムに移行することは、ＣＳＦＢのような技法と手順とを利用し得る。ＵＭＴＳ／ＧＳＭはＣＳ音声をサポートするので、ＣＳＦＢはＵＭＴＳ／ＧＳＭに対しては定義されなくてよい。したがって、フレキシブル帯域幅ＵＭＴＳからＵＭＴＳ／ＧＳＭへのリダイレクトの一例は、ＣＳＦＢにならってモデル化され得る。ＣＳＦＢは一般に、ＬＴＥからＵＭＴＳまでサポートされ得る。ＣＳ呼がＧＳＭまたはＵＭＴＳのような別のネットワーク上でサポートされ得る間に、たとえば、ＰＳ呼またはサービスをサポートし得るフレキシブル帯域幅ＵＭＴＳネットワークを考える。ユーザ機器は、呼を開始する前の登録の間に、共同ＧＰＲＳおよびＩＭＳＩ接続を実行することができる。進行中のＰＳ呼の間は、着信したＣＳ呼に応答するために、ＰＳ呼は終了され得る。いくつかの場合には、モバイル機器が他の無線アクセスネットワークにリダイレクトされるとき、ＰＳ呼は、他の無線アクセスネットワークにハンドオーバーされてよく、または、ＣＳ呼の間は中断されてよい。ＣＳ  ＭＯ呼をサポートするために、ＵＥがフレキシブル帯域幅のネットワーク上でＰＳ呼を行っている間、ユーザ機器は、インジケータ（たとえば、「ＣＳＦＢインジケータ」）を伴うＭＯ  ＣＳサービス要求を、コアネットワーク（たとえば、ＳＧＳＮ）に送信することができる。「ＣＳＦＢインジケータ」は、ＣＭサービス要求が通常のＣＳ要求ではなくフォールバックを必要とするものであることを、ＳＧＳＮに通知することができる。フレキシブル帯域幅ＵＴＲＡＮのようなフレキシブル帯域幅ＲＡＮは、たとえば、ＲＡＮリダイレクト要求／応答手順を使用してＣＳ呼に応答するための、現在のＲＡＴからＧＥＲＡＮまたはＵＴＲＡＮのような別のＲＡＴへのＵＥの移行の可能性についての要求を、コアネットワーク（たとえば、ＳＧＳＮ）から受信することができる。フレキシブル帯域幅ＵＴＲＡＮは、ＲＡＴリダイレクト要求メッセージ中で、ＲＡＴ位置エリアＩＤ（RAT location-area ID）（ＬＡＩ）またはＰＬＭＮ  ＩＤのような情報をコアネットワークから受信することができる。この情報は、新たなＲＡＴ上で最良のセルを見つけるために、ＧＥＲＡＮまたはＵＴＲＡＮ上での測定を命令するためにフレキシブル帯域幅ＲＡＮによって利用され得る。ターゲットセルが識別されると、ＧＥＲＡＮまたはＵＴＲＡＮへのリダイレクトを伴うＲＲＣ解放手順が、ターゲットセルへと移行するようにＵＥに命令するために開始され得る。ターゲットセルについてのいくつかのシステム情報が利用可能である場合、フレキシブル帯域幅ＲＮＣは、リダイレクトメッセージにこの情報を含め得る。フレキシブル帯域幅ＲＡＮとＵＥとの間のＰＳ接続を維持するためにそれまで使用されていたＰＤＰコンテキストおよびＲＡＢは、ＳＧＳＮにおいて解放され得る。ユーザ機器は次いで、システム情報を使用して新たなＲＡＴに切り替え、フラグ（たとえば、「ＣＳＭＯ」フラグ）とともにＣＳサービス要求を新たなセル上で送信し、ＣＳＦＢをＭＳＣに示すこと���できる。ＣＳ接続が、ＧＥＲＡＮまたはＵＴＲＡＮのような新たなＲＡＴ上でセットアップされ得る。ＭＴ  ＣＳ呼について、同様の手順をたどることができる。ＵＭＴＳ／ＧＳＭにおいて使用される現在のＣＭサービス要求メッセージは、「ＣＳＦＢ」インジケータまたは「ＣＳＭＯ」フラグを含めることを許容しないことがあるので、新たなメッセージが作成されてよく、または、既存のＣＭ要求メッセージがこの手順をサポートするために拡張されてよい。加えて、ＲＡＴリダイレクト要求メッセージはＵＭＴＳでは存在しないことがある。したがって、ＲＡＴ、周波数情報などのような情報を搬送する新たなＲＡＴリダイレクトメッセージが作成されてよく、または、ＲＡＢ割当てメッセージのような既存のメッセージがこの情報を含むように拡張されてよい。現在の規格におけるリダイレクトメッセージを伴うＲＲＣ解放は、ＳＩを搬送できない。したがって、新たなメッセージが作成されてよく、または既存のメッセージが拡張される必要があり得る。
【０２４５】
いくつかの実施形態は、上で論じられたようなＣＳＦＢのような手順を使用して、フレキシブル帯域幅のシステムから、非フレキシブル帯域幅のシステム、別のフレキシブル帯域幅のシステム、および／または回線交換音声サポートシステムに移行することを実現する。しかしながら、新たなメッセージを作成することまたは既存のメッセージを拡張することの代わりに、ＵＭＴＳにおける既存のメッセージが使用されてよく、これらのメッセージと関連付けられるフレキシブル帯域幅ＵＴＲＡＮまたはフレキシブル帯域幅コアネットワークエンティティが、メッセージ中で情報を受信することなく関連する情報を決定することができる。たとえば、ＵＭＴＳ  ＣＳサービス要求メッセージは「ＣＳＦＢ」インジケータを含まないことがあるので、ＳＧＳＮは、ＣＭサービス要求メッセージの受信、ＵＥ能力の知識、ＵＥ登録情報、ネットワークからＵＥに提供されるネットワーク能力および／またはサービスから、ＣＭサービス要求がＣＳＦＢ要求として扱われるべきかどうかを判定することができる。同様に、ＵＥが「ＣＳＭＯ」フラグを伴わないＣＭサービス要求を新たなセル上で送信する場合、ＭＳＣは、メッセージをＣＳＦＢ要求として扱うべきかどうかの判断を行うことができる。ＲＡＮリダイレクトメッセージを定義することまたはＲＡＢメッセージを拡張することの代わりに、ＲＡＢ要求／応答メッセージが使用され得る。任意選択の「ＬＡＩ」がメッセージ中で使用され得る。ＬＡＩは、ＬＡＩと関連付けられるＲＡＴおよび周波数のデータベースを作成するために、ＲＮＣによって使用され得る。データベースによって、ＲＡＮが「ＬＡＩ」を受信すると、ＲＡＮは、対応する周波数情報とＲＡＮ情報とを予測することができる。しかしながら、そうしたメッセージで搬送された可能性のあるＲＡＴおよび周波数の情報は、フレキシブル帯域幅ＵＴＲＡＮ（たとえば、ＲＮＣ）によって決定され得る。リダイレクトメッセージを伴うＲＲＣ解放にＳＩを含める必要を最小限にするために、リダイレクトメッセージを伴うＲＲＣ解放を送信する前に、ＵＥ測定がフレキシブル帯域幅ＵＴＲＡＮによって命令され、ＵＥがすでに識別されているセルにリダイレクトされることを確実にすることができる。この目的で、フレキシブル帯域幅ＵＴＲＡＮは、「早期解放」という解放理由とリダイレクト情報（たとえば、周波数情報およびＲＡＴ間情報）とを伴うＲＲＣ接続解放を使用して、進行中のＰＳ呼を終了し、ターゲットセルにハンドオーバーするようにＵＥに命令することができる。ＲＡＴ間情報については、現在はＧＳＭ  ＲＡＴ情報のみがＲＲＣ接続解放に含まれ得る。このメッセージにＵＭＴＳのための情報を含めるように、修正が使用され得る。
【０２４６】
いくつかの実施形態は、セル変更命令コマンドを利用して、フレキシブル帯域幅のシステムから、非フレキシブル帯域幅のシステム、別のフレキシブル帯域幅のシステム、および／または回線交換音声サポートシステムに移行することを実現する。ＵＭＴＳでは、たとえば、ＰＳドメインにおけるＵＭＴＳからＧＳＭへのＲＡＴ間の移動性は、ＵＥがＣｅｌｌ＿ＤＣＨまたはＣｅｌｌ＿ＦＡＣＨ状態のようなＲＲＣ状態にあるとき、ＰＳ接続を別のＲＡＴ（たとえば、ＧＰＲＳ）に移すために「ＵＴＲＡＮからのセル変更命令」を使用して処理され得る。ＣＳドメインでは、「ＵＴＲＡＮからのハンドオーバー」が使用され得る。同様に、ＰＳドメインにおけるＧＳＭからＵＭＴＳへのＲＡＴ間の移動性は、ＧＳＭからＵＭＴＳにＰＳ接続を移すために、「ＵＴＲＡＮへのセル変更命令」を使用して処理され得る。ＣＳドメインでは、「ＵＴＲＡＮへのハンドオーバー」が使用され得る。これらのツールおよび技法は、場合によっては、適切なＵＭＴＳ／ＧＰＲＳセルの存在を示すユーザ機器によって報告されるＲＡＴ間測定の結果として、ＵＭＴＳ／ＧＳＭへのフォールバックを開始するために使用され得る。たとえば、ＵＥがフレキシブル帯域幅ＵＴＲＡＮを通じた進行中のＰＳ接続を有する場合、フレキシブル帯域幅ＲＡＮは、移されるべきＲＡＢと、ユーザ機器がＵＥに対するＧＰＲＳセルを識別しＧＰＲＳセルにキャンプオンするために利用し得る情報とを示し得る。「ＵＴＲＡＮからのセル変更命令」中のＧＳＭ情報は、ＢＳＩＣ、バンドインジケータ、ＢＣＣＨ  ＡＲＦＣＮ、および／またはＮＣモードを含み得る。ユーザ機器は、ターゲットＧＰＲＳセルとの接続を確立しようと試みることができ、示されたＲＡＢに対応する上位レイヤエンティティを、ターゲットＲＡＴによって提供される無線リソースに接続することができる。手順が成功すると、ＰＳコアネットワークは、フレキシブル帯域幅ＵＴＲＡＮが、ユーザ機器に割り当てられた専用のリソース（たとえば、ＵＴＲＡＮ無線リソースおよびユーザ機器コンテキスト情報）を解放できるように、フレキシブル帯域幅ＵＴＲＡＮに知らせることができる。手順が失敗すると、ユーザ機器は、「ＵＴＲＡＮからのセル変更命令」失敗メッセージを送信することができ、フレキシブル帯域幅ＵＴＲＡＮとの接続を維持することができる。この例は、フレキシブル帯域幅ＵＴＲＡＮ中に進行中のＰＳ呼があり、そしてＧＥＲＡＮにリダイレクトされ得るＭＯ／ＭＴ  ＣＳ呼があり、ＰＳ呼もＧＥＲＡＮにハンドオーバーされ得ることを、仮定し得る。同様のフォールバック手順は、ＵＥがフレキシブル帯域幅ＵＴＲＡＮを通じた既存のＰＳ接続を有し、ＭＯ／ＭＴ音声呼を受信／送信する場合に、使用され得る。フレキシブル帯域幅ＵＴＲＡＮは、ＧＥＲＡＮへの音声フォールバックのために「ＵＴＲＡＮからのセル変更命令」を送信することができ、ＵＴＲＡＮとして振る舞う。フレキシブル帯域幅ＵＴＲＡＮは、ＵＴＲＡＮへの音声フォールバックのために「ＵＴＲＡＮへのセル変更命令」を送信することができ、ＵＴＲＡＮとは異なるかのように振る舞う。
【０２４７】
いくつかの実施形態では、フレキシブル帯域幅のシステムから、非フレキシブル帯域幅のシステム、別のフレキシブル帯域幅のシステム、および／または回線交換音声サポートシステムに移行することは、サービスベースのハンドオーバーを利用することができる。この手順では、音声フォールバックの判断は、ＭＳＣのようなコアネットワークエンティティによって行われ得、それぞれのＲＡＮは、サービスベースのハンドオーバー情報要素（ＩＥ）を伴うＲＡＢ割当てメッセージを使用することによって通知される。たとえば、コアネットワーク（ＣＮ）は、フレキシブルＵＴＲＡＮのようなフレキシブル帯域幅ＲＡＮがＣＳ音声サポートできないこと（ネットワーク選好）を認識し得る。ＭＳＣ／ＣＮは、ＧＳＭ、通常帯域幅ＵＴＲＡＮ、または音声サービスのための他のネットワークへのサービスベースのハンドオーバー（ＳＢＨＯ）を行うように構成され得る。ＭＴ音声呼では、ＭＳＣは問合せをフレキシブルＲＮＣに送信することができる。フレキシブル帯域幅ＵＭＴＳ  ＲＮＣはユーザ機器に問い合わせることができ、ＵＭＴＳ  ＲＲＣ接続は必要に応じて確立され得る。直接転送メッセージが、ユーザ機器とＭＳＣとの間で交換された後、ＭＳＣは、ＲＡＢ割当て要求（たとえば、ＧＳＭへのハンドオーバーがサービスベースのハンドオーバーＩＥを使用して実行され得ることを示す）を送信することができる。フレキシブル帯域幅ＵＴＲＡＮは、ハンドオーバーを受け入れるＲＡＢ割当て応答メッセージをＭＳＣに送信することができる。フレキシブル帯域幅ＵＴＲＡＮは直後に、ＭＳＣを通じて再配置要求メッセージをＧＥＲＡＮに送信して、ＵＥのためのリソースを確保することができる。ＧＥＲＡＮのハンドオーバーの準備ができているという確認応答をフレキシブルＲＡＮが受信すると、フレキシブル帯域幅ＲＮＣ（フレキシブルＲＡＮ中の）は、「ＵＴＲＡＮからのハンドオーバー」コマンドを送信することによってＵＥに通知することができる。
【０２４８】
いくつかの実施形態は、ＲＡＮリダイレクトを利用して、フレキシブル帯域幅のシステムから、非フレキシブル帯域幅のシステム、別のフレキシブル帯域幅のシステム、および／または回線交換音声サポートシステムに移行することを実現する。この目的で、ＭＴ／ＭＯ音声呼に応答するための別のネットワークへのフォールバックの決断が、ＲＡＮによって行われ、ＣＮおよびＵＥに伝えられ得る。この手順は、ＲＡＮが音声サービスをサポートするかどうかをＣＮが認識しない状況において使用され得る。たとえば、ユーザ機器は、フレキシブル帯域幅ＵＴＲＡＮのようなフレキシブル帯域幅ＲＡＮにキャンプオンしていてよい。フレキシブル帯域幅ＵＴＲＡＮは、フレキシブル帯域幅ＵＴＲＡＮが音声をサポートできないことをコアネットワーク（ＣＮ）が認識することなく、移行または音声フォールバックを処理することができる。ＣＮは、ＣＳ呼とＰＳ呼の両方のためにフレキシブル帯域幅ＵＴＲＡＮ  ＬＡおよびＲＡにユーザ機器を登録することによって、フレキシブル帯域幅ＵＴＲＡＮを通じたＣＳおよびＰＳ接続をサポートすることができる。ＭＯ／ＭＴ  ＣＳ音声呼がある場合、フレキシブル帯域幅ＵＴＲＡＮは、カバレッジ（たとえば、ユーザ機器がフレキシブルＵＴＲＡＮのカバレッジエリアの端部に到達した場合のように）、および／または容量（たとえば、フレキシブル帯域幅ＵＴＲＡＮのアドミッションコントロールがシステムに負荷がかかっていることを示す場合のように）などの理由で、ユーザ機器を他のＲＡＮにリダイレクトすることができる。ＣＮが通知されると、ＣＳ呼は、たとえば、ＭＣＳを通じてＧＥＲＡＮまたはＵＴＲＡＮに移され得る。同じＭＳＣがフレキシブル帯域幅ＵＴＲＡＮとＧＥＲＡＮ／ＵＴＲＡＮとをサービスする場合、実装はより簡単であり得る。ＲＡＮリダイレクトを実施するためのいくつかの特色があり得る。一例では、フレキシブル帯域幅ＵＭＴＳ  ＲＮＣは、ＭＳＣからのＲＡＢ割当て要求（音声のための、ＳＭＳのためとは限らない）を常に拒絶することができ、ＧＥＲＡＮ／ＵＴＲＡＮ上のセルとの再配置準備手順（ＭＳＣを通じた）を開始することができる。フレキシブル帯域幅ＵＴＲＡＮは、ＧＥＲＡＮ／ＵＴＲＡＮ中のセル上での何らかのＵＥ測定を命令し、音声フォールバックのためのターゲットセルを識別することができる。ＭＳＣへのＲＡＢ応答メッセージでの拒絶は、「ＲＡＢがリストをセットアップまたは修正するのに失敗した」または「再配置要求」などのメッセージを示し得る。「ＲＡＢがリストをセットアップまたは修正するのに失敗した」メッセージが含まれる場合、あり得る理由は、「再配置が引き起こされた」、「無線の理由で再配置が望ましい」、「指示されたリトライ」、「サービングセルにおける負荷の減少」、「要求されたトラフィッククラスが利用不可能」などを含み得る。「再配置要求」メッセージが示される場合にあり得る理由は、「緊急の再配置」、「リソース最適化再配置」、「無線の理由で再配置が望ましい」、「指示されたリトライ」、「サービングセルにおける負荷の減少」などであり得る。再配置手順が完了し、リソースがＵＥのターゲットセル上で確保されると、フレキシブル帯域幅ユーザ機器は、ＧＥＲＡＮ／ＵＴＲＡＮに合わせ、ＣＳ接続をセットアップするためにハンドオーバーを継続することができる。指示されたリトライ機構および負荷ベースのハンドオーバー（ＬＢＨＯ）は、フレキシブル帯域幅ＵＴＲＡＮからＧＥＲＡＮへの移動性のために機能し得るが、周波数間の負荷ベースのＨＯはフレキシブル帯域幅ＵＴＲＡＮからＵＴＲＡＮへの移動性のために機能する。別の例示的なフレキシブル帯域幅ＵＭＴＳユーザ機器は、ＭＯ／ＭＴ  ＣＳ音声呼のためのフォールバックを開始するために、確立の理由とドメインタイプ情報とを伴う、ＲＲＣ接続要求をフレキシブル帯域幅ＵＴＲＡＮに送信することができる。この場合、フレキシブル帯域幅ＵＴＲＡＮは、会話の呼を発信しているかどうか、会話の呼を終了しているかどうかを知り得るので、ＲＲＣ接続をセットアップする間、ＣＳ音声呼のみに対して、リダイレクト情報を伴うＲＲＣ接続拒絶を送信することができる。ＲＲＣ接続拒絶における拒絶理由は、「混雑」または「未指定」であり得る。この例は、たとえば、進行中のＰＳ接続が存在しない可能性があるときに使用され得る。
【０２４９】
フレキシブル帯域幅のシステムから、非フレキシブル帯域幅のシステム、別のフレキシブル帯域幅のシステム、および／または回線交換音声サポートシステムに移行またはフォールバックすることは、ユーザ機器によるチューンアウェイ手順を利用することができる。たとえば、ユーザ機器は、音声サービスをサポートしないフレキシブル帯域幅ＵＴＲＡＮのようなフレキシブル帯域幅ＲＡＮ上で、アイドルモードまたは接続モードにあってよく、他のＲＡＴ、たとえばＧＳＭまたはＵＭＴＳにおける問合せを監視するために、定期的にチューンアウェイすることができる。いくつかの場合には、ネットワークは、ＧＳＭまたはＵＭＴＳを通じてＣＳ問合せを送信することができる。チューンアウェイは、フレキシブル帯域幅ＵＴＲＡＮの支援とともに行われてよく、この場合、フレキシブル帯域幅ＵＴＲＡＮは、ＧＳＭまたはＵＭＴＳにチューンアウェイし、ＧＳＭまたはＵＭＴＳにおける問合せを監視するように、ユーザ機器の圧縮モードを構成することができる。チューンアウェイはまた、１ｘ／ＤＯネットワークにおけるいくつかの実装形態と同様に、フレキシブル帯域幅ＵＴＲＡＮからの支援を伴わなくてもよい。フレキシブル帯域幅ＵＴＲＡＮからの協調の欠如は、ＵＥが接続モードにある場合、フレキシブル帯域幅ＵＴＲＡＮの接続の性能低下につながり得る。このことは、フレキシブルシステム上の接続モードにあるＵＥにとって不利益となり、この不利益は、フレキシブルシステムの時間が延びる性質により、１ｘ／ＤＯモデルの場合よりも大きいと予想され得る。
【０２５０】
次に図２９を見ると、ブロック図は、様々な実施形態による、移動性機能を含むデバイス２９００を示す。デバイス２９００は、図１、図３Ｂ、図３８、および／または図３９のコアネットワーク１３０、図３Ｂ、図３８、および／または図３９の無線アクセスネットワーク１２１、および／または、図１、図２、図３、図３８、図３９、図４０、および／または図４２のユーザ機器１１５の態様の例であり得る。デバイス２９００はプロセッサでもあり得る。デバイス２９００は、受信機モジュール２９０５、ネットワーク識別モジュール２９１０、フォールバックモジュール２９１５、および／または送信機モジュール２９２０を含み得る。これらのコンポーネントの各々は互いに通信し得る。デバイス２９００は、図３０〜図３７および／または関連する説明において示されるような呼のフローおよび／またはシステムの様々な態様を実装するように構成され得る。
【０２５１】
デバイス２９００のこれらのコンポーネントは、個別にまたは集合的に、ハードウェア中の適用可能な機能の一部またはすべてを実行するように適応された１つまたは複数の特定用途向け集積回路（ＡＳＩＣ）によって実装され得る。代替的に、機能は、１つまたは複数の他の処理ユニット（またはコア）によって、１つまたは複数の集積回路上で実行され得る。他の実施形態では、当技術分野で知られている任意の方法でプログラムされ得る他のタイプの集積回路（たとえば、ストラクチャード／プラットフォームＡＳＩＣ、フィールドプログラマブルゲートアレイ（ＦＰＧＡ）、および他のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令によって実装され得る。
【０２５２】
受信機モジュール２９０５は、パケット、データ、および／またはデバイス２９００が受信または送信したものに関するシグナリング情報のような、情報を受信し得る。受信された情報は、ネットワーク識別モジュール２９１０および／またはフォールバックモジュール２９１５によって種々の目的のために利用され得る。
【０２５３】
いくつかの実施形態では、フォールバックモジュール２９１５は、第１の無線アクセスネットワークから第２の無線アクセスネットワークに移行するために構成され、第１の無線アクセスネットワークはフレキシブル帯域幅の無線アクセスネットワークを含み、第２の無線アクセスネットワークは通常帯域幅の無線アクセスネットワークを含む。いくつかの実施形態では、コアネットワークが、フォールバックモジュール２９１５を通じた移行の１つまたは複数の態様を管理し得る。いくつかの実施形態では、無線アクセスネットワークの少なくとも１つが、フォールバックモジュール２９１５を通じた移行の１つまたは複数の態様を管理する。移行は、ＵＥのための回線交換音声サービスに関連し得る。フォールバックモジュール２９１５は、限定はされないが、回線交換フォールバックのような手順、リダイレクト手順、セル変更命令手順、サービスベースのハンドオーバー、ＲＡＮリダイレクト手順、および／またはＵＥによるチューンアウェイ手順を含む、種々の異なる手順を利用し得る。
【０２５４】
デバイス２９００は、受信機モジュール２９０５および／または送信機モジュール２９０２を介して、第１の無線アクセスネットワークを通じて通信するために構成されてよく、第１の無線アクセスネットワークは第１のフレキシブル帯域幅キャリアを利用する。ネットワーク識別モジュール２９１０は、第２の無線アクセスネットワークを識別するために構成され得る。第２の無線アクセスネットワークは、第１の帯域幅キャリアを利用し得る。フォールバックモジュール２９１５は、第１の無線アクセスネットワークの第１のフレキシブル帯域幅キャリアを利用することから、第２の無線アクセスネットワークの第１の帯域幅キャリアを利用することへと移行するために構成され得る。
【０２５５】
第１の無線アクセスネットワークの第１のフレキシブル帯域幅キャリアを利用することから第２の無線アクセスネットワークの第１の帯域幅キャリアを利用することに移行することが、コアネットワークによって少なくとも一部管理され得るように、フォールバックモジュール２９１５が構成され得る。第１の無線アクセスネットワークの第１のフレキシブル帯域幅キャリアを利用することから第２の無線アクセスネットワークの第１の帯域幅キャリアを利用することに移行することは、無線アクセスネットワークの少なくとも１つによって少なくとも一部管理され得る。少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することは、呼のセットアップに関連し得る。第１の帯域幅キャリアは、通常帯域幅キャリア、または第２のフレキシブル帯域幅キャリアを含み得る。
【０２５６】
少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することが、ユーザ機器のための回線交換音声サービスに関連し得るように、ネットワーク識別モジュール２９１０および／またはフォールバックモジュール２９１５が構成され得る。
【０２５７】
少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することが、回線交換フォールバックのような手順を利用することを含み得るように、ネットワーク識別モジュール２９１０および／またはフォールバックモジュール２９１５が構成され得る。いくつかの場合には、フラグを含み得るインジケータが、回線交換フォールバックのような手順の使用をシグナリングするために利用され得る。他の場合には、無線アクセスネットワークまたはコアネットワークのうちの１つが、回線交換フォールバックのような手順の使用をシグナリングする特定のインジケータを受信すると、回線交換フォールバックのような手順が利用されていると判定することができる。少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することは、セル変更命令手順を利用することを含み得る。少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することは、サービスベースのハンドオーバーを利用することを含み得る。少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することは、ＲＡＮリダイレクト手順を利用することを含み得る。少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することは、ユーザ機器によるチューンアウェイ手順を利用することを含み得る。
【０２５８】
デバイス２９００のいくつかの実施形態は、フレキシブル帯域幅のシステムと非フレキシブル帯域幅のシステムとの間の移動性を提供することができる。非フレキシブル帯域幅のシステムは、回線交換音声サービスを処理するように構成され得る。フレキシブル帯域幅のシステムと、非フレキシブル帯域幅のシステムおよび／または回線交換音声サポートシステムとの間の移動性は、これらのシステムの間の移行および／または音声フォールバックと呼ばれ得る。たとえば、いくつかの実施形態は、回線交換音声サービスのための、フレキシブル帯域幅ＲＡＮから非フレキシブル帯域幅ＲＡＮへの移行を含み得る。一例は、フレキシブル帯域幅ＲＡＮからＧＥＲＡＮ、ＵＴＲＡＮ、または他の無線アクセス技術ＲＡＮへの音声フォールバックを含み得る。いくつかの実施形態では、フレキシブル帯域幅ＲＡＮまたはフレキシブル帯域幅への対応能力のあるＵＥはまた、通常のＲＡＮまたは通常のＵＥの機能に対応し得る。したがって、フレキシブル帯域幅ＲＡＮまたはフレキシブル帯域幅への対応能力のあるＵＥは、それぞれ、フレキシブル対応かつ通常対応のＲＡＮまたはＵＥであり得る。
【０２５９】
移行またはフォールバックの手順は、様々な実施形態による種々の技法を利用し得る。様々な実施形態は、限定はされないが、新たなメッセージまたは修正された既存のメッセージを伴う回線交換フォールバック（ＣＳＦＢ）のような手順、既存のメッセージと修正されたＲＡＮおよび／またはＣＮエンティティとを使用するＣＳＦＢのような手順、セル変更命令、サービスベースのハンドオーバー、ＲＡＮリダイレクト、および／またはモバイル機器によるチューンアウェイを含む、これらの移行手順および／またはフォールバック手順のための様々な技法を利用することができる。
【０２６０】
単なる例として、以下では、特定の無線アクセス技術を利用するいくつかの異なる例を提供する。他の同様の実施形態は、他のＲＡＴの使用を含み得る。一実施形態は、新たなメッセージまたは修正された既存のメッセージを伴う回線交換フォールバック（ＣＳＦＢ）のような手順を使用する、フレキシブルＵＴＲＡＮからＧＥＲＡＮ、ＵＴＲＡＮ、または１ｘへのフォールバックを含む。一実施形態は、既存のメッセージと修正されたＣＮおよびＲＡＮエンティティとを伴うＣＳＦＢのような手順を使用する、ＵＴＲＡＮからＧＥＲＡＮまたはＵＴＲＡＮへのフォールバックを含む。一実施形態は、セル変更命令コマンドを使用する、フレキシブル帯域幅ＵＴＲＡＮからＧＥＲＡＮへのフォールバックを含む。一実施形態は、サービスベースのハンドオーバーを使用する、フレキシブルＵＴＲＡＮからＧＥＲＡＮまたはＵＴＲＡＮへのフォールバックを含む。いくつかの実施形態は、ＲＡＮリダイレクトを使用する、フレキシブル帯域幅ＵＴＲＡＮからＧＥＲＡＮ／ＵＴＲＡＮへのフォールバックを含む。一実施形態は、他のＲＡＴへのチューンアウェイをＵＥに許容することによる、フレキシブル帯域幅ＵＴＲＡＮからＧＥＲＡＮまたはＵＴＲＡＮへのフォールバックを含む。
【０２６１】
いくつかの実施形態は、新たなメッセージまたは修正された既存のメッセージを伴うＣＳＦＢのような手順を利用する、フレキシブル帯域幅のシステムから非フレキシブル帯域幅のシステムまたは回線交換音声サポートシステムへの、移行またはフォールバックを実現する。図３０Ａは、ＵＭＴＳまたはＧＳＭのようなＲＡＴへのＭＯ  ＣＳＦＢのような手順のための呼のフロー３０００−ａを示す。たとえば、ＣＳＦＢのような手順は、ＵＭＴＳまたはＧＳＭに移行またはフォールバックするために利用され得る。単なる例として、ＰＳ呼またはサービスをサポートし得るフレキシブル帯域幅ＵＭＴＳネットワークを考えるが、ＣＳ呼は、ＧＳＭまたはＵＭＴＳのような別のネットワーク上でサポートされ得る。ＵＥは、呼を開始する前の登録の間に、共同ＧＰＲＳおよびＩＭＳＩ接続を実行することができる。進行中のＰＳ呼の間は、着信したＣＳ呼に応答するために、ＰＳ呼は終了され得る。いくつかの場合には、ＰＳ呼は、ＰＳハンドオーバーであってよく、または中断されてよい。ＣＳ  ＭＯ呼では、ＵＥは、「ＣＳＦＢインジケータを伴う」ＭＯ  ＣＳサービス要求をコアネットワーク（たとえば、ＳＧＳＮ）に送信することができる。フレキシブル帯域幅ＵＴＲＡＮのようなフレキシブル帯域幅ＲＡＮは、たとえば、ＲＡＮリダイレクト要求／応答手順を使用してＣＳ呼に応答するための、現在のＲＡＴからＧＥＲＡＮまたはＵＴＲＡＮのような別のＲＡＴへのＵＥの移行の可能性についての要求を、コアネットワーク（たとえば、ＳＧＳＮ）から受信することができる。フレキシブル帯域幅ＵＴＲＡＮは、ＲＡＴリダイレクトメッセージ中で、ＲＡＴ、ＬＡＩまたはＰＬＭＮ  ＩＤのような情報をコアネットワークから受信することができる。この情報は、新たなＲＡＴ上で最良のセルを見つけるために、ＧＥＲＡＮまたはＵＴＲＡＮ上での測定を命令するためにフレキシブル帯域幅ＲＡＮによって利用され得る。ターゲットセルが識別されると、ＧＥＲＡＮまたはＵＴＲＡＮへのリダイレクトを伴うＲＲＣ解放手順が、ターゲットセルへと移行するようにＵＥに命令するために開始され得る。ターゲットセルについてのいくつかのシステム情報が利用可能である場合、フレキシブル帯域幅ＲＮＣは、リダイレクトメッセージにこの情報を含め得る。フレキシブル帯域幅ＲＡＮとＵＥとの間のＰＳ接続を維持するためにそれまで使用されていたＰＤＰコンテキストおよびＲＡＢは、ＳＧＳＮにおいて解放され得る。ユーザ機器は次いで、システム情報を使用して新たなＲＡＴに切り替え、フラグ（たとえば、「ＣＳＭＯ」フラグ）とともにＣＳサービス要求を新たなセル上で送信し、ＣＳＦＢをＭＳＣに示すことができる。ＣＳ接続が、ＧＥＲＡＮまたはＵＴＲＡＮのような新たなＲＡＴ上でセットアップされ得る。
【０２６２】
いくつかの実施形態は、種々の異なるＲＡＴを利用してＣＳ  ＭＴ呼のために構成される。以下の例は、フレキシブル帯域幅ＵＴＲＡＮ、ＧＳＭ、および／またはＵＭＴＳを利用し得るが、他のＲＡＴが利用されてもよい。図３０Ｂは、ＵＭＴＳまたはＧＳＭのようなＲＡＴへのＭＴ  ＣＳＦＢのような手順のための呼のフロー３０００−ｂを示す。たとえば、ＭＳＣは、このＵＥに対するＣＳサービス要求を受信することができる。ＭＳＣは、ＵＥが問合せをされる必要があることをＳＧＳＮに通知することができる。ＳＧＳＮは、ＣＳ通知メッセージ（たとえば、ＲＡＮ上でページングタイプ２である）を使用して、ＣＳ呼要求についてＵＥに通知することができる。ＵＥは、「ＣＳＦＢインジケータ」とともにＭＴ  ＣＳサービス要求をコアネットワーク（この場合はＳＧＳＮ）に送信することができる。フレキシブル帯域幅ＵＴＲＡＮは、ＲＡＮリダイレクト要求／応答を使用して、ＣＳ呼に応答するためのＧＥＲＡＮまたはＵＴＲＡＮへの移行についてＳＧＳＮによって通知され得る。フレキシブル帯域幅ＵＴＲＡＮは、新たなＲＡＴ上で最良のセルを見つけるために、ＧＥＲＡＮまたはＵＴＲＡＮ上での測定を命令することができる。ＲＲＣ解放手順は、ＧＥＲＡＮまたはＵＴＲＡＮへのリダイレクトによって開始されてよく、ＳＩは、利用可能であればメッセージ中に含まれ得る。ＲＡＮとＵＥとの間のＰＳ接続を維持するためにそれまで使用されていたＰＤＰコンテキストおよびＲＡＢは、ＳＧＳＮにおいて解放され得る。ＵＥは、ＲＡＴを切り替えることができ、「ＣＳＭＴ」フラグを伴う問合せ応答を新たなセル上で送信して、ＣＳＦＢをＭＳＣに示すことができる。ＣＳ接続が、ＧＥＲＡＮまたはＵＴＲＡＮ上でセットアップされ得る。
【０２６３】
方法３０００−ａおよび／または方法３０００−ｂは、上で論じられたような、フレキシブル帯域幅のシステムから、非フレキシブル帯域幅のシステム、ＣＳ音声サービスをネイティブにサポートする別のフレキシブル帯域幅のシステム、または、回線交換音声サポートシステムに、上で論じられたようにＣＳＦＢのような技法と手順とを利用し、移行することを含み得る。ＵＭＴＳ／ＧＳＭはＣＳ音声をサポートするので、ＣＳＦＢはＵＭＴＳ／ＧＳＭに対しては定義されなくてよい。したがって、フレキシブル帯域幅ＵＭＴＳからＵＭＴＳ／ＧＳＭへのリダイレクトの一例は、ＣＳＦＢにならってモデル化され得る。ＣＳＦＢは一般に、ＬＴＥからＵＭＴＳまでサポートされ得る。たとえば、ＰＳ呼またはサービスをサポートし得るフレキシブル帯域幅ＵＭＴＳネットワークを考えるが、ＣＳ呼はＧＳＭまたはＵＭＴＳのような別のネットワーク上でサポートされ得る。ユーザ機器は、呼を開始する前の登録の間に、共同ＧＰＲＳおよびＩＭＳＩ接続を実行することができる。進行中のＰＳ呼の間は、着信したＣＳ呼に応答するために、ＰＳ呼は終了され得る。いくつかの場合には、モバイル機器が他の無線アクセスネットワークにリダイレクトされるとき、ＰＳ呼は、他の無線アクセスネットワークにハンドオーバーされてよく、または、ＣＳ呼の間は中断されてよい。ＣＳ  ＭＯ呼をサポートするために、ＵＥがフレキシブル帯域幅のネットワーク上でＰＳ呼を行っている間、ユーザ機器は、インジケータ（たとえば、「ＣＳＦＢインジケータ」）を伴うＭＯ  ＣＳサービス要求を、コアネットワーク（たとえば、ＳＧＳＮ）に送信することができる。「ＣＳＦＢインジケータ」は、ＣＭサービス要求が通常のＣＳ要求ではなくフォールバックを必要とするものであることを、ＳＧＳＮに通知することができる。フレキシブル帯域幅ＵＴＲＡＮのようなフレキシブル帯域幅ＲＡＮは、たとえば、ＲＡＮリダイレクト要求／応答手順を使用してＣＳ呼に応答するための、現在のＲＡＴからＧＥＲＡＮまたはＵＴＲＡＮのような別のＲＡＴへのＵＥの移行の可能性についての要求を、コアネットワーク（たとえば、ＳＧＳＮ）から受信することができる。フレキシブル帯域幅ＵＴＲＡＮは、ＲＡＴリダイレクト要求メッセージ中で、ＲＡＴ位置エリアＩＤ（ＬＡＩ）またはＰＬＭＮ  ＩＤのような情報をコアネットワークから受信することができる。この情報は、新たなＲＡＴ上で最良のセルを見つけるために、ＧＥＲＡＮまたはＵＴＲＡＮ上での測定を命令するためにフレキシブル帯域幅ＲＡＮによって利用され得る。ターゲットセルが識別されると、ＧＥＲＡＮまたはＵＴＲＡＮへのリダイレクトを伴うＲＲＣ解放手順が、ターゲットセルへと移行するようにＵＥに命令するために開始され得る。ターゲットセルについての何らかのシステム情報が利用可能である場合、フレキシブル帯域幅ＲＮＣは、リダイレクトメッセージにこの情報を含め得る。フレキシブル帯域幅ＲＡＮとＵＥとの間のＰＳ接続を維持するためにそれまで使用されていたＰＤＰコンテキストおよびＲＡＢは、ＳＧＳＮにおいて解放され得る。ユーザ機器は次いで、情報を使用して新たなＲＡＴに切り替え、フラグ（たとえば、「ＣＳＭＯ」フラグ）とともにＣＳサービス要求を新たなセル上で送信し、ＣＳＦＢをＭＳＣに示すことができる。ＣＳ接続が、ＧＥＲＡＮまたはＵＴＲＡＮのような新たなＲＡＴ上でセットアップされ得る。ＭＴ  ＣＳ呼について、同様の手順をたどることができる。
【０２６４】
呼の流れ３０００−ａおよび／または３０００−ｂは、このＣＳＦＢのような手順を実施するためにＵＴＲＡＮ／ＧＥＲＡＮにおいて追加のメッセージを利用し得る、いくつかの実施形態を含み得る。いくつかの実施形態は、新たなＩＥを定義することによって、既存のメッセージを修正することができる。ＵＭＴＳ／ＧＳＭにおいて使用される現在のＣＭサービス要求メッセージは、「ＣＳＦＢ」インジケータまたは「ＣＳＭＯ」フラグを含めることを許容しないことがあるので、新たなメッセージが作成されてよく、または、既存のＣＭ要求メッセージがこの手順をサポートするために拡張されてよい。加えて、ＲＡＴリダイレクト要求メッセージはＵＭＴＳでは存在しないことがある。したがって、ＲＡＴ、周波数情報などのような情報を搬送する新たなＲＡＴリダイレクトメッセージが作成されてよく、または、ＲＡＢ割当てメッセージのような既存のメッセージがこの情報を含むように拡張されてよい。現在の規格におけるリダイレクトメッセージを伴うＲＲＣ解放は、ＳＩを搬送できない。したがって、新たなメッセージが作成されてよく、または既存のメッセージが拡張される必要があり得る。たとえば、音声フォールバックまたは移行モードＣＭサービス要求を示すために、追加のＩＥがＣＭサービス要求に追加され得る。追加のＩＥは、「ＣＳＭＴフラグ」を示すために問合せ応答に追加され得る。新たなメッセージ「ＲＡＮリダイレクト要求／応答」または同様のメッセージは、ＬＡＩ、ＰＬＭＮ、および／またはＲＡＴ情報のような情報を、ＳＧＳＮからフレキシブル帯域幅ＵＴＲＡＮまたは他のフレキシブル帯域幅ＲＡＮに搬送するために利用され得る。このメッセージは、追加のＩＥを伴う既存のＲＡＢ割当て要求／応答メッセージであり得る。追加のＩＥは、リダイレクト伴うＲＲＣ解放メッセージ中のＵＭＴＳセルを含み得る。ＳＩを搬送する追加のＩＥはまた、ターゲットセルについてのＳＩをＵＥに提供するために、リダイレクトメッセージを伴うＲＲＣ解放に含まれ得る。
【０２６５】
いくつかの実施形態は、現存するメッセージ（ＣＥＭ：currently existing message）を伴うＣＳＦＢのような手順を利用する、フレキシブル帯域幅のシステムから非フレキシブル帯域幅のシステムおよび／または回線交換音声サポートシステムへの、移行またはフォールバックを実現する。たとえば、ＣＥＭ技法を伴うＣＳＦＢが、フレキシブル帯域幅ＵＴＲＡＮからＵＭＴＳまたはＧＳＭに移行またはフォールバックするために利用され得る。この例では、フレキシブル帯域幅ＵＴＲＡＮはＰＳをサポートし得るが、ＣＳ呼はＧＳＭ上でサポートされてよく、かつ／または、ＵＭＴＳ  ＵＥが登録の間に共同ＧＰＲＳおよびＩＭＳＩ接続を実行してよい。ＣＳ呼に応答するために、ＰＳ呼は、終了、ハンドオーバー、または中断され得る。ＭＯ呼では、フレキシブル帯域幅ＵＭＴＳ対応ＵＥ（たとえば、ＵＥがＰＳ呼を行っているとき）は、ＣＳ音声呼のために「会話音声呼を発信する」に対するＣＭサービス要求を送信することができる。いくつかの例では、ＵＭＴＳ  ＣＳサービス要求メッセージは「ＣＳＦＢ」インジケータを含まないことがあるので、ＳＧＳＮは、ＣＭサービス要求メッセージの受信、ＵＥ能力の知識、ＵＥ登録情報、ネットワークによってＵＥに提供されるネットワーク能力および／またはサービスから、ＣＭサービス要求がＣＳＦＢ要求として扱われるべきかどうかを判定することができる。同様に、ＵＥが「ＣＳＭＯ」フラグを伴わないＣＭサービス要求を新たなセル上で送信する場合、ＭＳＣは、メッセージをＣＳＦＢ要求として扱うべきかどうかの判断を行うことができる。ＲＡＮリダイレクトメッセージを定義することまたはＲＡＢメッセージを拡張することの代わりに、ＲＡＢ要求／応答メッセージが使用され得る。任意選択の「ＬＡＩ」がメッセージ中で使用され得る。ＬＡＩは、そのＬＡＩと関連付けられるＲＡＴおよび周波数のデータベースを作成するために、ＲＮＣによって使用され得る。データベースによって、ＲＡＮが「ＬＡＩ」を受信すると、ＲＡＮは、対応する周波数情報とＲＡＴ情報とを予測することができる。しかしながら、そうしたメッセージで搬送された可能性のあるＲＡＴおよび周波数の情報は、フレキシブル帯域幅ＵＴＲＡＮ（たとえば、ＲＮＣ）によって決定され得る。リダイレクトメッセージを伴うＲＲＣ解放にＳＩを含める必要を最小限にするために、リダイレクトメッセージを伴うＲＲＣ解放を送信する前に、ＵＥ測定がフレキシブル帯域幅ＵＴＲＡＮによって命令され、ＵＥがすでに識別されているセルにリダイレクトされることを確実にすることができる。この目的で、フレキシブル帯域幅ＵＴＲＡＮは、「早期解放」という解放理由とリダイレクト情報（たとえば、周波数情報およびＲＡＴ間情報）とを伴うＲＲＣ接続解放を使用して、進行中のＰＳ呼を終了し、ターゲットセルにハンドオーバーするようにＵＥに命令することができる。ＲＡＴ間情報については、現在はＧＳＭ  ＲＡＴ情報のみがＲＲＣ接続解放に含まれ得る。このメッセージにＵＭＴＳのための情報を含めるように、修正が使用され得る。これはまた、方法３１００−ａ〜方法３１００−ｂおよび以下で論じられる他の部分に適用可能であり得る。
【０２６６】
いくつかの実施形態は、ＣＥＭとのＭＯ  ＣＳ呼を提供する。図３１Ａは、様々な実施形態による、ＣＥＭとのＭＯ  ＣＳ呼のための呼のフロー３１００−ａを示す。たとえば、進行中のＰＳ呼を終了し、ＧＥＲＡＮ／ＵＴＲＡＮに移ってＣＳ呼を続けるようにＵＥに命令するために、フレキシブル帯域幅ＵＴＲＡＮは、「早期解放」という解放理由を伴うＲＲＣ接続解放および／またはリダイレクト情報（たとえば、周波数情報およびＲＡＴ間情報）をＵＥに送信することができる。ＧＳＭ  ＲＡＴ情報は、既存のＲＲＣ接続解放メッセージに容易に含められ得る。いくつかの実施形態は、ＵＭＴＳセルのための情報を含めるための、メッセージに対する修正を含む。フレキシブル帯域幅ＵＭＴＳ  ＵＥは、ＲＲＣ接続解放完了を送信することができる。フレキシブル帯域幅ＵＭＴＳ  ＵＥは、リダイレクト情報（たとえば、周波数情報およびＲＡＴ間情報）において示されるように、ＧＳＭまたはＷＣＤＭＡ（または他のＲＡＴ）の周波数に合わせることができる。フレキシブル帯域幅ＵＭＴＳ  ＵＥは、ターゲットＵＭＴＳまたはＧＳＭセルにＣＳサービス要求を送信することができ、対応するＭＳＣは、ＣＳ呼がフォールバック呼のためのものであったと判定する必要があり得る。フレキシブル帯域幅ＵＭＴＳ  ＵＥは、ＧＳＭまたはＵＭＴＳ（または他のＲＡＴ）においてＣＳ呼を続けることができる。ＰＳデータセッションはまた、中断と移行のいずれかが行われ得る。
【０２６７】
いくつかの実施形態は、ＣＥＭとのＭＴ  ＣＳ呼を実現する。図３１Ｂは、様々な実施形態による、ＣＥＭとのＭＴ  ＣＳ呼のための呼のフロー３１００−ｂの例を示す。たとえば、フレキシブル帯域幅ＵＴＲＡＮのようなフレキシブル帯域幅ＲＡＮは、「会話音声呼を終了する」という問合せ理由とＣＳ音声呼のための「ＣＳドメイン」というＣＮドメイン識別情報とともに、ページングタイプ２をＵＭＴＳ  ＵＥ（ＰＳ呼中の）のようなフレキシブル帯域幅への対応能力のあるＵＥに送信することができる。フレキシブル帯域幅ＵＭＴＳ  ＵＥ（たとえば、ＰＳ呼中の）は、ＣＭサービス要求メッセージによって返答することができる。ＭＳＣは、呼がフォールバックを必要とすると判定することができ、任意選択のＬＡＩフィールドが含まれた状態で、ＲＡＢ割当て要求メッセージをフレキシブル帯域幅ＵＴＲＡＮに送信することができる。フレキシブル帯域幅ＵＴＲＡＮは、ＬＡＩから候補ＲＡＴと周波数情報とを決定することができる。フレキシブル帯域幅ＵＴＲＡＮは、ＵＴＲＡＮまたはＧＥＲＡＮセルに対する測定を開始できるので、たとえば、ＵＥはセルを識別することができる。たとえば、フレキシブル帯域幅ＵＴＲＡＮは、「早期解放」という解放理由を伴うＲＲＣ接続解放および／またはリダイレクト情報（たとえば、周波数情報およびＲＡＴ間情報）を送信して、進行中のＰＳ呼を終了することができる。
【０２６８】
いくつかの場合には、フレキシブル帯域幅ＵＭＴＳ  ＵＥは、フレキシブル帯域幅ＵＴＲＡＮのような別のフレキシブル帯域幅ＲＡＮに、ＲＲＣ接続解放完了を送信する。ＵＭＴＳ  ＵＥは、たとえば、リダイレクト情報（たとえば、周波数情報およびＲＡＴ間情報）において示され得るような、ＧＳＭまたはＵＭＴＳ周波数に合わせることができる。たとえば、フレキシブル帯域幅ＵＭＴＳ  ＵＥは、ＧＳＭまたはＵＭＴＳにおいてＭＴ  ＣＳ音声呼に対する問合せに応答することができる。ＰＳデータセッションはまた、中断また移行され得る。
【０２６９】
ＣＥＭを利用する実施形態は、「フォールバックインジケータ」または「ＣＳＭＯ」フラグが使用されることのない状態で、通常のＣＭサービス要求を含んでよく、ＳＧＮＳおよび／またはＭＳＣは、ＵＥ登録情報を使用して、いつものサービス要求からフォールバックサービス要求を決定することができる。ＲＮＣは、ＬＡＩおよびＲＡＢ割当て要求メッセージからターゲットセルＲＡＴおよび／または周波数を決定することができる。いくつかの実施形態は、ＵＭＴＳセルへのリダイレクトを実現するための追加のＩＥを含み得る。
【０２７０】
いくつかの実施形態は、セル変更命令コマンドを利用する、フレキシブル帯域幅のシステムから非フレキシブル帯域幅のシステムおよび／または回線交換音声サポートシステムへの、移行またはフォールバックを実現する。たとえば、いくつかの実施形態は、ＵＴＲＡＮからのセル変更命令を利用する。ＵＭＴＳでは、たとえば、ＰＳドメインにおけるＲＡＴ間の移動性が、ＰＳ接続（たとえば、Ｃｅｌｌ＿ＤＣＨまたはＣｅｌｌ＿ＦＡＣＨ状態にあるＵＥ）を別のＲＡＴ（たとえば、ＧＰＲＳ）に移すために、「ＵＴＲＡＮからのセル変更命令」を使用して処理され得る。ＣＳドメインでは、「ＵＴＲＡＮからのハンドオーバー」が使用され得る。これらのツールおよび技法は、場合によっては、適切なＧＰＲＳセルの存在を示すＵＥによって報告されるＲＡＴ間測定の結果として、ＵＴＲＡＮによって開始するために使用され得る。ＵＴＲＡＮは、移行されるべきＲＡＢと、ＵＥがＧＰＲＳセルを識別しそれにキャンプオンするために利用し得る情報とを示し得る。「ＵＴＲＡＮからのセル変更命令」中のＧＳＭ情報は、ＢＳＩＣ、バンドインジケータ、ＢＣＣＨ  ＡＲＦＣＮ、および／またはＮＣモードを含み得る。ＵＥは、ターゲットＧＰＲＳセルとの接続を確立しようと試みることができ、示されたＲＡＢに対応する上位レイヤエンティティを、ターゲットＲＡＴによって提供される無線リソースに接続することができる。手順が成功すると、ＰＳコアネットワークは、ＵＴＲＡＮが、ＵＥに割り当てられた専用のリソース（ＵＴＲＡＮ無線リソースおよびＵＥコンテキスト情報）を解放できるように、ＵＴＲＡＮに知らせることができる。手順が失敗すると、ＵＥは、ＵＴＲＡＮからのセル変更命令失敗メッセージを送信することができ、ＵＴＲＡＮとの接続を維持することができる。
【０２７１】
たとえば、上で論じられたように、ＵＭＴＳでは、ＰＳドメインにおけるＵＭＴＳからＧＳＭへのＲＡＴ間の移動性は、ＵＥがＣｅｌｌ＿ＤＣＨまたはＣｅｌｌ＿ＦＡＣＨ状態のようなＲＲＣ状態にあるとき、ＰＳ接続を別のＲＡＴ（たとえば、ＧＰＲＳ）に移すために「ＵＴＲＡＮからのセル変更命令」を使用して処理され得る。ＣＳドメインでは、「ＵＴＲＡＮからのハンドオーバー」が使用され得る。同様に、ＰＳドメインにおけるＧＳＭからＵＭＴＳへのＲＡＴ間の移動性は、ＧＳＭからＵＭＴＳにＰＳ接続を移すために、「ＵＴＲＡＮへのセル変更命令」を使用して処理され得る。ＣＳドメインでは、「ＵＴＲＡＮへのハンドオーバー」が使用され得る。これらのツールおよび技法は、場合によっては、適切なＵＭＴＳ／ＧＰＲＳセルの存在を示すユーザ機器によって報告されるＲＡＴ間測定の結果として、ＵＭＴＳ／ＧＳＭへのフォールバックを開始するために使用され得る。たとえば、ＵＥがフレキシブル帯域幅ＵＴＲＡＮを通じた進行中のＰＳ接続を有する場合、フレキシブル帯域幅ＲＡＮは、移されるべきＲＡＢと、ユーザ機器がＵＥに対するＧＰＲＳセルを識別しＧＰＲＳセルにキャンプオンするために利用し得る情報とを示し得る。「ＵＴＲＡＮからのセル変更命令」中のＧＳＭ情報は、ＢＳＩＣ、バンドインジケータ、ＢＣＣＨ  ＡＲＦＣＮ、および／またはＮＣモードを含み得る。ユーザ機器は、ターゲットＧＰＲＳセルとの接続を確立しようと試みることができ、示されたＲＡＢに対応する上位レイヤエンティティを、ターゲットＲＡＴによって提供される無線リソースに接続することができる。手順が成功すると、ＰＳコアネットワークは、フレキシブル帯域幅ＵＴＲＡＮが、ユーザ機器に割り当てられた専用のリソース（たとえば、ＵＴＲＡＮ無線リソースおよびユーザ機器コンテキスト情報）を解放できるように、フレキシブル帯域幅ＵＴＲＡＮに知らせることができる。手順が失敗すると、ユーザ機器は、「ＵＴＲＡＮからのセル変更命令」失敗メッセージを送信することができ、フレキシブル帯域幅ＵＴＲＡＮとの接続を維持することができる。この例は、フレキシブル帯域幅ＵＴＲＡＮ中に進行中のＰＳ呼があり、そしてＧＥＲＡＮにリダイレクトされ得るＭＯ／ＭＴ  ＣＳ呼があり、ＰＳ呼もＧＥＲＡＮにハンドオーバーされ得ることを、仮定し得る。同様のフォールバック手順は、ＵＥがフレキシブル帯域幅ＵＴＲＡＮを通じた既存のＰＳ接続を有し、ＭＯ／ＭＴ音声呼を受信／送信する場合に、使用され得る。フレキシブル帯域幅ＵＴＲＡＮは、ＧＥＲＡＮへの音声フォールバックのために「ＵＴＲＡＮからのセル変更命令」を送信することができ、ＵＴＲＡＮとして振る舞う。フレキシブル帯域幅ＵＴＲＡＮは、ＵＴＲＡＮへの音声フォールバックのために「ＵＴＲＡＮへのセル変更命令」を送信することができ、ＵＴＲＡＮとは異なるかのように振る舞う。
【０２７２】
いくつかの場合には、適切なＧＰＲＳセルを示すＵＥ測定に基づいて「ＵＴＲＡＮからのセル変更命令」を引き起こす代わりに、フレキシブル帯域幅ＵＴＲＡＮは、フレキシブル帯域幅ＵＴＲＡＮからＧＥＲＡＮへの音声フォールバックのためのＭＯまたはＭＴ  ＣＳ音声呼がある場合、「ＵＴＲＡＮからのセル変更命令」を送信することができる。ＭＯ音声呼では、ＵＥはＣＭサービス要求／セットアップを送信することができ、このことは、「ＵＴＲＡＮからのセル変更命令」を引き起こし得る。ＭＴ  ＣＳ音声呼では、ＵＴＲＡＮから送信されるページングタイプ２メッセージおよび／またはＣＳサービス要求が、「ＵＴＲＡＮからのセル変更命令」を引き起こし得る。
【０２７３】
いくつかの実施形態は、ＵＴＲＡＮに対するシステム間セル変更命令を含む。この手順は、他のＲＡＴ（たとえば、ＧＳＭ、ＧＰＲＳ）に固有の手順を使用してＵＴＲＡＮセルに移るようにＵＥに命令するために、そのＲＡＴによって使用され得る。いくつかの実施形態は、ターゲットＵＴＲＡＮセルの識別情報を含む。ＵＴＲＡＮでは、ＵＥは、たとえば、確立理由が「ＲＡＴ間セル変更命令」に設定された状態で、ＲＲＣ接続確立手順を開始することができる。
【０２７４】
いくつかの実施形態は、ＵＭＴＳへの移行および／または音声フォールバックを実現する。いくつかの場合には、適切なＵＭＴＳセルを示すＵＥ測定結果に基づいて「ＵＴＲＡＮへのセル変更命令」を引き起こす代わりに、フレキシブル帯域幅ＵＴＲＡＮは、フラクショナルＵＴＲＡＮからＵＴＲＡＮへの音声フォールバックのためのＭＯまたはＭＴ  ＣＳ音声呼がある場合、「ＵＴＲＡＮへのセル変更命令」を送信することができる。ＭＯ音声呼では、ＵＥはＣＭサービス要求／セットアップを送信することができ、このことは、「ＵＴＲＡＮからのセル変更命令」を引き起こし得る。たとえば、ＭＴ  ＣＳ音声呼では、ＵＴＲＡＮから送信されるページングタイプ２メッセージおよび／またはＣＳサービス要求が、「ＵＴＲＡＮからのセル変更命令」を引き起こし得る。
【０２７５】
いくつかの実施形態では、フレキシブル帯域幅ＵＴＲＡＮは、ＧＥＲＡＮへの音声フォールバックのために、「ＵＴＲＡＮからのセル変更命令」を送信することができる。この場合、フレキシブル帯域幅ＵＴＲＡＮは、ＵＴＲＡＮと同一であり得るかのように振る舞い得る。いくつかの実施形態では、フレキシブル帯域幅ＵＴＲＡＮは、ＵＴＲＡＮへの音声フォールバックのために、「ＵＴＲＡＮへのセル変更命令」を送信する。この場合、フラクショナルＵＴＲＡＮは、ＵＴＲＡＮとは異なるかのように振る舞い得る。
【０２７６】
セル変更命令を利用するいくつかの実施形態は、１つまたは複数のＭＯの状況を伴う。図３２Ａは、様々な実施形態による、ＭＯの状況の呼のフロー３２００−ａの一例を示す。たとえば、コアネットワークは、フレキシブル帯域幅ＵＴＲＡＮがＣＳ音声サービスをサポートしないことを認識しないことがある。たとえば、フレキシブル帯域幅への対応能力のあるＵＥは、ＣＭサービス要求をＭＳＣに送信することができる。たとえば、ＭＳＣは、ＧＳＭへのハンドオーバーが実行されるべきであることを示すＲＡＢ割当て要求を、サービスハンドオーバーＩＥにおいて送信することができる。他の場合には、フレキシブル帯域幅ＵＴＲＡＮは、以前のＵＥ測定、またはフレキシブル帯域幅ＲＡＮにおける音声サポートについての情報に基づいて、ＧＳＭへのＨＯを決めることができる。フレキシブル帯域幅ＵＴＲＡＮは、ＲＡＢ割当て応答メッセージをＭＳＣに送信することができ、その直後に、ＭＳＣを通じて再配置要求メッセージをＧＥＲＡＮに送信して、ハンドオーバー準備手順を開始することができる。ＧＥＲＡＮがＵＥ再配置のためのリソースの確保に確認応答した後、フレキシブル帯域幅ＲＮＣは、「ＧＳＭ情報」とともに「ＵＴＲＡＮからのセル変更命令」コマンドをＵＥに送信することができる。ターゲットセルがＵＴＲＡＮ中にある場合、「ＵＴＲＡＮからのセル変更命令」メッセージが使用され、「ＵＭＴＳセル情報」がメッセージに追加され得る。コアネットワークは、フレキシブルＵＴＲＡＮに、ＰＳ呼が移行された可能性があることを知らせ得る。ＰＳ接続が移行され、ＵＥがターゲットセルにアクセスすると、ＵＥがＰＳ接続と同時にＣＳ接続を有するように、ＣＳ接続が確立され得る。その後、フレキシブル帯域幅ＵＴＲＡＮは、ＵＥに割り当てられた専用のリソース（たとえば、無線リソースおよび／またはＵＥコンテキスト情報）を解放することができる。
【０２７７】
セル変更命令を利用するいくつかの実施形態は、１つまたは複数のＭＴの状況を伴う。図３２Ｂは、様々な実施形態による、ＭＴの状況の呼のフロー３２００−ｂの一例を示す。ＭＴ音声呼では、たとえば、ＭＳＣは問合せをフレキシブル帯域幅ＲＮＣに送信することができる。フレキシブル帯域幅ＲＮＣは、ＵＥに問い合わせることができ、ＵＥは、ＣＭサービス要求を送信することができる。ＭＳＣは、情報に基づいて、フレキシブル帯域幅ＲＡＮにＲＡＢ割当て要求を送信することができる。フレキシブル帯域幅ＵＴＲＡＮは、ＲＡＢ割当て応答メッセージをＭＳＣに送信することができ、その直後に、再配置要求メッセージをＭＳＣに送信することができる。ＭＳＣは、フレキシブル帯域幅ＵＴＲＡＮからＧＥＲＡＮへのハンドオーバーを開始することができ、フレキシブル帯域幅ＲＮＣは、「ＧＳＭ情報」とともに、ＵＴＲＡＮからの／へのセル変更命令をＵＥに送信することができる。いくつかの場合には、「ＵＭＴＳ情報」が追加され得る。コアネットワークは、フレキシブル帯域幅ＵＴＲＡＮに、ＰＳ呼が移行された可能性があることを知らせ得る。フレキシブル帯域幅ＵＴＲＡＮは、ＵＥに割り当てられた専用のリソース（たとえば、無線リソースおよび／またはＵＥコンテキスト情報）を解放することができる。
【０２７８】
いくつかの実施形態は、サービスベースのハンドオーバーを利用する、フレキシブル帯域幅のシステムから非フレキシブル帯域幅のシステムおよび／または回線交換音声サポートシステムへの、移行またはフォールバックを実現する。たとえば、ＣＮは、フレキシブル帯域幅ＵＴＲＡＮのようなフレキシブル帯域幅ＲＡＮがネイティブに音声をサポートできないこと（ネットワーク選好）を認識し得る。ＭＳＣ／ＣＮは、音声サービスのために、ＧＳＭ（サービスベースのハンドオーバー）または他のネットワークへのＳＢＨＯを行うように構成され得る。ＭＴ音声呼では、ＭＳＣは問合せをフレキシブル帯域幅ＲＮＣに送信することができる。フレキシブル帯域幅ＵＭＴＳ  ＲＮＣはＵＥに問い合わせることができ、ＲＲＣ接続は必要に応じて確立され得る。直接転送メッセージが、ＵＥとＭＳＣとの間で交換された後、ＭＳＣは、ＲＡＢ割当て要求（ＧＳＭへのハンドオーバーが実行され得ることをサービスハンドオーバーＩＥにおいて示す）を送信することができる。フレキシブル帯域幅ＵＴＲＡＮは、ＲＡＢ割当て応答メッセージをＭＳＣに送信することができ、その直後に、再配置要求メッセージをＭＳＣに送信することができる。ＭＳＣは、フレキシブル帯域幅ＵＴＲＡＮからＧＥＲＡＮへのハンドオーバーを開始することができ、フレキシブル帯域幅ＲＮＣは、ＵＴＲＡＮからのハンドオーバーコマンドをＵＥに送信する。上で論じられたように、ＳＢＨＯ手順では、音声フォールバックの判断は、ＭＳＣのようなコアネットワークエンティティによって行われてよく、それぞれのＲＡＮは、サービスベースのハンドオーバー情報要素（ＩＥ）を伴うＲＡＢ割当てメッセージを使用することによって通知される。たとえば、コアネットワーク（ＣＮ）は、フレキシブルＵＴＲＡＮのようなフレキシブル帯域幅ＲＡＮがＣＳ音声をサポートできないこと（ネットワーク選好）を認識し得る。ＭＳＣ／ＣＮは、ＧＳＭ、通常帯域幅ＵＴＲＡＮ、または音声サービスのための他のネットワークへのサービスベースのハンドオーバー（ＳＢＨＯ）を行うように構成され得る。ＭＴ音声呼では、ＭＳＣは問合せをフレキシブルＲＮＣに送信することができる。フレキシブル帯域幅ＵＭＴＳ  ＲＮＣはユーザ機器に問い合わせることができ、ＵＭＴＳ  ＲＲＣ接続は必要に応じて確立され得る。直接転送メッセージが、ユーザ機器とＭＳＣとの間で交換された後、ＭＳＣは、ＲＡＢ割当て要求（たとえば、ＧＳＭへのハンドオーバーが実行され得ることをサービスベースのハンドオーバーＩＥを使用して示す）を送信することができる。フレキシブル帯域幅ＵＴＲＡＮは、ハンドオーバーを受け入れるＲＡＢ割当て応答メッセージをＭＳＣに送信することができる。フレキシブル帯域幅ＵＴＲＡＮは直後に、ＭＳＣを通じて再配置要求メッセージをＧＥＲＡＮに送信して、ＵＥのためのリソースを確保することができる。ＧＥＲＡＮのハンドオーバーの準備ができているという確認応答をフレキシブルＲＡＮが受信すると、フレキシブル帯域幅ＲＮＣ（フレキシブルＲＡＮ中の）は、「ＵＴＲＡＮからのハンドオーバー」コマンドを送信することによってＵＥに通知することができる。
【０２７９】
いくつかの場合には、フレキシブル帯域幅ＵＴＲＡＮからＵＴＲＡＮへの等価なＳＢＨＯがないことがある。図３３は、（ＭＴ  ＣＳのための）フレキシブル帯域幅ＵＴＲＡＮからＧＥＲＡＮへのＳＢＨＯのための呼のフロー３３００の一例を示す。同様の呼のフローがＧＳＭへのＭＯ  ＣＳ  ＳＢＨＯのために利用され得、通常は既存のネットワークのためのＣＳ音声呼に対して機能し得る。ＳＭＳおよび／またはＣＳデータが、フレキシブル帯域幅ＵＴＲＡＮ上でサポートされ得る。ＳＢＨＯは通常、ＰＳ接続がない場合に行われ得る。進行中のＰＳ接続がある場合、通常、マルチＲＡＢの呼セットアップが、ＵＭＴＳ上で行われ得る。フレキシブル帯域幅ＵＴＲＡＮの挙動は変化し得る。
【０２８０】
いくつかの実施形態は、ＲＡＮリダイレクトを利用する、フレキシブル帯域幅のシステムから非フレキシブル帯域幅のシステムおよび／または回線交換音声サポートシステムへの、移行またはフォールバックを実現する。たとえば、ＵＥは、フレキシブル帯域幅ＵＴＲＡＮのようなフレキシブル帯域幅ＲＡＮにキャンプオンしていてよい。フレキシブル帯域幅ＵＴＲＡＮは、フレキシブル帯域幅ＵＭＴＳが音声をサポートできないことをコアネットワーク（ＣＮ）が認識することなく、移行または音声フォールバックを処理することができる。ＣＮは、ＣＳ呼とＰＳ呼の両方のためにフレキシブル帯域幅ＵＴＲＡＮ  ＬＡおよびＲＡにＵＥを登録することによって、フレキシブル帯域幅ＵＴＲＡＮを通じたＣＳ＋ＰＳ接続をサポートすることができる。ＭＯ／ＭＴ  ＣＳ音声呼がある場合、フレキシブル帯域幅ＵＴＲＡＮは、カバレッジ（たとえば、ＵＥがフレキシブル帯域幅ＵＴＲＡＮのカバレッジエリアの端部に到達した場合のように）、および／または容量（たとえば、フレキシブル帯域幅ＵＴＲＡＮのアドミッションコントロールが作動する場合のように）が理由で、ＵＥを他のＲＡＮにリダイレクトすることができる。ＣＮにおいて、たとえば、ＣＳ呼は、ＧＳＭまたはＵＭＴＳをサポートするＭＳＣに移行され得る。同じＭＳＣがフレキシブル帯域幅ＵＴＲＡＮとＧＳＭまたはＵＭＴＳネットワークとをサービスする場合、実装はより簡単であり得る。それは、ＣＳ音声をサポートできないそのフレキシブル帯域幅ＵＴＲＡＮにおいて抽象化され得る。
【０２８１】
上で論じられたように、このＲＡＮリダイレクト手順では、ＭＴ／ＭＯ音声呼に応答するための別のネットワークへのフォールバックの決断が、ＲＡＮによって行われ、ＣＮおよびＵＥに伝えられ得る。この手順は、ＲＡＮが音声サービスをサポートするかどうかをＣＮが認識しない状況において使用され得る。たとえば、ユーザ機器は、フレキシブル帯域幅ＵＴＲＡＮのようなフレキシブル帯域幅ＲＡＮにキャンプオンしていてよい。フレキシブル帯域幅ＵＴＲＡＮは、フレキシブル帯域幅ＵＴＲＡＮが音声をサポートできないことをコアネットワーク（ＣＮ）が認識することなく、移行または音声フォールバックを処理することができる。ＣＮは、ＣＳ呼とＰＳ呼の両方のためにフレキシブル帯域幅ＵＴＲＡＮ  ＬＡおよびＲＡにユーザ機器を登録することによって、フレキシブル帯域幅ＵＴＲＡＮを通じたＣＳおよびＰＳ接続をサポートすることができる。ＭＯ／ＭＴ  ＣＳ音声呼がある場合、フレキシブル帯域幅ＵＴＲＡＮは、カバレッジ（たとえば、ユーザ機器がフレキシブルＵＴＲＡＮのカバレッジエリアの端部に到達した場合のように）、および／または容量（たとえば、フレキシブル帯域幅ＵＴＲＡＮのアドミッションコントロールがシステムに負荷がかかっていることを示す場合のように）などの理由で、ユーザ機器を他のＲＡＮにリダイレクトすることができる。ＣＮが通知されると、ＣＳ呼は、たとえば、ＭＣＳを通じてＧＥＲＡＮまたはＵＴＲＡＮに移され得る。同じＭＳＣがフレキシブル帯域幅ＵＴＲＡＮとＧＥＲＡＮ／ＵＴＲＡＮとをサービスする場合、実装はより簡単であり得る。ＲＡＮリダイレクトを実施するためのいくつかの特色があり得る。一例では、フレキシブル帯域幅ＵＭＴＳ  ＲＮＣは、ＭＳＣからのＲＡＢ割当て要求（音声のための、ＳＭＳのためとは限らない）を常に拒絶することができ、ＧＥＲＡＮ／ＵＴＲＡＮ上のセルとの再配置準備手順（ＭＳＣを通じた）を開始することができる。フレキシブル帯域幅ＵＴＲＡＮは、ＧＥＲＡＮ／ＵＴＲＡＮ中のセル上での何らかのＵＥ測定を命令し、音声フォールバックのためのターゲットセルを識別することができる。ＭＳＣへのＲＡＢ応答メッセージでの拒絶は、「ＲＡＢがリストをセットアップまたは修正するのに失敗した」または「再配置要求」などのメッセージを示し得る。「ＲＡＢがリストをセットアップまたは修正するのに失敗した」メッセージが含まれる場合、あり得る理由は、「再配置が引き起こされた」、「無線の理由で再配置が望ましい」、「指示されたリトライ」、「サービングセルにおける負荷の減少」、「要求されたトラフィッククラスが利用不可能」などを含み得る。「再配置要求」メッセージが示される場合にあり得る理由は、「緊急の再配置」、「リソース最適化再配置」、「無線の理由で再配置が望ましい」、「指示されたリトライ」、「サービングセルにおける負荷の減少」などであり得る。再配置手順が完了し、リソースがＵＥのターゲットセル上で確保されると、フレキシブル帯域幅ユーザ機器は、ＧＥＲＡＮ／ＵＴＲＡＮに合わせ、ＣＳ接続をセットアップするためにハンドオーバーを継続することができる。指示されたリトライ機構および負荷ベースのハンドオーバー（ＬＢＨＯ）は、フレキシブル帯域幅ＵＴＲＡＮからＧＥＲＡＮへの移動性のために機能し得るが、周波数間の負荷ベースのＨＯはフレキシブル帯域幅ＵＴＲＡＮからＵＴＲＡＮへの移動性のために機能する。別の例示的なフレキシブル帯域幅ＵＭＴＳユーザ機器は、ＭＯ／ＭＴ  ＣＳ音声呼のためのフォールバックを開始するために、確立の理由とドメインタイプ情報とを伴う、ＲＲＣ接続要求をフレキシブル帯域幅ＵＴＲＡＮに送信することができる。この場合、フレキシブル帯域幅ＵＴＲＡＮは、会話の呼を発信しているかどうか、会話の呼を終了しているかどうかを知り得るので、ＲＲＣ接続をセットアップする間、ＣＳ音声呼のみに対して、リダイレクト情報を伴うＲＲＣ接続拒絶を送信することができる。ＲＲＣ接続拒絶における拒絶理由は、「混雑」または「未指定」であり得る。この例は、たとえば、進行中のＰＳ接続が存在しない可能性があるときに使用され得る。
【０２８２】
いくつかの実施形態では、ＭＳＣは、ＣＳ音声呼のためのＲＡＢ割当て要求を送信することができる。ＲＮＣは、ＭＳＣからのＲＡＢ割当て（たとえば、音声のための、必ずしもＳＭＳのためではない）を拒絶することができ、再配置準備手順を開始することができる。「ＲＡＢがリストをセットアップまたは修正するのに失敗した」の理由は、再配置が引き起こされた、無線の理由で再配置が望ましい、指示されたリトライ、サービングセルにおける負荷の減少、要求されたトラフィッククラスが利用不可能などであり得る。再配置が必要の理由は、「緊急の再配置」、「リソース最適化再配置」、「無線の理由で再配置が望ましい」、「指示されたリトライ」、「サービングセルにおける負荷の減少」などであり得る。フレキシブル帯域幅への対応能力のあるＵＥは、たとえば、ＧＳＭまたはＵＭＴＳの周波数に合わせることができ、問合せに応答することができる。
【０２８３】
いくつかの実施形態は、上記のＲＡＮリダイレクト手法のための様々な選択肢を提供することができる。たとえば、いくつかの実施形態は、指示されたリトライ（たとえば、フレキシブル帯域幅ＵＴＲＡＮからＧＳＭへの）を含む。いくつかの実施形態は、限定はされないが、負荷ベースのハンドオーバー（たとえば、フレキシブル帯域幅ＵＴＲＡＮからＧＥＲＡＮへの）、および／または周波数間の負荷ベースのＨＯ（たとえば、フレキシブル帯域幅ＵＴＲＡＮからＵＭＴＳへの）を含む、負荷ベースの選択肢を含む。これらの実施形態は、通常は既存のネットワークのためのＣＳ音声呼に対して機能し得る。ＳＭＳおよびＣＳデータが、フレキシブル帯域幅ＵＴＲＡＮ上でサポートされ得る。これらの実施形態は、ＰＳ接続がない場合に行われ得るが、一部は、ＰＳＣ接続がある場合に行われ得る。進行中のＰＳ接続がある場合、マルチＲＡＢの呼セットアップがＵＭＴＳ上で行われ得る。フレキシブル帯域幅ＵＴＲＡＮの挙動は変化し得る。図３４は、様々な実施形態による、ＭＴ  ＣＳを確立するための、指示されたリトライを利用する、フレキシブル帯域幅ＵＴＲＡＮからＧＥＲＡＮへの呼のフロー３４００の一例を示す。図３５Ａは、様々な実施形態による、ＭＴ  ＣＳを確立するための、負荷ベースのハンドオーバーを利用する、フレキシブル帯域幅ＵＴＲＡＮからＧＥＲＡＮへの呼のフロー３５００−ａの一例を示す。図３５Ｂは、様々な実施形態による、呼のフロー３５００−ｂの一例を示す。呼のフロー１８００では、ＲＮＣは、「サービングセルにおける負荷の減少」という理由値など（たとえば、「緊急の再配置」、「リソース最適化再配置」、「無線の理由で再配置が望ましい」、「指示されたリトライ」、「サービングセルにおける負荷の減少」、「ネットワーク共有により制限されたアクセス」、「Ｉｕ  ＣＳ  ＵＰ再配置なし」）を伴う、再配置要求を送信することができる。図３６Ａは、様々な実施形態による、呼のフロー３６００−ａの一例を示す。図３６Ｂは、様々な実施形態による、呼のフロー３６００−ｂの一例を示す。図３６Ｃは、様々な実施形態による、呼のフロー３６００−ｃの一例を示す。いくつかの実施形態では、ＲＮＣは、「サービングセルにおける負荷の減少」などの理由値を伴う、再配置要求を送信する。いくつかの実施形態は、２つのＵＭＴＳ周波数の間の周波数間ハードＨＯ、または、ＵＴＲＡＮへのＲＡＴ間ＨＯとして扱われ得る。
【０２８４】
いくつかの実施形態は、他のＲＡＮリダイレクト手法を利用する。たとえば、ＵＥは、フレキシブル帯域幅ＵＴＲＡＮのようなフレキシブル帯域幅ＲＡＮにＲＲＣ接続要求を送信することができる。ＲＲＣ接続要求は、確立理由とドメインタイプ情報とを有し得る。フレキシブル帯域幅ＵＴＲＡＮは、それが会話呼を発信しているか、会話呼を終了しているかを知り得る。フレキシブル帯域幅ＵＴＲＡＮは、ＣＳ音声呼のみのために、リダイレクト情報とともにＲＲＣ接続拒絶を送信することができる。ＲＲＣ接続拒絶における拒絶理由は、混雑または未指定であり得る。いくつかの実施形態は、進行中のＰＳ接続がない場合に使用され得るが、いくつかの場合には進行中のＰＳ接続があり得る。ＲＡＮリダイレクトを含むいくつかの実施形態は、ＲＡＴ間情報を含み得るリダイレクト情報を含み得る。これにより、リダイレクトされるセルの選択のためのターゲットシステム（すなわち、ＧＳＭ）が決まり得る。Ｒｅｌ６以降では、セル固有情報がターゲットシステムのために提供され得る。いくつかの実施形態は、周波数情報を含み得るリダイレクト情報を含み得る。これらの実施形態のいくつかは、周波数間リダイレクトとして扱われ得る。図３７Ａは、様々な実施形態による、ＲＡＮリダイレクトの手法（ＭＯ）のための呼のフロー３７００−ａの一例を示す。図３７Ｂは、様々な実施形態による、ＲＡＮリダイレクトの手法（ＭＴ）のための呼のフロー３７００−ｂの一例を示す。
【０２８５】
いくつかの実施形態は、ＵＥによるチューンアウェイを利用する、フレキシブル帯域幅のシステムから非フレキシブル帯域幅のシステムおよび／または回線交換音声サポートシステムへの、移行またはフォールバックを実現する。たとえば、ＵＥは、フレキシブル帯域幅ＵＴＲＡＮのようなフレキシブル帯域幅ＲＡＮにおいてアイドル状態にあり、または接続されていてよく、たとえば、ＧＳＭまたはＵＭＴＳにおいて問合せを監視するために定期的にチューンアウェイし得る。いくつかの場合には、ネットワークは、ＧＳＭまたはＵＭＴＳを通じてＣＳ問合せを送信することができる。チューンアウェイは、フレキシブル帯域幅ＵＴＲＡＮの支援を伴ってよく、この場合、フレキシブル帯域幅ＵＴＲＡＮは、ＧＳＭまたはＵＭＴＳにチューンアウェイし、ＧＳＭまたはＵＭＴＳにおける問合せを監視するように、ＵＥの圧縮モードを構成することができる。チューンアウェイはまた、１ｘ／ＤＯモデルのような、フレキシブル帯域幅ＵＴＲＡＮからの支援を伴わなくてもよい。フレキシブル帯域幅のシステムに対する接続モードにおけるヒットは、フレキシブル帯域幅のシステムでは時間が延ばされ得るので、１ｘ／ＤＯモデルよりも多いことがある。いくつかの場合には、フレキシブル帯域幅への対応能力のあるＵＥの実装形態は、ＲＡＮリダイレクトまたはハンドオーバーを伴わずに、音声フォールバックを処理することができる。
【０２８６】
さらに、上で論じられたように、これらのチューンアウェイ手順では、ユーザ機器は、音声サービスをサポートしないフレキシブル帯域幅ＵＴＲＡＮのようなフレキシブル帯域幅ＲＡＮ上で、アイドル状態または接続モードにあってよく、他のＲＡＴ、たとえばＧＳＭまたはＵＭＴＳにおける問合せを監視するために、定期的にチューンアウェイすることができる。いくつかの場合には、ネットワークは、ＧＳＭまたはＵＭＴＳを通じてＣＳ問合せを送信することができる。チューンアウェイは、フレキシブル帯域幅ＵＴＲＡＮの支援を伴ってよく、この場合、フレキシブル帯域幅ＵＴＲＡＮは、ＧＳＭまたはＵＭＴＳにチューンアウェイし、ＧＳＭまたはＵＭＴＳにおける問合せを監視するように、ユーザ機器の圧縮モードを構成することができる。チューンアウェイはまた、１ｘ／ＤＯネットワークにおけるいくつかの実装形態と同様に、フレキシブル帯域幅ＵＴＲＡＮからの支援を伴わなくてもよい。フレキシブル帯域幅ＵＴＲＡＮからの協調の欠如は、ＵＥが接続モードにある場合、フレキシブル帯域幅ＵＴＲＡＮの接続の性能低下につながり得る。このことは、フレキシブルシステム上の接続モードにあるＵＥにとって不利益となり、この不利益は、フレキシブルシステムの時間が延びる性質により、１ｘ／ＤＯモデルの場合よりも大きいと予想され得る。
【０２８７】
図３８は、様々な実施形態による、ワイヤレス通信システムのための移動性を利用するために構成され得る通信システム３８００のブロック図を示す。このシステム３８００は、図１に示されるシステム１００、図２のシステム２００、図３のシステム３００、および／または図４２のシステム４２００の態様の一例であり得る。コアネットワーク１３０−ｇは、メモリ３８７０とプロセッサモジュール３８６５とを含んでよく、その各々は、（たとえば、１つまたは複数のバスを通じて）互いに直接または間接的に通信し得る。いくつかの場合には、コアネットワーク１３０−ｇは、ネットワーク通信モジュール３８７５の他の態様と通信し得る。システム３８００は、図３０〜図３７および／または関連する説明において示されるような呼のフローおよび／またはシステムの様々な態様を実装するように構成され得る。
【０２８８】
コアネットワーク１３０−ｇはまた、無線アクセスネットワーク１２１−ｉ／１２１−ｊ  １０５と通信することができる。いくつかの場合には、無線アクセスネットワーク１２１は同じ位置にあってよく、または別々の位置にあってよい。いくつかの場合には、無線アクセスネットワーク１２１は、フレキシブル対応無線アクセスネットワークおよび／または通常の無線アクセスネットワークを含み得る。無線アクセスネットワーク１２１は、フレキシブル対応であり得るユーザ機器１１５−ｍとワイヤレス通信していてよい。いくつかの場合には、コアネットワーク１３０−ｇは、無線アクセスネットワーク通信モジュール３８２０を利用して、無線アクセスネットワーク１２１と通信することができる。無線アクセスネットワーク１２１は、他の図で示されるように、基地局１０５および／またはコントローラ１２０の態様を含み得る。
【０２８９】
メモリ３８７０は、ランダムアクセスメモリ（ＲＡＭ）と読取り専用メモリ（ＲＯＭ）とを含み得る。メモリ３８７０はまた、実行されるとプロセッサモジュール３８６５に本明細書で説明される様々な機能（たとえば、呼処理、データベース管理、メッセージルーティングなど）を実行させるように構成された命令を含む、コンピュータ可読、コンピュータ実行可能ソフトウェアコード３８７１を記憶し得る。代替的に、ソフトウェア３８７１は、プロセッサモジュール３８６５によって直接的に実行可能でないことがあるが、たとえば、コンパイルされ実行されると、コンピュータに本明細書で説明される機能を実行させるように構成され得る。
【０２９０】
プロセッサモジュール３８６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール３８６５は、マイクロフォンを介してオーディオを受信し、そのオーディオを、受信されたオーディオを表す（たとえば、長さ２０ｍｓの）パケットに変換し、そのオーディオパケットを与え、ユーザが話しているかどうかの指示を与えるように構成された音声エンコーダ（図示されず）を含み得る。プロセッサモジュール３８６５はまた、音声エンコーダとは逆の機能を実行し得る、音声デコーダを含み得る。
【０２９１】
図３８のアーキテクチャによれば、コアネットワーク１３０−ｇはＲＡＮ通信モジュール３８２０をさらに含み得る。ＲＡＮ通信管理モジュール３８２０は、ユーザ機器１１５−ｍおよび／またはＲＡＮ  １２１−ｉ／１２１−ｊとの通信のような、通信の他の態様を管理することができる。例として、ＲＡＮ通信モジュール３８２０は、バスを介してコアネットワーク１３０−ｇの他のコンポーネントの一部またはすべてと通信しているコアネットワーク１３０−ｇのコンポーネントであり得る。代替的に、ＲＡＮ通信モジュール３８２０の機能は、コンピュータプログラム製品として、および／またはプロセッサモジュール３８６５の１つまたは複数のコントローラ要素として実装され得る。
【０２９２】
コアネットワーク１３０−ｇのコンポーネントは、図２９のデバイス２９００および／または図２２のデバイス２２００に関して上で論じられた態様を実装するように構成され得、簡潔のためにここで繰り返されないことがある。ネットワーク識別モジュール２９１０−ａは、図２９のネットワーク識別モジュール２９００の一例であり得る。フォールバックモジュール２９１５−ａは、図２９のフォールバックモジュール２９１５の一例であり得る。フォールバックモジュール２９１５−ａは、回線交換フォールバック様モジュール３８２６、セル変更命令モジュール３８２７、サービスベースのハンドオーバーモジュール３８２８、および／またはチューンアウェイモジュール３８２９のような、様々なモジュールを含み得る。
【０２９３】
コアネットワーク１３０−ｇはまた、ある無線アクセスネットワーク１２１から別の無線アクセスネットワークへのユーザ機器１１５−ｍのリダイレクト手順を実行するために利用され得る、リダイレクトモジュール３８２５を含み得る。たとえば、リダイレクトモジュール３８２５は、ＲＡＮ  １２１−ｉからＲＡＮ  １２１−ｊのような無線アクセスネットワーク１２１の１つへの、ユーザ機器１１５−ｍのリダイレクト手順を実行することができる。コアネットワーク１３０−ｇはまた、様々なＲＡＮ  １２１に関してユーザ機器１１５−ｍを登録するための登録モジュール３８２０を含み得る。
【０２９４】
図３９は、様々な実施形態による、ワイヤレス通信システムのための移動性を利用するために構成され得る通信システム３９００のブロック図を示す。このシステム３９００は、図１に示されるシステム１００、図２のシステム２００、図３のシステム３００、および／または図４２のシステム４２００の態様の一例であり得る。無線アクセスネットワーク１２１−ｆは、無線アクセスネットワークの一部を備え得る、複合システムおよび／または別個のシステムを表すために、基地局１０５および／またはコントローラ１２０の態様を含み得る。無線アクセスネットワーク１２１−ｆは、アンテナ３９４５と、送受信機モジュール３９５０と、メモリ３９７０と、プロセッサモジュール３９６５とを含んでよく、その各々は、（たとえば、１つまたは複数のバスを通じて）互いに直接または間接的に通信し得る。送受信機モジュール３９５０は、アンテナ３９４５を介して、マルチモードユーザ機器であり得るユーザ機器１１５−ｎと双方向に通信するように構成され得る。送受信機モジュール３９５０（および／または無線アクセスネットワーク１２１−ｆの他のコンポーネント）はまた、１つまたは複数のネットワークと双方向に通信するように構成され得る。いくつかの場合には、無線アクセスネットワーク１２１−ｆは、ネットワーク通信モジュール３９７５を通じてコアネットワーク１３０−ｈと通信することができる。無線アクセスネットワーク１２１−ｆは、ｅＮｏｄｅＢ基地局、Ｈｏｍｅ  ｅＮｏｄｅＢ基地局、ＮｏｄｅＢ基地局、および／またはＨｏｍｅ  ＮｏｄｅＢ基地局の一例であり得る。システム３９００は、図３０〜図３７および／または関連する説明において示されるような呼のフローおよび／またはシステムの様々な態様を実装するように構成され得る。
【０２９５】
無線アクセスネットワーク１２１−ｆはまた、基地局１０５−ｍおよび基地局１０５−ｎのような基地局１０５と通信することができる。基地局１０５の各々は、様々な無線アクセス技術のような様々なワイヤレス通信技術を使用して、ユーザ機器１１５−ｎと通信することができる。いくつかの場合には、無線アクセスネットワーク１２１−ｆは、基地局通信モジュール３９２０を利用して１０５−ｍおよび／または１０５−ｎのような他の基地局と通信し得る。いくつかの実施形態では、基地局通信モジュール３９２０は、基地局１０５のいくつかの間の通信を行うために、ＬＴＥワイヤレス通信技術内のＸ２インターフェースを与え得る。いくつかの実施形態では、無線アクセスネットワーク１２１−ｆは、コアネットワーク１３０−ｈを通じて他の基地局と通信することができる。
【０２９６】
メモリ３９７０は、ランダムアクセスメモリ（ＲＡＭ）と読取り専用メモリ（ＲＯＭ）とを含み得る。メモリ３９７０はまた、実行されるとプロセッサモジュール３９６５に本明細書で説明される様々な機能（たとえば、呼処理、データベース管理、メッセージルーティングなど）を実行させるように構成された命令を含む、コンピュータ可読、コンピュータ実行可能ソフトウェアコード３９７１を記憶し得る。代替的に、ソフトウェア３９７１は、プロセッサモジュール３９６５によって直接的に実行可能でないことがあるが、たとえば、コンパイルされ実行されると、コンピュータに本明細書で説明される機能を実行させるように構成され得る。
【０２９７】
プロセッサモジュール３９６５は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール３９６５は、マイクロフォンを介してオーディオを受信し、そのオーディオを、受信されたオーディオを表す（たとえば、長さ２０ｍｓの）パケットに変換し、そのオーディオパケットを与え、ユーザが話しているかどうかの指示を与えるように構成された音声エンコーダ（図示されず）を含み得る。プロセッサモジュール３９６５はまた、音声エンコーダとは逆の機能を実行し得る、音声デコーダを含み得る。
【０２９８】
送受信機モジュール３９５０は、パケットを変調し、変調されたパケットを送信のためにアンテナ３９４５に供給し、アンテナ３９４５から受信されたパケットを復調するように構成されたモデムを含み得る。無線アクセスネットワーク１２１−ｆのいくつかの例は単一のアンテナ３９４５を含み得るが、無線アクセスネットワーク１２１−ｆは、好ましくは、キャリアアグリゲーションをサポートし得る複数のリンクのための複数のアンテナ３９４５を含む。たとえば、ユーザ機器１１５−ｎとのマクロ通信をサポートするために１つまたは複数のリンクが使用され得る。
【０２９９】
図３９のアーキテクチャによれば、無線アクセスネットワーク１２１−ｆは基地局通信モジュール３９２０をさらに含み得る。基地局通信管理モジュール３９２０は、他の基地局１０５との通信を管理し得る。例として、基地局通信管理モジュール３９２０は、バスを介して無線アクセスネットワーク１２１−ｆの他のコンポーネントの一部またはすべてと通信している無線アクセスネットワーク１２１−ｆのコンポーネントであり得る。代替的に、通信管理モジュール３９３０の機能は、コンピュータプログラム製品として、および／またはプロセッサモジュール３９６５の１つまたは複数のコントローラ要素として実装され得る。
【０３００】
無線アクセスネットワーク１２１−ｆのコンポーネントは、図２９のデバイス２１９００に関して上で論じられた態様を実装するように構成され得る。ネットワーク識別モジュール２９１０−ｂは、図２９のネットワーク識別モジュール２９００の一例であり得る。フォールバックモジュール２９１５−ｂは、図２９のフォールバックモジュール２９１５の一例であり得る。フォールバックモジュール２９１５−ｂは、回線交換フォールバック様モジュール３９２６、セル変更命令モジュール３９２７、サービスベースのハンドオーバーモジュール３９２８、および／またはチューンアウェイモジュール３９２９のような、様々なモジュールを含み得る。
【０３０１】
無線アクセスネットワーク１２１−ｆはまた、基地局１０５から別の基地局へのユーザ機器１１５−ｎのリダイレクト手順を実行するために利用され得る、リダイレクトモジュール３９３０を含み得る。たとえば、リダイレクトモジュール３９３０は、基地局１０５−ｍから別の基地局１０５−ｎへのユーザ機器１１５−ｎのリダイレクト手順を実行することができる。いくつかの実施形態では、ハンドオーバーモジュール３９２５が、ある基地局１０５から別の基地局へのユーザ機器１１５−ｎのハンドオーバー手順を実行するために利用され得る。たとえば、ハンドオーバーモジュール３９２５は、無線アクセスネットワーク１２１−ｆから別のネットワークへのユーザ機器１１５−ｎのハンドオーバー手順を実行することができ、通常の波形がユーザ機器１１５−ｎと基地局の１つとの間で利用され、フレキシブル帯域幅波形がユーザ機器と別の基地局との間で利用される。スケーリングモジュール３９２４は、チップレートをスケーリングおよび／または変更してフレキシブル帯域幅波形を生成するために利用され得る。
【０３０２】
いくつかの実施形態では、無線アクセスネットワーク１２１−ｆの他の可能なコンポーネントとともに、アンテナ３９４５と組み合わされた送受信機モジュール３９５０が、フレキシブル帯域幅波形および／またはスケーリング係数に関する情報を、無線アクセスネットワーク１２１−ｆからユーザ機器１１５−ｎに、他の基地局１０５−ｍ／１０５−ｎに、またはコアネットワーク１３０−ｈに送信することができる。いくつかの実施形態では、無線アクセスネットワーク１２１−ｆの他の可能なコンポーネントとともに、アンテナ３９４５と組み合わされた送受信機モジュール３９５０が、フレキシブル帯域幅波形および／またはスケーリング係数のような情報を、ユーザ機器１１５−ｆに、他の基地局１０５−ｍ／１０５−ｎに、またはコアネットワーク１３０−ｈに送信することができるので、これらのデバイスまたはシステムはフレキシブル帯域幅波形を利用することができる。
【０３０３】
図４０は、様々な実施形態による、移動性のために構成されるユーザ機器１１５−ｏのブロック図４０００である。ユーザ機器１１５−ｏは、パーソナルコンピュータ（たとえば、ラップトップコンピュータ、ネットブックコンピュータ、タブレットコンピュータなど）、携帯電話、ＰＤＡ、デジタルビデオレコーダ（ＤＶＲ）、インターネット家電製品、ゲームコンソール、電子リーダーなどのような、様々な構成のいずれかを有し得る。ユーザ機器１１５−ｏは、モバイル動作を支援するために、小型バッテリーなどの内部電源（図示されず）を有し得る。いくつかの実施形態では、ユーザ機器１１５−ｏは、図１、図２、図３、図３８、図３９、および／または図４２のユーザ機器１１５、および／または図２９のデバイス２９００であり得る。ユーザ機器１１５−ｏは、マルチモードユーザ機器であり得る。いくつかの場合には、ユーザ機器１１５−ｏは、ワイヤレス通信デバイスと呼ばれ得る。ユーザ機器１１５−ｏは、図３０〜図３７および／または関連する説明において示されるような呼のフローおよび／またはシステムの様々な態様を実装するように構成され得る。
【０３０４】
ユーザ機器１１５−ｏは、アンテナ４０４０と、送受信機モジュール４０５０と、メモリ４０８０と、プロセッサモジュール４０７０とを含んでよく、その各々は、（たとえば、１つまたは複数のバスを介して）互いに直接または間接的に通信し得る。送受信機モジュール４０５０は、上で説明されたように、アンテナ４０４０ならびに／あるいは１つまたは複数の有線リンクもしくはワイヤレスリンクを介して、１つまたは複数のネットワークと双方向に通信するように構成される。たとえば、送受信機モジュール４０５０は、図１、図２、図３、および／または図４２の基地局１０５、および／または、図３８および／または図３９の無線アクセスネットワーク１２１と双方向に通信するように構成され得る。送受信機モジュール４０５０は、パケットを変調し、変調されたパケットを送信のためにアンテナ４０４０に供給し、アンテナ４０４０から受信されたパケットを復調するように構成されたモデムを含み得る。ユーザ機器１１５−ｏは単一のアンテナを含み得るが、ユーザ機器１１５−ｏは通常、複数のリンクのための複数のアンテナ４０４０を含む。
【０３０５】
メモリ４０８０は、ランダムアクセスメモリ（ＲＡＭ）と読取り専用メモリ（ＲＯＭ）とを含み得る。メモリ４０８０はまた、実行されるとプロセッサモジュール４０７０に本明細書で説明される様々な機能（たとえば、呼処理、データベース管理、メッセージルーティングなど）を実行させるように構成された命令を含む、コンピュータ可読、コンピュータ実行可能ソフトウェアコード４０８５を記憶し得る。代替的に、ソフトウェア４０８５は、プロセッサモジュール４０７０によって直接的に実行可能でないことがあるが、（たとえば、コンパイルされ実行されると）コンピュータに本明細書で説明される機能を実行させるように構成され得る。
【０３０６】
プロセッサモジュール４０７０は、インテリジェントハードウェアデバイス、たとえば、Ｉｎｔｅｌ（登録商標）ＣｏｒｐｏｒａｔｉｏｎまたはＡＭＤ（登録商標）製のものなどの中央処理ユニット（ＣＰＵ）、マイクロコントローラ、特定用途向け集積回路（ＡＳＩＣ）などを含み得る。プロセッサモジュール４０７０は、マイクロフォンを介してオーディオを受信し、そのオーディオを、受信されたオーディオを表す（たとえば、長さ２０ｍｓの）パケットに変換し、そのオーディオパケットを与え、ユーザが話しているかどうかの指示を与えるように構成された音声エンコーダ（図示されず）を含み得る。プロセッサモジュール４０７０はまた、音声エンコーダとは逆の機能を実行し得る、音声デコーダを含み得る。
【０３０７】
図４０のアーキテクチャによれば、ユーザ機器１１５−ｏは通信管理モジュール４０６０をさらに含み得る。通信管理モジュール４０６０は、他の基地局との通信を管理し得る。例として、通信管理モジュール４０６０は、バスを介してユーザ機器１１５−ｏの他のコンポーネントの一部またはすべてと通信しているユーザ機器１１５−ｏのコンポーネントであり得る。代替的に、通信管理モジュール４０６０の機能は、送受信機モジュール４０５０のコンポーネントとして、コンピュータプログラム製品として、および／またはプロセッサモジュール４０７０の１つまたは複数のコントローラ要素として実装され得る。
【０３０８】
ユーザ機器１１５−ｏのコンポーネントは、図２９のデバイス２９００に関して上で論じられた態様を実装するように構成され得、簡潔のためにここで繰り返されないことがある。フォールバックモジュール２９１５−ｃは、図２９のフォールバックモジュール２９１５であり得る。ユーザ機器１１５−ｏはまた、チューンアウェイモジュール４０２０を含み得る。
【０３０９】
ユーザ機器１１５−ｏはまた、スペクトル識別モジュール４０１５を含み得る。スペクトル識別モジュール４０１５は、フレキシブル帯域幅波形のために利用可能なスペクトルを識別するために利用され得る。いくつかの実施形態では、ハンドオーバーモジュール４０２５は、ある基地局から別の基地局へのユーザ機器１１５−ｏのハンドオーバー手順を実行するために利用され得る。たとえば、ハンドオーバーモジュール４０２５は、ある基地局から別の基地局へのユーザ機器１１５−ｏのハンドオーバー手順を実行することができ、通常の波形がユーザ機器１１５−ｏと基地局の１つとの間で利用され、フレキシブル帯域幅波形がユーザ機器と別の基地局との間で利用される。スケーリングモジュール４０２７は、チップレートをスケーリングおよび／または変更してフレキシブル帯域幅波形を生成するために利用され得る。
【０３１０】
いくつかの実施形態では、ユーザ機器１１５−ｏの他の可能なコンポーネントとともに、アンテナ４０４０と組み合わされた送受信機モジュール４０５０は、フレキシブル帯域幅波形および／またはスケーリング係数に関する情報を、ユーザ機器１１５−ｏから基地局またはコアネットワークに送信および／または受信することができる。いくつかの実施形態では、ユーザ機器１１５−ｏの他の可能なコンポーネントとともに、アンテナ４０４０と組み合わされた送受信機モジュール４０５０は、基地局またはコアネットワークに、フレキシブル帯域幅波形および／またはスケーリング係数のような情報を送信および／または受信することができるので、これらのデバイスまたはシステムは、フレキシブル帯域幅波形を利用することができる。
【０３１１】
図４１Ａを見ると、様々な実施形態による、ワイヤレス通信システム内での移動性を提供するための方法４１００−ａのフロー図。方法４１００−ａは、限定はされないが、図１、図３Ｂ、および／または図３８のコアネットワーク１３０、図１、図２、図３、図３８、図３９、図４０、および／または図４２のユーザ機器１１５、図３、図３８、および／または図３９の無線アクセスネットワーク１２１、および／または図２９のデバイス２９００を含む、様々なワイヤレス通信デバイスおよび／またはシステムを利用して実施され得る。方法４１００−ｂは、図３０〜図３７および／または関連する説明において示されるような呼のフローおよび／またはシステムの様々な態様を実装することができる。
【０３１２】
第１の無線アクセスネットワークを通じて通信することがブロック４１１０において行われてよく、第１の無線アクセスネットワークは第１のフレキシブル帯域幅キャリアを利用する。第２の無線アクセスネットワークを識別することがブロック４１１５において行われ得る。第２の無線アクセスネットワークは、第１の帯域幅キャリアを利用し得る。第１の無線アクセスネットワークの第１のフレキシブル帯域幅キャリアを利用することから第２の無線アクセスネットワークの第１の帯域幅キャリアを利用することに移行することが、ブロック４１２０において行われ得る。
【０３１３】
第１の無線アクセスネットワークの第１のフレキシブル帯域幅キャリアを利用することから第２の無線アクセスネットワークの第１の帯域幅キャリアを利用することに移行することは、コアネットワークによって少なくとも一部管理され得る。第１の無線アクセスネットワークの第１のフレキシブル帯域幅キャリアを利用することから第２の無線アクセスネットワークの第１の帯域幅キャリアを利用することに移行することは、無線アクセスネットワークの少なくとも１つによって少なくとも一部管理され得る。少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することは、呼のセットアップに関連し得る。第２の無線アクセスネットワークの第１の帯域幅キャリアは、通常帯域幅キャリア、または第２のフレキシブル帯域幅キャリアを含み得る。
【０３１４】
少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することは、ユーザ機器のための回線交換音声サービスに関連し得る。
【０３１５】
少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することは、回線交換フォールバックのような手順を利用することを含み得る。いくつかの場合には、フラグを含み得るインジケータが、回線交換フォールバックのような手順の使用をシグナリングするために利用され得る。インジケータは、新たなメッセージングまたは既存のメッセージングの拡張を利用し得る。他の場合には、無線アクセスネットワークまたはコアネットワークのうちの１つが、回線交換フォールバックのような手順の使用をシグナリングする特定のインジケータを受信すると、回線交換フォールバックのような手順が利用されていると判定することができる。少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することは、セル変更命令手順を利用することを含み得る。少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することは、サービスベースのハンドオーバーを利用することを含み得る。少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することは、ＲＡＮリダイレクト手順を利用することを含み得る。少なくとも、第１の無線アクセスネットワークの第１のフレキシブル帯域幅キャリアを利用することから第２の無線アクセスネットワークの第１の帯域幅キャリアを利用することに移行すること、または第２の無線アクセスネットワークを識別することは、ユーザ機器によるチューンアウェイ手順を利用することを含み得る。
【０３１６】
図４１Ｂを見ると、様々な実施形態による、ワイヤレス通信システム内での移動性を提供するための方法４１００−ｂのフロー図。方法４１００−ｂは、限定はされないが、図１、図３Ｂ、および／または図３８のコアネットワーク１３０、図１、図２、図３、図３８、図３９、図４０、および／または図４２のユーザ機器１１５、図３、図３８、および／または図３９の無線アクセスネットワーク１２１、および／または図２９のデバイス２９００を含む、様々なワイヤレス通信デバイスおよび／またはシステムを利用して実施され得る。方法４１００−ｂは、図３０〜図３７および／または関連する説明において示されるような呼のフローおよび／またはシステムの様々な態様を実装することができる。
【０３１７】
フレキシブル帯域幅キャリアを通じてユーザ機器と通信することがブロック４１１０−ａにおいて行われ得る。通常帯域幅キャリアを識別することがブロック４１１５−ａにおいて行われ得る。フレキシブル帯域幅キャリアを利用することから通常帯域幅キャリアを利用することに移行することが、ブロック４１２０−ａにおいて行われ得る。通常帯域幅キャリアを通じたユーザ機器との通信が４１２５において行われ得る。
【０３１８】
図４１Ｃを見ると、様々な実施形態による、ワイヤレス通信システム内での移動性を提供するための方法４１００−ｃのフロー図。方法４１００−ｃは、限定はされないが、図１、図３Ｂ、および／または図３８のコアネットワーク１３０、図１、図２、図３、図３８、図３９、図４０、および／または図４２のユーザ機器１１５、図３、図３８、および／または図３９の無線アクセスネットワーク１２１、および／または図２９のデバイス２９００を含む、様々なワイヤレス通信デバイスおよび／またはシステムを利用して実施され得る。方法４１００−ｃは、図３０〜図３７および／または関連する説明において示されるような呼のフローおよび／またはシステムの様々な態様を実装することができる。方法４１００−ｃは、図４１Ａの方法４１００−ａおよび／または図４１Ｂの方法４１００−ｂの１つまたは複数の態様を含み得る。
【０３１９】
第１の無線アクセスネットワークを通じてユーザ機器と通信することがブロック４１１０−ｂにおいて行われてよく、第１の無線アクセスネットワークは第１のフレキシブル帯域幅キャリアを利用する。ブロックにおいて、回線交換音声サービスを伴うユーザ機器との呼のセットアップが開始され得る。第２の無線アクセスネットワークを識別することがブロック４１１５−ｂにおいて行われ得る。第２の無線アクセスネットワークは、ＣＳ音声サービスのような特定の回線交換サービスをサポートする、第１の帯域幅キャリアを利用し得る。ブロック４１３５において、特定の回線交換サービスをリダイレクトするかどうかが、コアネットワークまたは無線アクセスネットワークの１つにおいて判定され得る。第１の無線アクセスネットワークの第１のフレキシブル帯域幅キャリアを利用することから第２の無線アクセスネットワークの第１の帯域幅キャリアを利用することに移行することが、ブロック４１２０−ｂにおいて行われ得る。ブロック４１４０において、ユーザ機器のための特定の回線交換サービスが、第２の無線アクセスネットワークの第２の帯域幅キャリアを利用して確立され得る。
【０３２０】
図４２は、様々な実施形態による、基地局１０５−ｆとユーザ機器１１５−ｐとを含むシステム４２００のブロック図である。このシステム４２００は、図１のシステム１００、図２のシステム２００、図３のシステム３００、図７のシステム７００、図１１のシステム１１００、図１３のシステム１３００、図２５のシステム２５００、図３８のシステム３８００、および／または図３９のシステム３９００の一例であり得る。基地局１０５−ｆは、アンテナ４２３４−ａ〜４２３４−ｘを備えてよく、ユーザ機器１１５−ｐは、アンテナ４２５２−ａ〜４２５２−ｎを備えてよい。基地局１０５−ｆにおいて、送信プロセッサ４２２０は、データソースからデータを受信することができる。システム４２００は、図４〜図２０および／または関連する説明において示されるような呼のフローおよび／またはシステムの様々な態様を実装するように構成され得る。
【０３２１】
送信プロセッサ４２２０は、データを処理することができる。送信プロセッサ４２２０は、参照シンボルとセル固有参照信号とを生成することもできる。送信（ＴＸ）ＭＩＭＯプロセッサ４２３０が、適用可能な場合、データシンボル、制御シンボル、および／または基準シンボルに対して空間処理（たとえば、プリコーディング）を実行することができ、出力シンボルストリームを送信変調器４２３２−ａ〜４２３２−ｘに与えることができる。各変調器４２３２は、（たとえば、ＯＦＤＭなどのために）それぞれの出力シンボルストリームを処理して、出力サンプルストリームを取得することができる。各変調器４２３２はさらに、出力サンプルストリームを処理（たとえば、アナログへ変換、増幅、フィルタリング、およびアップコンバート）して、ダウンリンク信号（ＤＬ）を取得することができる。一例では、変調器４２３２ａ〜４２３２ｘからのＤＬ信号は、それぞれアンテナ４２３４ａ〜４２３４ｘを介して送信され得る。送信機プロセッサ４２２０は、プロセッサ４２４０から情報を受け取ることができる。プロセッサ４２４０は、メモリ４２４２に結合され得る。プロセッサ４２４０は、チップレートを変更することおよび／またはスケーリング係数を利用することを通じて、フレキシブル帯域幅波形を生成するように構成され得る。いくつかの実施形態では、プロセッサモジュール４２４０は、様々な実施形態による、フレキシブル帯域幅を動的に適合するために構成され得る。プロセッサ４２４０は、基地局１０５−ｆとユーザ機器１１５−ｐとの間の送信と関連付けられるフレキシブル帯域幅信号の１つまたは複数のスケーリング係数を動的に調整することができる。これらの調整は、トラフィックパターン、干渉測定結果などのような情報に基づいて行われ得る。
【０３２２】
たとえば、システム４２００内で、プロセッサ４２４０は、フレキシブル帯域幅のシステムと、通常帯域幅のシステムおよび／または他のフレキシブル帯域幅のシステムのような他の帯域幅のシステムとの間の移動性のために構成され得る。異なる帯域幅のシステムの間で移動性を提供するように構成されたプロセッサ４２４０は、回線交換音声サービスのような、回線交換サービスのサポートを支援することができる。プロセッサ４２４０は、ユーザ機器１１５−ｐのようなフレキシブル帯域幅への対応能力のあるデバイスを判定することを実現するように構成され得る。いくつかの実施形態はコアネットワークリダイレクトを伴い、コアネットワークリダイレクトにおいて、コアネットワーク１３０は、フレキシブル帯域幅のシステムがＣＳサービスをサポートしない場合、ＣＳ音声サービスのような回線交換サービスの処理を管理することができる。プロセッサ４２４０は、フレキシブル帯域幅のシステムがＣＳサービスをサポートしない場合、基地局１０５および／またはコントローラ１２０を含み得る無線アクセスネットワークにより管理および／または決定された、ＣＳ音声サービスのようなＣＳサービスの処理を実現するように構成され得る。プロセッサ４２４０は、フレキシブル帯域幅のシステムへの移行またはスプリングフォワードを実現するように構成され得る。プロセッサ４２４０は、一部のまたはすべてのＣＳサービス（たとえば、ＣＳ音声）をサポートしない非フレキシブル帯域幅のシステム、他のフレキシブル帯域幅のシステム、および／または、ＣＳ音声サービスをネイティブにサポートするシステムへの、フレキシブル帯域幅のシステムからの移行またはフォールバックを実現するように構成され得る。
【０３２３】
ユーザ機器１１５−ｐにおいて、ユーザ機器のアンテナ４２５２−ａ〜４２５２−ｎは、基地局１０５−ｆからＤＬ信号を受信することができ、受信された信号をそれぞれ復調器４２５４−ａ〜４２５４−ｎに与え得る。各復調器４２５４は、それぞれの受信された信号を調整（たとえばフィルタリング、増幅、ダウンコンバートおよびデジタル化）して入力サンプルを得ることができる。各復調器４２５４はさらに、（たとえば、ＯＦＤＭなどの）入力サンプルを処理して受信されたシンボルを取得することができる。ＭＩＭＯ検出器４２５６は、すべての復調器４２５４ａ〜４２５４ｎから受信されたシンボルを取得し、適用可能な場合は受信されたシンボルに対してＭＩＭＯ検出を実行し、検出されたシンボルを与えることができる。受信プロセッサ４２５８が、検出されたシンボルを処理（たとえば、復調、デインターリーブ、および復号）し、ユーザ機器１１５−ｐの復号されたデータをデータ出力に与え、復号された制御情報をプロセッサ４２８０、またはメモリ４２８２に与えることができる。
【０３２４】
アップリンク（ＵＬ）上で、または逆方向リンク上で、ユーザ機器１１５−ｐにおいて、送信プロセッサ４２６４がデータソースからデータを受信し処理することができる。送信機プロセッサ４２６４はまた、基準信号のための基準シンボルを生成し得る。送信プロセッサ４２６４からのシンボルは、送信ＭＩＭＯプロセッサ４２６６によってプリコーディングされてよく、可能な場合、復調器４２５４−ａ〜４２５４−ｎによって（たとえば、ＳＣ−ＦＤＭＡなどのために）さらに処理されてよく、基地局１０５−ｆから受信された送信パラメータに従って、基地局１０５−ｆに送信され得る。送信プロセッサ４２６４はまた、チップレートを変更することおよび／またはスケーリング係数を利用することを通じて、フレキシブル帯域幅波形を生成するように構成されてよく、これはいくつかの場合には動的に行われ得る。送信プロセッサ４２６４は、プロセッサ４２８０から情報を受け取ることができる。プロセッサ４２８０は、様々な整列手順および／またはオフセット手順を提供し得る。プロセッサ４２８０はまた、スケーリング情報および／またはチップレート情報を利用して、他のサブシステムに対して測定を実行し、他のサブシステムへのハンドオフを実行し、再選択を実行することなどが可能である。プロセッサ４２８０は、パラメータスケーリングを通じて、フレキシブル帯域幅の使用と関連付けられる時間延長の影響を反転させることができる。基地局１０５−ｆにおいて、ユーザ機器１１５−ｐからのＵＬ信号は、アンテナ４２３４によって受信され、復調器４２３２によって処理され、適用可能な場合はＭＩＭＯ検出器４２３６によって検出され、さらに受信プロセッサによって処理され得る。受信プロセッサ４２３８は、復号されたデータをデータ出力およびプロセッサ４２８０に提供することができる。いくつかの実施形態では、プロセッサ４２８０は、一般的なプロセッサ、送信プロセッサ４２６４、および／または受信機プロセッサ４２５８の一部として実装され得る。
【０３２５】
いくつかの実施形態では、プロセッサモジュール４２８０は、様々な実施形態による、フレキシブル帯域幅を動的に適合するために構成され得る。プロセッサ４２８０は、基地局１０５−ｆとユーザ機器１１５−ｐとの間の送信と関連付けられるフレキシブル帯域幅信号の１つまたは複数のスケーリング係数を動的に調整することができる。これらの調整は、トラフィックパターン、干渉測定結果などのような情報に基づいて行われ得る。
【０３２６】
たとえば、システム４２００内で、プロセッサ４２８０は、フレキシブル帯域幅のシステムと、通常帯域幅のシステムおよび／または他のフレキシブル帯域幅のシステムのような他の帯域幅のシステムとの間の移動性のために構成され得る。異なる帯域幅のシステムの間で移動性を提供するように構成され得るプロセッサ４２８０は、回線交換音声サービスのような、回線交換サービスのサポートを支援することができる。プロセッサ４２８０は、ユーザ機器１１５−ｐのようなフレキシブル帯域幅への対応能力のあるデバイスを判定することを実現するように構成され得る。いくつかの実施形態はコアネットワークリダイレクトを伴い、コアネットワークリダイレクトにおいて、コアネットワーク１３０は、フレキシブル帯域幅のシステムがＣＳサービスをサポートしない場合、ＣＳ音声サービスのような回線交換サービスの処理を管理することができる。プロセッサ４２８０は、フレキシブル帯域幅のシステムがＣＳサービスをサポートしない場合、基地局１０５および／またはコントローラ１２０を含み得る無線アクセスネットワークにより管理および／または決定された、ＣＳ音声サービスのようなＣＳサービスの処理を実現するように構成され得る。プロセッサ４２８０は、フレキシブル帯域幅のシステムへの移行またはスプリングフォワードを実現するように構成され得る。プロセッサ４２８０は、一部のまたはすべてのＣＳサービス（たとえば、ＣＳ音声）をサポートしない非フレキシブル帯域幅のシステム、他のフレキシブル帯域幅のシステム、および／または、ＣＳ音声サービスをネイティブにサポートするシステムへの、フレキシブル帯域幅のシステムからの移行またはフォールバックを実現するように構成され得る。
【０３２７】
添付の図面に関して上に記載された詳細な説明は、例示的な実施形態を説明するものであり、実装され得るまたは特許請求の範囲内に入る実施形態のみを表すものではない。この説明全体にわたって使用される「例示的」という用語は、「例、事例、または例示の働きをすること」を意味し、「好ましい」または「他の実施形態よりも有利な」を意味しない。詳細な説明は、説明される技法の理解を与えるために、具体的な詳細を含む。しかしながら、これらの技法は、これらの具体的な詳細を伴わずに実施され得る。場合によっては、説明された実施形態の概念を不明瞭にしないように、よく知られている構造およびデバイスがブロック図の形態で示される。
【０３２８】
情報および信号は、種々の異なる技術および技法のうちのいずれかを使用して表され得る。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０３２９】
本明細書の開示に関して説明された様々な例示的なブロックおよびモジュールは、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェアコンポーネント、あるいは本明細書で説明された機能を実行するように設計されたそれらの任意の組合せを用いて実装または実行され得る。汎用プロセッサはマイクロプロセッサであってよいが、代替として、プロセッサは任意の従来のプロセッサ、コントローラ、マイクロコントローラ、または状態機械であってよい。プロセッサは、コンピューティングデバイスの組合せ、たとえばＤＳＰとマイクロプロセッサとの組合せ、複数のマイクロプロセッサ、ＤＳＰコアと連携する１つまたは複数のマイクロプロセッサ、または任意の他のそのような構成としても実装され得る。
【０３３０】
本明細書で説明される機能は、ハードウェア、プロセッサによって実行されるソフトウェア、ファームウェア、またはそれらの組合せで実装され得る。プロセッサによって実行されるソフトウェアで実装される場合、機能は、１つまたは複数の命令またはコードとしてコンピュータ可読媒体上に記憶されるか、またはコンピュータ可読媒体を介して送信され得る。他の例および実装形態は、本開示および添付の特許請求の範囲および趣旨内に入る。たとえば、ソフトウェアの性質により、上で説明された機能は、プロセッサ、ハードウェア、ファームウェア、配線、またはこれらのいずれかの組合せによって実行されるソフトウェアを使用して実装され得る。機能を実装する特徴はまた、機能の部分が異なる物理的位置に実装されるように分散されることを含めて、様々な位置に物理的に配置され得る。また、特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙は、ＡまたはＢまたはＣまたはＡＢまたはＡＣまたはＢＣまたはＡＢＣ（すなわち、ＡおよびＢおよびＣ）を意味するような選言的列挙を示す。
【０３３１】
コンピュータ可読媒体は、ある場所から別の場所へのコンピュータプログラムの転送を支援する任意の媒体を含む、コンピュータ記憶媒体とコンピュータ通信媒体の両方を含む。記憶媒体は、汎用または専用コンピュータによってアクセスされ得る任意の利用可能な媒体であり得る。限定ではなく例として、コンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは、命令またはデータ構造の形態の所望のプログラムコード手段を搬送または記憶するために使用され汎用または専用コンピュータあるいは汎用または専用プロセッサによってアクセスされ得る、任意の他の媒体を備え得る。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイディスク（disc）を含み、ディスク（disk）は、通常、データを磁気的に再生し、ディスク（disc）は、データをレーザで光学的に再生する。上記の組合せも、コンピュータ可読媒体の範囲内に含まれる。
【０３３２】
本開示のここまでの説明は、当業者が本開示を作成または使用することができるように与えられたものである。本開示への様々な修正は当業者には容易に明らかであり、本明細書で定義された一般原理は、本開示の趣旨または範囲から逸脱することなく他の変形形態に適用され得る。本開示全体にわたって、「例」または「例示的」という用語は、一例または一事例を示すものであり、言及した例についての選好を暗示せず、または必要としない。したがって、本開示は、本明細書で説明する例および設計に限定されるべきでなく、本明細書で開示される原理および新規の特徴に合致する最も広い範囲を与えられるべきである。
【図１】
2015507396.tif 000005
【図２Ａ】
2015507396.tif 000006
【図２Ｂ】
2015507396.tif 000007
【図２Ｃ】
2015507396.tif 000008
【図２Ｄ】
2015507396.tif 000009
【図２Ｅ】
2015507396.tif 000010
【図２Ｆ】
2015507396.tif 000011
【図３Ａ】
2015507396.tif 000012
【図３Ｂ】
2015507396.tif 000013
【図４】
2015507396.tif 000014
【図５】
2015507396.tif 000015
【図６】
2015507396.tif 000016
【図７】
2015507396.tif 000017
【図８】
2015507396.tif 000018
【図９Ａ】
2015507396.tif 000019
【図９Ｂ】
2015507396.tif 000020
【図９Ｃ】
2015507396.tif 000021
【図１０】
2015507396.tif 000022
【図１１】
2015507396.tif 000023
【図１２Ａ】
2015507396.tif 000024
【図１２Ｂ】
2015507396.tif 000025
【図１２Ｃ】
2015507396.tif 000026
【図１３】
2015507396.tif 000027
【図１４】
2015507396.tif 000028
【図１５Ａ】
2015507396.tif 000029
【図１５Ｂ】
2015507396.tif 000030
【図１５Ｃ】
2015507396.tif 000031
【図１６】
2015507396.tif 000032
【図１７】
2015507396.tif 000033
【図１８Ａ】
2015507396.tif 000034
【図１８Ｂ】
2015507396.tif 000035
【図１８Ｃ】
2015507396.tif 000036
【図１９Ａ】
2015507396.tif 000037
【図１９Ｂ】
2015507396.tif 000038
【図２０Ａ】
2015507396.tif 000039
【図２０Ｂ】
2015507396.tif 000040
【図２１】
2015507396.tif 000041
【図２２】
2015507396.tif 000042
【図２３Ａ】
2015507396.tif 000043
【図２３Ｂ】
2015507396.tif 000044
【図２４Ａ】
2015507396.tif 000045
【図２４Ｂ】
2015507396.tif 000046
【図２４Ｃ】
2015507396.tif 000047
【図２４Ｄ】
2015507396.tif 000048
【図２５】
2015507396.tif 000049
【図２６】
2015507396.tif 000050
【図２７】
2015507396.tif 000051
【図２８Ａ】
2015507396.tif 000052
【図２８Ｂ】
2015507396.tif 000053
【図２８Ｃ】
2015507396.tif 000054
【図２９】
2015507396.tif 000055
【図３０Ａ】
2015507396.tif 000056
【図３０Ｂ】
2015507396.tif 000057
【図３１Ａ】
2015507396.tif 000058
【図３１Ｂ】
2015507396.tif 000059
【図３２Ａ】
2015507396.tif 000060
【図３２Ｂ】
2015507396.tif 000061
【図３３】
2015507396.tif 000062
【図３４】
2015507396.tif 000063
【図３５Ａ】
2015507396.tif 000064
【図３５Ｂ】
2015507396.tif 000065
【図３６Ａ】
2015507396.tif 000066
【図３６Ｂ】
2015507396.tif 000067
【図３６Ｃ】
2015507396.tif 000068
【図３７Ａ】
2015507396.tif 000069
【図３７Ｂ】
2015507396.tif 000070
【図３８】
2015507396.tif 000071
【図３９】
2015507396.tif 000072
【図４０】
2015507396.tif 000073
【図４１Ａ】
2015507396.tif 000074
【図４１Ｂ】
2015507396.tif 000075
【図４１Ｃ】
2015507396.tif 000076
【図４２】
2015507396.tif 000077
【国際調査報告】
2015507396.tif 000078
2015507396.tif 000079
2015507396.tif 000080